(57)【要約】  １つまたは複数のフレキシブル帯域幅キャリアを利用し得るマルチキャリアシステムのための間欠受信（ＤＲＸ）整合のための方法、システム、およびデバイスが提供される。１つもしくは複数のフレキシブル帯域幅キャリアを利用し得るマルチキャリアシステム、および／または、複数の異なるフレキシブル帯域幅キャリアを利用し得るシステムにおける、ＤＲＸサイクルなどに関する、シグナリング整合を保証することを助け得る、ツールおよび技法が提供される。いくつかの方法は、第１のセルのためのＤＲＸサイクルを識別すること、および／または、第２のセルのためのＤＲＸサイクルのための境界が、第１のセルのためのＤＲＸサイクルのための境界と一致するように、第２のセルのためのＤＲＸサイクルのための境界を調整することを含んでよく、ここで、少なくとも第１のセルまたは第２のセルは、１つまたは複数のフレキシブル帯域幅キャリアのうちの少なくとも１つを備える。
2016521050.tif 000002
【特許請求の範囲】
【請求項１】
１つまたは複数のフレキシブル帯域幅キャリアを利用するマルチキャリアシステムにおける間欠受信（ＤＲＸ）の方法であって、
第１のセルのためのＤＲＸサイクルを識別することと、
第２のセルのためのＤＲＸサイクルのための境界が、前記第１のセルのための前記ＤＲＸサイクルのための境界と一致するように、前記第２のセルのための前記ＤＲＸサイクルのための前記境界を調整することと、ここにおいて、少なくとも前記第１のセルまたは前記第２のセルは、前記１つまたは複数のフレキシブル帯域幅キャリアのうちの少なくとも１つを備える
を備える方法。
【請求項２】
前記第１のセルのための前記ＤＲＸサイクルのための前記境界と前記第２のセルのための前記ＤＲＸサイクルのための前記境界の両方が、少なくとも開始境界または終了境界を備える、請求項１に記載の方法。
【請求項３】
前記第２のセルのための前記ＤＲＸサイクルの期間が、前記第１のセルのための前記ＤＲＸサイクルの期間とは異なる、請求項１に記載の方法。
【請求項４】
前記第１のセルに対して、監視されるサブフレームの数を増加または減少させるために、前記第２のセルのための前記ＤＲＸサイクルの長さを調整すること
をさらに備える、請求項１に記載の方法。
【請求項５】
前記第１のセルのための前記ＤＲＸサイクルの周期性を識別することと、
少なくとも、前記第１のセルのための前記ＤＲＸサイクルの前記周期性と一致するように、または、前記第１のセルのための前記ＤＲＸサイクルの前記周期性に対して、帯域幅スケーリング係数によってスケーリングされるように、前記第２のセルのための前記ＤＲＸサイクルの周期性を調整することと
をさらに備える、請求項１に記載の方法。
【請求項６】
前記第２のセルのための前記ＤＲＸサイクルのための前記境界を調整することを容易にするために、少なくとも１つまたは複数のオフセットまたはサイクル長をユーザ機器（ＵＥ）へ送信すること、またはユーザ機器（ＵＥ）において受信すること
をさらに備える、請求項１に記載の方法。
【請求項７】
前記第１のセルのための有効化またはアクティベーション遅延に重複する、前記第２のセルのためのＤＲＸ命令のための最初の割り当てられたサブフレームを無視すること
をさらに備える、請求項１に記載の方法。
【請求項８】
前記第１のセルが、通常帯域幅キャリアを備え、前記第２のセルが、前記１つまたは複数のフレキシブル帯域幅キャリアのうちの１つを備える、請求項１に記載の方法。
【請求項９】
前記第１のセルが、フレキシブル帯域幅キャリアを備え、前記第２のセルが、前記第１のセルとは異なる、前記１つまたは複数のフレキシブル帯域幅キャリアのうちの１つを備える、請求項１に記載の方法。
【請求項１０】
前記第１のセルが、前記１つまたは複数のフレキシブル帯域幅キャリアのうちの１つを備え、前記第２のセルが、通常帯域幅キャリアを備える、請求項１に記載の方法。
【請求項１１】
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、請求項１に記載の方法。
【請求項１２】
前記第１のセルが、１に等しい帯域幅スケーリング係数を備え、前記第２のセルが、２または４に等しい帯域幅スケーリング係数を備える、請求項８に記載の方法。
【請求項１３】
１つまたは複数のフレキシブル帯域幅キャリアを利用するマルチキャリアシステムにおける間欠受信（ＤＲＸ）のためのシステムであって、
第１のセルのためのＤＲＸサイクルを識別するための手段と、
第２のセルのためのＤＲＸサイクルのための境界が、前記第１のセルのための前記ＤＲＸサイクルのための境界と一致するように、前記第２のセルのための前記ＤＲＸサイクルのための前記境界を調整するための手段と、ここにおいて、少なくとも前記第１のセルまたは前記第２のセルは、前記１つまたは複数のフレキシブル帯域幅キャリアのうちの少なくとも１つを備える
を備えるシステム。
【請求項１４】
前記第１のセルのための前記ＤＲＸサイクルのための前記境界と前記第２のセルのための前記ＤＲＸサイクルのための前記境界の両方が、少なくとも開始境界または終了境界を備える、請求項１３に記載のシステム。
【請求項１５】
前記第２のセルのための前記ＤＲＸサイクルの期間が、前記第１のセルのための前記ＤＲＸサイクルの期間とは異なる、請求項１３に記載のシステム。
【請求項１６】
前記第１のセルに対して、監視されるサブフレームの数を増加または減少させるために、前記第２のセルのための前記ＤＲＸサイクルの長さを調整するための手段
をさらに備える、請求項１３に記載のシステム。
【請求項１７】
前記第１のセルのための前記ＤＲＸサイクルの周期性を識別するための手段と、
少なくとも、前記第１のセルのための前記ＤＲＸサイクルの前記周期性と一致するように、または、前記第１のセルのための前記ＤＲＸサイクルの前記周期性に対して、帯域幅スケーリング係数によってスケーリングされるように、前記第２のセルのための前記ＤＲＸサイクルの周期性を調整するための手段と
をさらに備える、請求項１３に記載のシステム。
【請求項１８】
前記第２のセルのための前記ＤＲＸサイクルのための前記境界を調整することを容易にするために、少なくとも１つまたは複数のオフセットまたはサイクル長をユーザ機器（ＵＥ）へ送信する、またはユーザ機器（ＵＥ）において受信するための手段
をさらに備える、請求項１３に記載のシステム。
【請求項１９】
前記第１のセルのための有効化またはアクティベーション遅延に重複する、前記第２のセルのためのＤＲＸ命令のための最初の割り当てられたサブフレームを無視するための手段
をさらに備える、請求項１３に記載のシステム。
【請求項２０】
前記第１のセルが、通常帯域幅キャリアを備え、前記第２のセルが、前記１つまたは複数のフレキシブル帯域幅キャリアのうちの１つを備える、請求項１３に記載のシステム。
【請求項２１】
前記第１のセルが、フレキシブル帯域幅キャリアを備え、前記第２のセルが、前記第１のセルとは異なる、前記１つまたは複数のフレキシブル帯域幅キャリアのうちの１つを備える、請求項１３に記載のシステム。
【請求項２２】
前記第１のセルが、前記１つまたは複数のフレキシブル帯域幅キャリアのうちの１つを備え、前記第２のセルが、通常帯域幅キャリアを備える、請求項１３に記載のシステム。
【請求項２３】
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、請求項１３に記載のシステム。
【請求項２４】
前記第１のセルが、１に等しい帯域幅スケーリング係数を備え、前記第２のセルが、２または４に等しい帯域幅スケーリング係数を備える、請求項２０に記載のシステム。
【請求項２５】
１つまたは複数のフレキシブル帯域幅キャリアを利用するマルチキャリアシステムにおける間欠受信（ＤＲＸ）のためのコンピュータプログラム製品であって、
第１のセルのためのＤＲＸサイクルを識別するためのコードと、
第２のセルのためのＤＲＸサイクルのための境界が、前記第１のセルのための前記ＤＲＸサイクルのための境界と一致するように、前記第２のセルのための前記ＤＲＸサイクルのための前記境界を調整するためのコードと、ここにおいて、少なくとも前記第１のセルまたは前記第２のセルは、前記１つまたは複数のフレキシブル帯域幅キャリアのうちの少なくとも１つを備える
を備える非一時的コンピュータ可読媒体
を備えるコンピュータプログラム製品。
【請求項２６】
前記第１のセルのための前記ＤＲＸサイクルのための前記境界と前記第２のセルのための前記ＤＲＸサイクルのための前記境界の両方が、少なくとも開始境界または終了境界を備える、請求項２５に記載のコンピュータプログラム製品。
【請求項２７】
前記第２のセルのための前記ＤＲＸサイクルの期間が、前記第１のセルのための前記ＤＲＸサイクルの期間とは異なる、請求項２５に記載のコンピュータプログラム製品。
【請求項２８】
前記第１のセルに対して、監視されるサブフレームの数を増加または減少させるために、前記第２のセルのための前記ＤＲＸサイクルの長さを調整するためのコード
をさらに備える、請求項２５に記載のコンピュータプログラム製品。
【請求項２９】
前記第１のセルのための前記ＤＲＸサイクルの周期性を識別するためのコードと、
少なくとも、前記第１のセルのための前記ＤＲＸサイクルの前記周期性と一致するように、または、前記第１のセルのための前記ＤＲＸサイクルの前記周期性に対して、帯域幅スケーリング係数によってスケーリングされるように、前記第２のセルのための前記ＤＲＸサイクルの周期性を調整するためのコードと
をさらに備える、請求項２５に記載のコンピュータプログラム製品。
【請求項３０】
前記第２のセルのための前記ＤＲＸサイクルのための前記境界を調整することを容易にするために、少なくとも１つまたは複数のオフセットまたはサイクル長をユーザ機器（ＵＥ）へ送信する、またはユーザ機器（ＵＥ）において受信するためのコード
をさらに備える、請求項２５に記載のコンピュータプログラム製品。
【請求項３１】
前記第１のセルのための有効化またはアクティベーション遅延に重複する、前記第２のセルのためのＤＲＸ命令のための最初の割り当てられたサブフレームを無視するためのコード
をさらに備える、請求項２５に記載のコンピュータプログラム製品。
【請求項３２】
前記第１のセルが、通常帯域幅キャリアを備え、前記第２のセルが、前記１つまたは複数のフレキシブル帯域幅キャリアのうちの１つを備える、請求項２５に記載のコンピュータプログラム製品。
【請求項３３】
前記第１のセルが、フレキシブル帯域幅キャリアを備え、前記第２のセルが、前記第１のセルとは異なる、前記１つまたは複数のフレキシブル帯域幅キャリアのうちの１つを備える、請求項２５に記載のコンピュータプログラム製品。
【請求項３４】
前記第１のセルが、前記１つまたは複数のフレキシブル帯域幅キャリアのうちの１つを備え、前記第２のセルが、通常帯域幅キャリアを備える、請求項２５に記載のコンピュータプログラム製品。
【請求項３５】
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、請求項２５に記載のコンピュータプログラム製品。
【請求項３６】
前記第１のセルが、１に等しい帯域幅スケーリング係数を備え、前記第２のセルが、２または４に等しい帯域幅スケーリング係数を備える、請求項３２に記載のコンピュータプログラム製品。
【請求項３７】
１つまたは複数のフレキシブル帯域幅キャリアを利用するマルチキャリアシステムにおける間欠受信（ＤＲＸ）のために構成されたワイヤレス通信デバイスであって、
第１のセルのためのＤＲＸサイクルを識別することと、
第２のセルのためのＤＲＸサイクルのための境界が、前記第１のセルのための前記ＤＲＸサイクルのための境界と一致するように、前記第２のセルのための前記ＤＲＸサイクルのための前記境界を調整することと、ここにおいて、少なくとも前記第１のセルまたは前記第２のセルは、前記１つまたは複数のフレキシブル帯域幅キャリアのうちの少なくとも１つを備える
を行うように構成された少なくとも１つのプロセッサ
を備えるワイヤレス通信デバイス。
【請求項３８】
前記第１のセルのための前記ＤＲＸサイクルのための前記境界と前記第２のセルのための前記ＤＲＸサイクルのための前記境界の両方が、少なくとも開始境界または終了境界を備える、請求項３７に記載のワイヤレス通信デバイス。
【請求項３９】
前記第２のセルのための前記ＤＲＸサイクルの期間が、前記第１のセルのための前記ＤＲＸサイクルの期間とは異なる、請求項３７に記載のワイヤレス通信デバイス。
【請求項４０】
前記少なくとも１つのプロセッサが、
前記第１のセルに対して、監視されるサブフレームの数を増加または減少させるために、前記第２のセルのための前記ＤＲＸサイクルの長さを調整すること
を行うようにさらに構成される、請求項３７に記載のワイヤレス通信デバイス。
【請求項４１】
前記少なくとも１つのプロセッサが、
前記第１のセルのための前記ＤＲＸサイクルの周期性を識別することと、
少なくとも、前記第１のセルのための前記ＤＲＸサイクルの前記周期性と一致するように、または、前記第１のセルのための前記ＤＲＸサイクルの前記周期性に対して、帯域幅スケーリング係数によってスケーリングされるように、前記第２のセルのための前記ＤＲＸサイクルの周期性を調整することと
を行うようにさらに構成される、請求項３７に記載のワイヤレス通信デバイス。
【請求項４２】
前記少なくとも１つのプロセッサが、
前記第２のセルのための前記ＤＲＸサイクルのための前記境界を調整することを容易にするために、少なくとも１つまたは複数のオフセットまたはサイクル長をユーザ機器（ＵＥ）へ送信すること、またはユーザ機器（ＵＥ）において受信すること
を行うようにさらに構成される、請求項３７に記載のワイヤレス通信デバイス。
【請求項４３】
前記少なくとも１つのプロセッサが、
前記第１のセルのための有効化またはアクティベーション遅延に重複する、前記第２のセルのためのＤＲＸ命令のための最初の割り当てられたサブフレームを無視すること
を行うようにさらに構成される、請求項３７に記載のワイヤレス通信デバイス。
【請求項４４】
前記第１のセルが、通常帯域幅キャリアを備え、前記第２のセルが、前記１つまたは複数のフレキシブル帯域幅キャリアのうちの１つを備える、請求項３７に記載のワイヤレス通信デバイス。
【請求項４５】
前記第１のセルが、フレキシブル帯域幅キャリアを備え、前記第２のセルが、前記第１のセルとは異なる、前記１つまたは複数のフレキシブル帯域幅キャリアのうちの１つを備える、請求項３７に記載のワイヤレス通信デバイス。
【請求項４６】
前記第１のセルが、前記１つまたは複数のフレキシブル帯域幅キャリアのうちの１つを備え、前記第２のセルが、通常帯域幅キャリアを備える、請求項３７に記載のワイヤレス通信デバイス。
【請求項４７】
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、請求項３７に記載のワイヤレス通信デバイス。
【請求項４８】
前記第１のセルが、１に等しい帯域幅スケーリング係数を備え、前記第２のセルが、２または４に等しい帯域幅スケーリング係数を備える、請求項４４に記載のワイヤレス通信デバイス。
【発明の詳細な説明】
【技術分野】
【０００１】
相互参照
[0001]本出願は、その各々が本出願の譲受人に譲渡された、２０１３年９月３０日に出願された「ＤＩＳＣＯＮＴＩＮＵＯＵＳ  ＲＥＣＥＰＴＩＯＮ  ＦＯＲ  ＭＵＬＴＩＣＡＲＲＩＥＲ  ＳＹＳＴＥＭＳ  ＷＩＴＨ  ＦＬＥＸＩＢＬＥ  ＢＡＮＤＷＩＤＴＨ  ＣＡＲＲＩＥＲ」と題する米国特許出願第１４／０４１，７４２号、および、２０１３年４月１５日に出願された「ＳＩＧＮＡＬＩＮＧ  ＡＬＩＧＮＭＥＮＴ  ＦＯＲ  ＭＵＬＴＩＣＡＲＲＩＥＲ  ＳＹＳＴＥＭＳ  ＷＩＴＨ  ＦＬＥＸＩＢＬＥ  ＢＡＮＤＷＩＤＴＨ  ＣＡＲＲＩＥＲ」と題する米国仮特許出願第６１／８１２，１６４号の優先権を主張する。
【背景技術】
【０００２】
[0002]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および直交周波数分割多元接続（ＯＦＤＭＡ）システムがある。
【０００３】
[0003]サービスプロバイダは、典型的には、ある地理的領域における独占的な使用のために、周波数スペクトルのブロックを割り振られる。周波数のこれらのブロックは一般に、使用されている多元接続技術とは無関係に、調整器によって割り当てられる。ほとんどの場合、これらのブロックは、チャネル帯域幅の整数倍ではなく、したがって、スペクトルの利用されない部分があり得る。ワイヤレスデバイスの使用が増加するにつれて、一般に、このスペクトルに対する需要および価値が同様に急増してきた。それにもかかわらず、場合によっては、ワイヤレス通信システムは、割り振られたスペクトルの部分が標準または通常波形に適合するのに十分大きくないので、それらの部分を利用しないことがある。ＬＴＥ規格の開発者は、たとえば、その問題を認識し、多くの異なるシステム帯域幅（たとえば、１．４、３、５、１０、１５および２０ＭＨｚ）をサポートすることを決定した。このことは、この問題に対して１つの部分的な解決策を提供することができる。
【０００４】
[0004]本明細書ではスケーラブル帯域幅システムとも呼ばれる、フレキシブル帯域幅システムは、帯域幅リソースのより良い利用を提供することができる。しかしながら、いくつかのフレキシブル帯域幅システムは、異なる帯域幅を利用する複数のキャリアを含むとき、間欠受信シグナリングタイミングを含む、タイミング問題に直面することがある。
【発明の概要】
【０００５】
[0005]１つまたは複数のフレキシブル帯域幅キャリアを利用し得るマルチキャリアシステムにおける間欠受信（ＤＲＸ）のための方法、システム、およびデバイスが提供される。たとえば、１つもしくは複数の通常帯域幅キャリアと、１つもしくは複数のフレキシブル帯域幅キャリアとを利用し得るマルチキャリアシステムにおける、または、複数の異なるフレキシブル帯域幅キャリアを利用し得るシステムにおける、ＤＲＸサイクルに関する整合を保証することを助け得る、ツールおよび技法が提供される。
【０００６】
[0006]ワイヤレス通信システムのためのフレキシブル帯域幅キャリアは、フレキシブル帯域幅波形を利用して、通常波形に適合するのに十分大きくないことがあるスペクトルの部分を利用し得る。フレキシブル帯域幅キャリアを利用するフレキシブル帯域幅システムは、通常帯域幅システムに対してフレキシブル帯域幅システムの時間またはチップレートを膨張させること、またはスケールダウンすることを通して、通常帯域幅システムに対して生成され得る。いくつかの実施形態は、フレキシブル帯域幅システムの時間またはチップレートを拡大、またはスケールアップすることを通して、波形の帯域幅を増大させ得る。
【０００７】
[0007]１つまたは複数のフレキシブル帯域幅キャリアを利用し得るマルチキャリアシステムでは、複数のキャリア間のＤＲＸサイクルの不整合は、電力消費における増大を引き起こし得る。電力消費における増大は、ＤＲＸサイクルが不整合にされ、同じ期間を有しておらず（たとえば、時間の膨張のために、「ウェイクアップ」期間は、Ｎ＝１に対してＮ＝２または４ではより長い）、したがって、受信機が、そうでない場合よりもＤＲＸサイクルごとに長い時間期間にわたってリッスン中であるという事実のためであり得る。これらの問題は、マルチキャリアシステムにおける少なくとも２つのキャリアのためのＤＲＸサイクルを整合させることによって、たとえば、ＤＲＸサイクルの、開始境界および／または終了境界など、少なくとも１つの境界を整合させることによって対処され得る。他の解決策は、第１のセルに対して、監視されるサブフレームの数を増加または減少させるために、第２のセルのためのＤＲＸサイクルの長さを調整することを含み得る。これらの問題はまた、第１のセルのための周期性を識別することと、第１のセルのとともに帯域幅スケーリング係数によってスケーリングされるように、第２のセルのためのＤＲＸサイクルの周期性を調整することとによっても対処され得る。いくつかの実施形態では、これらの問題は、第２のセルのためのＤＲＸサイクルのための境界を調整することを容易にするために、少なくとも１つまたは複数のオフセットまたはサイクル長をユーザ機器（ＵＥ）へ送信すること、および／またはユーザ機器（ＵＥ）において受信することによって対処され得る。
【０００８】
[0008]いくつかの実施形態は、１つまたは複数のフレキシブル帯域幅キャリアを利用するマルチキャリアシステムにおける間欠受信（ＤＲＸ）の方法を含む。この方法は、第１のセルのためのＤＲＸサイクルを識別すること、および／または、第２のセルのためのＤＲＸサイクルのための境界が、第１のセルのためのＤＲＸサイクルのための境界と一致するように、第２のセルのためのＤＲＸサイクルのための境界を調整することを含み得る。少なくとも第１のセルまたは第２のセルは、１つまたは複数のフレキシブル帯域幅キャリアのうちの少なくとも１つを含み得る。
【０００９】
[0009]いくつかの実施形態では、第１のセルのためのＤＲＸサイクルのための境界と第２のセルのためのＤＲＸサイクルのための境界の両方は、少なくとも開始境界または終了境界を含む。場合によっては、第２のセルのためのＤＲＸサイクルの期間は、第１のセルのためのＤＲＸサイクルの期間とは異なる。
【００１０】
[0010]この方法のいくつかの実施形態は、第１のセルに対して、監視されるサブフレームの数を増加または減少させるために、第２のセルのためのＤＲＸサイクルの長さを調整することをさらに含む。いくつかの実施形態は、第１のセルのためのＤＲＸサイクルの周期性を識別すること、および／または、少なくとも、第１のセルのためのＤＲＸサイクルの周期性と一致するように、もしくは、第１のセルのためのＤＲＸサイクルの周期性に対して、帯域幅スケーリング係数によってスケーリングされるように、第２のセルのためのＤＲＸサイクルの周期性を調整することを含む。いくつかの実施形態は、第２のセルのためのＤＲＸサイクルのための境界を調整することを容易にするために、少なくとも１つまたは複数のオフセットまたはサイクル長をユーザ機器（ＵＥ）へ送信すること、および／またはユーザ機器（ＵＥ）において受信することを含む。いくつかの実施形態は、第１のセルのための有効化またはアクティベーション遅延に重複する、第２のセルのためのＤＲＸ命令のための最初の割り当てられたサブフレームを無視することを含む。
【００１１】
[0011]いくつかの実施形態では、第１のセルは、通常帯域幅キャリアを含み、第２のセルは、１つまたは複数のフレキシブル帯域幅キャリアのうちの１つを備える。いくつかの実施形態では、第１のセルは、フレキシブル帯域幅キャリアを含み、第２のセルは、第１のセルとは異なる、１つまたは複数のフレキシブル帯域幅キャリアのうちの１つを含む。いくつかの構成では、第１のセルは、１つまたは複数のフレキシブル帯域幅キャリアのうちの１つを含み、第２のセルは、通常帯域幅キャリアを含む。いくつかの構成では、第１のセルは、１つまたは複数のフレキシブル帯域幅キャリアのうちの１つを含んでよく、第２のセルは、第１のセルとは異なる、１つまたは複数のフレキシブル帯域幅キャリアのうちの１つを含んでよい。いくつかの構成では、第１のセルは、１に等しい帯域幅スケーリング係数を含んでよく、第２のセルは、２または４に等しい帯域幅スケーリング係数を含んでよい。
【００１２】
[0012]いくつかの実施形態は、１つまたは複数のフレキシブル帯域幅キャリアを利用するマルチキャリアシステムにおける間欠受信（ＤＲＸ）のためのシステムを含む。このシステムは、第１のセルのためのＤＲＸサイクルを識別するための手段、および／または、第２のセルのためのＤＲＸサイクルのための境界が、第１のセルのためのＤＲＸサイクルのための境界と一致するように、第２のセルのためのＤＲＸサイクルのための境界を調整するための手段を含み得る。少なくとも第１のセルまたは第２のセルは、１つまたは複数のフレキシブル帯域幅キャリアのうちの少なくとも１つを含み得る。
【００１３】
[0013]いくつかの実施形態では、第１のセルのためのＤＲＸサイクルのための境界と第２のセルのためのＤＲＸサイクルのための境界の両方は、少なくとも開始境界または終了境界を含む。第２のセルのためのＤＲＸサイクルの期間は、第１のセルのためのＤＲＸサイクルの期間とは異なり得る。
【００１４】
[0014]いくつかの実施形態は、第１のセルに対して、監視されるサブフレームの数を増加または減少させるために、第２のセルのためのＤＲＸサイクルの長さを調整するための手段を含む。いくつかの実施形態は、第１のセルのためのＤＲＸサイクルの周期性を識別するための手段、および／または、少なくとも、第１のセルのためのＤＲＸサイクルの周期性と一致するように、もしくは、第１のセルのためのＤＲＸサイクルの周期性に対して、帯域幅スケーリング係数によってスケーリングされるように、第２のセルのためのＤＲＸサイクルの周期性を調整するための手段を含む。いくつかの実施形態は、第２のセルのためのＤＲＸサイクルのための境界を調整することを容易にするために、少なくとも１つまたは複数のオフセットまたはサイクル長をユーザ機器（ＵＥ）へ送信する、および／またはユーザ機器（ＵＥ）において受信するための手段を含む。いくつかの実施形態は、第１のセルのための有効化またはアクティベーション遅延に重複する、第２のセルのためのＤＲＸ命令のための最初の割り当てられたサブフレームを無視するための手段を含む。
【００１５】
[0015]このシステムのいくつかの実施形態では、第１のセルは、通常帯域幅キャリアを含み、第２のセルは、１つまたは複数のフレキシブル帯域幅キャリアのうちの１つを備える。いくつかの実施形態では、第１のセルは、フレキシブル帯域幅キャリアを含み、第２のセルは、第１のセルとは異なる、１つまたは複数のフレキシブル帯域幅キャリアのうちの１つを含む。いくつかの構成では、第１のセルは、１つまたは複数のフレキシブル帯域幅キャリアのうちの１つを含み、第２のセルは、通常帯域幅キャリアを含む。いくつかの構成では、第１のセルは、１つまたは複数のフレキシブル帯域幅キャリアのうちの１つを含んでよく、第２のセルは、第１のセルとは異なる、１つまたは複数のフレキシブル帯域幅キャリアのうちの１つを含んでよい。いくつかの構成では、第１のセルは、１に等しい帯域幅スケーリング係数を含んでよく、第２のセルは、２または４に等しい帯域幅スケーリング係数を含んでよい。
【００１６】
[0016]いくつかの実施形態は、非一時的コンピュータ可読媒体を含み得る、１つまたは複数のフレキシブル帯域幅キャリアを利用するマルチキャリアシステムにおける間欠受信（ＤＲＸ）のためのコンピュータプログラム製品を含み、非一時的コンピュータ可読媒体は、第１のセルのためのＤＲＸサイクルを識別するためのコード、および／または、第２のセルのためのＤＲＸサイクルのための境界が、第１のセルのためのＤＲＸサイクルのための境界と一致するように、第２のセルのためのＤＲＸサイクルのための境界を調整するためのコードを含み得る。少なくとも第１のセルまたは第２のセルは、１つまたは複数のフレキシブル帯域幅キャリアのうちの少なくとも１つを備える。
【００１７】
[0017]いくつかの実施形態では、第１のセルのためのＤＲＸサイクルのための境界と第２のセルのためのＤＲＸサイクルのための境界の両方は、少なくとも開始境界または終了境界を含む。第２のセルのためのＤＲＸサイクルの期間は、第１のセルのためのＤＲＸサイクルの期間とは異なる。
【００１８】
[0018]いくつかの実施形態は、第１のセルに対して、監視されるサブフレームの数を増加または減少させるために、第２のセルのためのＤＲＸサイクルの長さを調整するためのコードを含む。いくつかの実施形態は、第１のセルのためのＤＲＸサイクルの周期性を識別するためのコード、および／または、少なくとも、第１のセルのためのＤＲＸサイクルの周期性と一致するように、もしくは、第１のセルのためのＤＲＸサイクルの周期性に対して、帯域幅スケーリング係数によってスケーリングされるように、第２のセルのためのＤＲＸサイクルの周期性を調整するためのコードを含む。いくつかの実施形態は、第２のセルのためのＤＲＸサイクルのための境界を調整することを容易にするために、少なくとも１つまたは複数のオフセットまたはサイクル長をユーザ機器（ＵＥ）へ送信する、および／またはユーザ機器（ＵＥ）において受信するためのコードを含む。いくつかの実施形態は、第１のセルのための有効化またはアクティベーション遅延に重複する、第２のセルのためのＤＲＸ命令のための最初の割り当てられたサブフレームを無視するためのコードを含む。
【００１９】
[0019]このコンピュータプログラム製品のいくつかの実施形態では、第１のセルは、通常帯域幅キャリアを含み、第２のセルは、１つまたは複数のフレキシブル帯域幅キャリアのうちの１つを備える。いくつかの実施形態では、第１のセルは、フレキシブル帯域幅キャリアを含み、第２のセルは、第１のセルとは異なる、１つまたは複数のフレキシブル帯域幅キャリアのうちの１つを含む。いくつかの構成では、第１のセルは、１つまたは複数のフレキシブル帯域幅キャリアのうちの１つを含み、第２のセルは、通常帯域幅キャリアを含む。いくつかの構成では、第１のセルは、１つまたは複数のフレキシブル帯域幅キャリアのうちの１つを含んでよく、第２のセルは、第１のセルとは異なる、１つまたは複数のフレキシブル帯域幅キャリアのうちの１つを含んでよい。いくつかの構成では、第１のセルは、１に等しい帯域幅スケーリング係数を含んでよく、第２のセルは、２または４に等しい帯域幅スケーリング係数を含んでよい。
【００２０】
[0020]いくつかの実施形態は、１つまたは複数のフレキシブル帯域幅キャリアを利用するマルチキャリアシステムにおける間欠受信（ＤＲＸ）のために構成されたワイヤレス通信デバイスを含む。このデバイスは、少なくとも１つのプロセッサを含んでよく、少なくとも１つのプロセッサは、第１のセルのためのＤＲＸサイクルを識別すること、および／または、第２のセルのためのＤＲＸサイクルのための境界が、第１のセルのためのＤＲＸサイクルのための境界と一致するように、第２のセルのためのＤＲＸサイクルのための境界を調整することを行うように構成され得る。少なくとも第１のセルまたは第２のセルは、１つまたは複数のフレキシブル帯域幅キャリアのうちの少なくとも１つを含み得る。
【００２１】
[0021]第１のセルのためのＤＲＸサイクルのための境界と第２のセルのためのＤＲＸサイクルのための境界の両方は、少なくとも開始境界または終了境界を含み得る。第２のセルのためのＤＲＸサイクルの期間は、第１のセルのためのＤＲＸサイクルの期間とは異なり得る。
【００２２】
[0022]少なくとも１つのプロセッサは、第１のセルに対して、監視されるサブフレームの数を増加または減少させるために、第２のセルのためのＤＲＸサイクルの長さを調整するようにさらに構成され得る。少なくとも１つのプロセッサは、第１のセルのためのＤＲＸサイクルの周期性を識別すること、および／または、少なくとも、第１のセルのためのＤＲＸサイクルの周期性と一致するように、もしくは、第１のセルのためのＤＲＸサイクルの周期性に対して、帯域幅スケーリング係数によってスケーリングされるように、第２のセルのためのＤＲＸサイクルの周期性を調整することを行うようにさらに構成され得る。少なくとも１つのプロセッサは、第２のセルのためのＤＲＸサイクルのための境界を調整することを容易にするために、少なくとも１つまたは複数のオフセットまたはサイクル長をユーザ機器（ＵＥ）へ送信すること、および／またはユーザ機器（ＵＥ）において受信することを行うようにさらに構成され得る。少なくとも１つのプロセッサは、第１のセルのための有効化またはアクティベーション遅延に重複する、第２のセルのためのＤＲＸ命令のための最初の割り当てられたサブフレームを無視するようにさらに構成され得る。
【００２３】
[0023]このデバイスのいくつかの実施形態では、第１のセルは、通常帯域幅キャリアを含み、第２のセルは、１つまたは複数のフレキシブル帯域幅キャリアのうちの１つを備える。いくつかの実施形態では、第１のセルは、フレキシブル帯域幅キャリアを含み、第２のセルは、第１のセルとは異なる、１つまたは複数のフレキシブル帯域幅キャリアのうちの１つを含む。いくつかの構成では、第１のセルは、１つまたは複数のフレキシブル帯域幅キャリアのうちの１つを含み、第２のセルは、通常帯域幅キャリアを含む。いくつかの構成では、第１のセルは、１つまたは複数のフレキシブル帯域幅キャリアのうちの１つを含んでよく、第２のセルは、第１のセルとは異なる、１つまたは複数のフレキシブル帯域幅キャリアのうちの１つを含んでよい。いくつかの構成では、第１のセルは、１に等しい帯域幅スケーリング係数を含んでよく、第２のセルは、２または４に等しい帯域幅スケーリング係数を含んでよい。
【００２４】
[0024]上記では、以下の発明を実施するための形態がより良く理解され得るように、本開示による例の特徴および技術的利点についてやや広く概説した。さらなる特徴および利点について、以下で説明する。開示される概念および具体例は、本開示の同じ目的を遂行するための他の構造を変更または設計するための基礎として容易に利用され得る。そのような等価な構成は、添付の特許請求の範囲の趣旨および範囲から逸脱しない。関連する利点とともに、本明細書で開示される概念の編成と動作の方法の両方に関して、それらの概念を特徴づけると考えられる特徴は、添付の図に関連して以下の説明を検討するとより良く理解されよう。図の各々は、例示および説明のみの目的で与えられ、特許請求の範囲の限界を定めるものではない。
【００２５】
[0025]本発明の性質および利点のさらなる理解は、以下の図面を参照して実現され得る。添付の図では、同様の構成要素または特徴は同じ参照ラベルを有する場合がある。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれにも適用可能である。複数の図にわたって異なるアルファベット記述子が後に続く、同じ参照番号は、同じまたは同様の要素または構成要素の異なる（または、等しい）バージョンを示し得る。
【図面の簡単な説明】
【００２６】
【図１】[0026]様々な実施形態によるワイヤレス通信システムのブロック図。
【図２Ａ】[0027]様々な実施形態による、通常波形に適合するのに十分広くないスペクトルの一部分に、スケーラブル帯域幅波形とも呼ばれるフレキシブル帯域幅波形が適合する、ワイヤレス通信システムの一例を示す図。
【図２Ｂ】[0028]様々な実施形態による、フレキシブル帯域幅波形が帯域端の近くのスペクトルの一部分に適合する、ワイヤレス通信システムの一例を示す図。
【図３】[0029]様々な実施形態によるワイヤレス通信システムのブロック図。
【図４Ａ】[0030]様々な実施形態による、異なるスケーリング係数を有する２つのキャリアのＤＲＸタイミング図。
【図４Ｂ】[0031]様々な実施形態による、異なるスケーリング係数を有する２つのキャリアのＤＲＸタイミング図。
【図４Ｃ】[0032]様々な実施形態による、異なるスケーリング係数を有する２つのキャリアのＤＲＸタイミング図。
【図４Ｄ】[0033]様々な実施形態による、異なるスケーリング係数を有する２つのキャリアのＤＲＸタイミング図。
【図４Ｅ】[0034]様々な実施形態による、異なるスケーリング係数を有する２つのキャリアのＤＲＸタイミング図。
【図４Ｆ】[0035]様々な実施形態による、異なるスケーリング係数を有する２つのキャリアのＤＲＸタイミング図。
【図４Ｇ】[0036]様々な実施形態による、異なるスケーリング係数を有する２つのキャリアのＤＲＸタイミング図。
【図４Ｈ】[0037]様々な実施形態による、異なるスケーリング係数を有する２つのキャリアのＤＲＸタイミング図。
【図４Ｉ】[0038]様々な実施形態による、異なるスケーリング係数を有する２つのキャリアのＤＲＸタイミング図。
【図４Ｊ】[0039]様々な実施形態による、異なるスケーリング係数を有する２つのキャリアのＤＲＸタイミング図。
【図５Ａ】[0040]様々な実施形態による、（１つまたは複数の）フレキシブル帯域幅キャリアを利用するマルチキャリアシステムにおける、ＤＲＸシグナリング整合のために構成されたデバイスのブロック図。
【図５Ｂ】[0041]様々な実施形態による、（１つまたは複数の）フレキシブル帯域幅キャリアを利用するマルチキャリアシステムにおける、ＤＲＸシグナリング整合のために構成された別のデバイスのブロック図。
【図６】[0042]様々な実施形態によって構成された通信システムのブロック図。
【図７】[0043]様々な実施形態によって構成されたユーザ機器のブロック図。
【図８】[0044]様々な実施形態による、基地局とユーザ機器とを含むワイヤレス通信システムのブロック図。
【図９Ａ】[0045]様々な実施形態による、（１つまたは複数の）フレキシブル帯域幅キャリアを利用するマルチキャリアシステムにおける、シグナリング整合の方法の流れ図。
【図９Ｂ】[0046]様々な実施形態による、（１つまたは複数の）フレキシブル帯域幅キャリアを利用するマルチキャリアシステムにおける、シグナリング整合の方法の流れ図。
【図９Ｃ】[0047]様々な実施形態による、（１つまたは複数の）フレキシブル帯域幅キャリアを利用するマルチキャリアシステムにおける、シグナリング整合の別の方法の流れ図。
【発明を実施するための形態】
【００２７】
[0048]１つまたは複数のフレキシブル帯域幅キャリアを利用し得るマルチキャリアシステムのための間欠受信（ＤＲＸ）のための方法、システム、およびデバイスが提供される。たとえば、１つもしくは複数の通常帯域幅キャリアと、１つもしくは複数のフレキシブル帯域幅キャリアとを利用し得るマルチキャリアシステム、および／または、複数の異なるフレキシブル帯域幅キャリアを利用し得るシステムにおける、ＤＲＸシグナリングなどに関する、シグナリング整合を保証することを助け得る、ツールおよび技法が提供される。
【００２８】
[0049]ワイヤレス通信システムのためのフレキシブル帯域幅キャリアは、フレキシブル帯域幅波形を利用して、通常波形に適合するのに十分大きくないことがあるスペクトルの部分を利用し得る。フレキシブル帯域幅キャリアを利用するフレキシブル帯域幅システムは、通常帯域幅システムに対してフレキシブル帯域幅システムの時間またはチップレートを膨張させること、またはスケールダウンすることを通して、通常帯域幅システムに対して生成され得る。いくつかの実施形態は、フレキシブル帯域幅システムの時間またはチップレートを拡大、またはスケールアップすることを通して、波形の帯域幅を増大させ得る。
【００２９】
[0050]これらのフレキシブル帯域幅キャリアのうちの１つまたは複数を利用し得るマルチキャリアシステムでは、複数のキャリア間のＤＲＸサイクルの不整合は、電力消費における増大を引き起こし得る。電力消費における増大は、ＤＲＸサイクルが不整合にされ、同じ期間を有しておらず（たとえば、時間の膨張のために、「ウェイクアップ」期間は、Ｎ＝１に対してＮ＝２または４ではより長い）、したがって、受信機が、そうでない場合よりもＤＲＸサイクルごとに長い時間期間にわたってリッスン中であるという事実のためであり得る。これらの問題は、マルチキャリアシステムにおける少なくとも２つのキャリアのためのＤＲＸサイクルを整合させることによって、たとえば、ＤＲＸサイクルの、開始境界および／もしくは終了境界など、少なくとも１つの境界を整合させることによって、または、第１のキャリアおよび第２のキャリアのためのＤＲＸサイクルの周期性を整合させることによって対処され得る。
【００３０】
[0051]１つまたは複数のフレキシブル帯域幅を利用し得るマルチキャリアシステムにおけるＤＲＸサイクル整合のための方法は、第１のセルのためのＤＲＸサイクルを識別することを含み得る。第２のセルのためのＤＲＸサイクルのための開始境界および／または終了境界などの境界は、第２のセルのためのＤＲＸサイクルのための境界が、第１のセルのためのＤＲＸサイクルのための開始境界および／または終了境界などの境界と一致するように、調整され得る。ＤＲＸサイクル整合のための方法は、少なくとも第１のセルまたは第２のセルが少なくとも１つのフレキシブル帯域幅キャリアを含むとき、特に有用であり得る。
【００３１】
[0052]場合によっては、第２のセルのためのＤＲＸサイクルは、第１のセルのＤＲＸサイクルと同じ周期性を有し得る。第２のセルのためのＤＲＸサイクルは、帯域幅スケーリング係数など、整数係数に基づいて、第１のセルのＤＲＸサイクルの周期性に関係付けられた周期性を有し得る。第２のセルのＤＲＸサイクルの周期性は、整数係数によって、第１のセルのＤＲＸサイクルの周期性未満であり得る。たとえば、第１および第２のセルの開始境界および／または終了境界をより良く整合させるために、第２のセルのＤＲＸサイクルの長さを調整することによって、第２のセルのＤＲＸサイクルの周期性を第１のセルと整合させることは、有用であり得る。
【００３２】
[0053]いくつかの実施形態では、第２のセルのためのＤＲＸサイクルの長さを調整することはまた、第１のセルに対して、監視されるサブフレームの数を増加または減少させるためにも使用され得る。場合によっては、少なくとも１つまたは複数のオフセットまたはサイクル長をユーザ機器（ＵＥ）へ送信すること、および／またはユーザ機器（ＵＥ）において受信することは、第２のセルのためのＤＲＸサイクルのための開始境界を調整することをさらに容易にし得る。いくつかの実装形態は、第１および第２のセルのそれぞれのＤＲＸサイクルをより良く整合させるために、第１のセルのための有効化またはアクティベーション遅延に重複する、第２のセルのためのＤＲＸ命令のための最初の割り当てられたサブフレームを無視することを含み得る。
【００３３】
[0054]ＤＲＸのための方法は、３．８４Ｍｃｐｓ（たとえば、Ｎ＝１）など、通常のチップレートをもつプライマリサービング高速ダウンリンク共有チャネル（ＨＳ−ＤＳＣＨセル）と、時間膨張された（time dilated）チップレート＝３．８４／２Ｍｃｐｓ（たとえば、Ｎ＝２）または３．８４／４Ｍｃｐｓ（たとえば、Ｎ＝４）を利用し得る（１つまたは複数の）セカンダリサービングＨＳ−ＤＳＣＨセルとを利用し、またはその逆も同様である、マルチキャリア高速ダウンリンクパケットアクセス（ＨＳＤＰＡ）ネットワークにおいて特に有用であり得る。方法およびシステムは、ダウンリンク間欠受信（ＤＬ  ＤＲＸ）中にユーザ機器（ＵＥ）によって監視される必要があるサブフレームが、プライマリサービングＨＳ−ＤＳＣＨセル（Ｎ＝１であり得る）と、（１つまたは複数の）セカンダリサービングＨＳ−ＤＳＣＨセル（Ｎ＝２またはＮ＝４などである、フレキシブル帯域幅キャリアを利用し得る）との間で、またはその逆も同様に整合され得るように、ＤＬ  ＤＲＸをサポートし得る。
【００３４】
[0055]いくつかの実装形態では、第１のセルは、通常帯域幅キャリアを含んでよく、第２のセルは、１つまたは複数のフレキシブル帯域幅キャリアのうちの１つを含んでよい。他の実装形態では、第１のセルは、フレキシブル帯域幅キャリアを含んでよく、第２のセルは、第１のセルとは異なる、１つまたは複数のフレキシブル帯域幅キャリアのうちの１つを含んでよい。場合によっては、第１のセルのフレキシブル帯域幅は、第２のセルのフレキシブル帯域幅よりも大きくなり得る。
【００３５】
[0056]本明細書で説明されるＤＲＸの方法はまた、第１のセルが１つまたは複数のフレキシブル帯域幅キャリアを含み、第２のセルが通常帯域幅キャリアを含むときも、有益に実施され得る。場合によっては、第１のものは、１つまたは複数のフレキシブル帯域幅キャリアをセル含んでよく、第２のセルは、第１のセルとは異なる１つまたは複数のフレキシブル帯域幅キャリアを含んでよい。場合によっては、第１のセルのフレキシブル帯域幅は、第２のセルのフレキシブル帯域幅未満であり得る。
【００３６】
[0057]さらに他の場合には、本明細書で説明される方法は、第１のセルが１に等しい帯域幅スケーリング係数を含んでよく、第２のセルが２または４に等しい帯域幅スケーリング係数を含んでよい場合に実施され得る。場合によっては、第１のセルは、２または４に等しい帯域幅スケーリング係数を含んでよく、第２のセルは、１に等しい帯域幅スケーリング係数を含んでよい。
【００３７】
[0058]本明細書で説明される技法は、ＣＤＭＡ、ＴＤＭＡ、ＦＤＭＡ、ＯＦＤＭＡ、ＳＣ−ＦＤＭＡ、ピアツーピア、および他のシステムなど、様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００規格と、ＩＳ−９５規格と、ＩＳ−８５６規格とをカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムは、モバイル通信用グローバルシステム（ＧＳＭ（登録商標））などの無線技術を実装し得る。ＯＦＤＭＡシステムまたはＯＦＤＭシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイル電気通信システム（ＵＭＴＳ）の一部である。いくつかのシステムは、高速パケットアクセス（ＨＳＰＡ）を利用し得る。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる組織からの文書に記載されている。ＣＤＭＡ２０００およびＵＭＢは、「第３世代パートナーシッププロジェクト２」（３ＧＰＰ２）と呼ばれる組織からの文書に記載されている。本明細書で説明される技法は、上記のシステムおよび無線技術、ならびに他のシステムおよび無線技術に使用され得る。
【００３８】
[0059]したがって、以下の説明は、例を与えるものであり、特許請求の範囲において記載される範囲、適用性、または構成を限定するものではない。本開示の趣旨および範囲から逸脱することなく、論じられる要素の機能および構成において変更が行われ得る。様々な実施形態は、適宜に様々な手順または構成要素を省略、置換、または追加し得る。たとえば、説明される方法は、説明される順序と異なる順序で実行され得、様々なステップが追加、省略、または組み合わせられ得る。また、いくつかの実施形態に関して説明される特徴は、他の実施形態において組み合わせられ得る。
【００３９】
[0060]最初に図１を参照すると、ブロック図は、様々な実施形態によるワイヤレス通信システム１００の一例を示す。システム１００は、基地局１０５と、ユーザ機器１１５と、基地局コントローラ１２０と、コアネットワーク１３０とを含む（いくつかの実施形態では、コントローラ１２０はコアネットワーク１３０に組み込まれてよく、いくつかの実施形態では、コントローラ１２０は基地局１０５に組み込まれてよい）。システム１００は、複数のキャリア（異なる周波数の波形信号）上での動作をサポートし得る。マルチキャリア送信機は、複数のキャリア上で同時に被変調信号を送信することができる。各被変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであり得る。各被変調信号は、異なるキャリア上で送られ得、制御情報（たとえば、パイロット信号）、オーバーヘッド情報、データなどを搬送し得る。システム１００は、ネットワークリソースを効率的に割り振ることが可能なマルチキャリアＬＴＥネットワークであり得る。
【００４０】
[0061]ユーザ機器１１５は、移動局、ユーザ機器、アクセス端末、加入者ユニットまたはユーザ機器のうちの任意のタイプであってよい。ユーザ機器１１５は、携帯電話とワイヤレス通信デバイスとを含み得るが、携帯情報端末（ＰＤＡ）、スマートフォン、他のハンドヘルドデバイス、ネットブック、ノートブックコンピュータなども含み得る。したがって、ユーザ機器という用語は、任意のタイプのワイヤレスまたはモバイルの通信デバイスを含むように、特許請求の範囲を含めて以下で広く解釈されるべきである。
【００４１】
[0062]本出願全体にわたって、一部のユーザ機器は、フレキシブル帯域幅対応ユーザ機器、フレキシブル帯域幅適合ユーザ機器、および／またはフレキシブル帯域幅ユーザ機器と呼ばれ得る。これは概して、ユーザ機器がフレキシブル対応またはフレキシブル適合であることを意味し得る。一般に、これらのデバイスは、１つまたは複数の通常の無線アクセス技術（ＲＡＴ）に関する通常の機能も可能であり得る。フレキシブル対応またはフレキシブル適合を意味するものとしての、フレキシブルという用語の使用は全般に、コントローラ１２０および／または基地局１０５、または無線アクセスネットワークのためなど、システム１００の他の態様に適用可能であり得る。
【００４２】
[0063]基地局１０５は、基地局アンテナを介してユーザ機器１１５とワイヤレス通信することができる。基地局１０５は、複数のキャリアを介してコントローラ１２０の制御下でユーザ機器１１５と通信するように構成され得る。基地局１０５サイトの各々は、それぞれの地理的エリアに通信カバレージを与えることができる。いくつかの実施形態では、基地局１０５は、ノードＢ、ｅノードＢ、ホームノードＢ、および／またはホームｅノードＢと呼ばれることがある。ここでは、各基地局１０５に対するカバレージエリアは、１１０−ａ、１１０−ｂ、または１１０−ｃとして識別される。基地局に対するカバレージエリアは、セクタ（図示されないが、カバレージエリアの一部分だけを構成する）に分割され得る。システム１００は、異なるタイプの基地局１０５（たとえば、マクロ基地局、マイクロ基地局、フェムト基地局、および／またはピコ基地局）を含み得る。
【００４３】
[0064]様々な実施形態によれば、ユーザ機器１１５、基地局１０５、コアネットワーク１３０、および／またはコントローラ１２０など、システム１００の様々な態様が、フレキシブル帯域幅とフレキシブル波形とを利用するように構成され得る。システム１００は、たとえば、ユーザ機器１１５と基地局１０５との間の送信１２５を示す。送信１２５は、ユーザ機器１１５から基地局１０５へのアップリンクおよび／もしくは逆方向リンク送信、ならびに／または基地局１０５からユーザ機器１１５へのダウンリンクおよび／もしくは順方向リンク送信を含み得る。送信１２５は、フレキシブル／スケーラブル波形および／または通常波形を含み得る。通常波形は、レガシー波形および／または通常波形と呼ばれることもある。
【００４４】
[0065]様々な実施形態によれば、ユーザ機器１１５、基地局１０５、コアネットワーク１３０、および／またはコントローラ１２０など、システム１００の様々な態様が、フレキシブル帯域幅とフレキシブル波形とを利用するように構成され得る。たとえば、システム１００の様々な態様は、通常波形に適合するのに十分大きくないことがあるスペクトルの部分を利用し得る。ユーザ機器１１５、基地局１０５、コアネットワーク１３０、および／またはコントローラ１２０などのデバイスは、フレキシブル帯域幅および／またはフレキシブル波形を生成および／または利用するために、チップレート、拡散率、および／またはスケーリング係数を適合するように構成され得る。システム１００のいくつかの態様は、通常サブシステムの時間に対してフレキシブルサブシステムの時間を膨張させること、またはスケールダウンすることを通して、通常サブシステム（他のユーザ機器１１５および／または基地局１０５を使用して実装され得る）に対して生成され得る、フレキシブルサブシステム（あるユーザ機器１１５および／または基地局１０５など）を形成することができる。
【００４５】
[0066]いくつかの実施形態では、ユーザ機器１１５、基地局１０５、コアネットワーク１３０、および／またはコントローラ１２０など、システム１００の様々な態様は、第１のセルのためのＤＲＸサイクルを識別するように構成され得る。ユーザ機器１１５、基地局１０５、コアネットワーク１３０、および／またはコントローラ１２０など、システム１００の様々な態様は、第２のセルのためのＤＲＸサイクルのための少なくとも１つの境界、たとえば、開始境界および／または終了境界が、第１のセルのためのＤＲＸサイクルのための開始境界および／または終了境界などの境界と一致するように、第２のセルのためのＤＲＸサイクルのための少なくとも１つの境界を調整するように構成され得る。少なくとも第１のセルまたは第２のセルは、１つまたは複数のフレキシブル帯域幅キャリアのうちの少なくとも１つを含み得る。
【００４６】
[0067]図２Ａは、様々な実施形態による、基地局１０５−ａとユーザ機器１１５−ａとを有するワイヤレス通信システム２００−ａの一例を示し、ただし、フレキシブル帯域幅波形２１０−ａは、通常波形２２０−ａに適合するのに十分広くないスペクトルの一部分に適合する。システム２００−ａは、図１のシステム１００の一例であり得る。いくつかの実施形態では、フレキシブル帯域幅波形２１０−ａは、基地１０５−ａおよび／またはユーザ機器１１５−ａのいずれかが送信し得る通常波形２２０−ａと重複し得る。場合によっては、通常波形２２０−ａは、フレキシブル帯域幅波形２１０−ａと完全に重複し得る。いくつかの実施形態は、複数のフレキシブル帯域幅波形２１０も利用し得る。いくつかの実施形態では、別の基地局および／またはユーザ機器（図示せず）は、通常波形２２０−ａおよび／またはフレキシブル帯域幅波形２１０−ａを送信し得る。
【００４７】
[0068]図２Ｂは、基地局１０５−ｂとユーザ機器１１５−ｂとを有するワイヤレス通信システム２００−ｂの一例を示し、ただし、フレキシブル帯域幅波形２１０−ｂは、通常波形２２０−ｂが適合しないことがある、保護帯域であり得る、帯域端の近くのスペクトルの一部分に適合する。システム２００−ｂは、図１のシステム１００の一例であり得る。ユーザ機器１１５−ａ／１１５−ｂおよび／または基地局１０５−ａ／１０５−ｂは、様々な実施形態によれば、フレキシブル帯域幅波形２１０−ａ／２１０−ｂの帯域幅を動的に調整するように構成され得る。
【００４８】
[0069]いくつかの実施形態では、ユーザ機器１１５−ａおよび／もしくは１１５−ｂ、ならびに／または、基地局１０５−ａおよび／もしくは１０５−ｂ  ｂなど、システム２００−ａおよび／または２００−ｂの様々な態様は、第１のセルのためのＤＲＸサイクルを識別するように構成され得る。ユーザ機器１１５−ａおよび／もしくは１１５０−ｂ、ならびに／または、基地局１０５−ａおよび／もしくは１０５−ｂなど、システム２００−ａおよび／または２００−ｂの様々な態様は、第２のセルのためのＤＲＸサイクルのための少なくとも１つの境界、たとえば、開始境界および／または終了境界が、第１のセルのためのＤＲＸサイクルのための開始境界および／または終了境界などの境界と一致するように、第２のセルのためのＤＲＸサイクルのための少なくとも１つの境界を調整するように構成され得る。少なくとも第１のセルまたは第２のセルは、１つまたは複数のフレキシブル帯域幅キャリアのうちの少なくとも１つを含み得る。
【００４９】
[0070]一般に、第１の波形またはキャリア帯域幅と、第２の波形またはキャリア帯域幅とは、少なくとも１％、２％、および／または５％重複するとき、部分的に重複し得る。いくつかの実施形態では、重複が少なくとも１０％であるとき、部分的な重複が起こり得る。いくつかの実施形態では、部分的な重複は、９９％、９８％、および／または９５％未満であり得る。いくつかの実施形態では、重複は９０％未満であり得る。場合によっては、フレキシブル帯域幅波形またはキャリア帯域幅は、別の波形またはキャリア帯域幅内に完全に含まれ得る。この重複は、２つの波形またはキャリア帯域幅が完全に一致するとは限らないので、部分的な重複を依然として反映し得る。一般に、部分的な重複は、２つ以上の波形またはキャリア帯域幅が完全に一致するとは限らないこと（すなわち、キャリア帯域幅が同一ではないこと）を意味し得る。
【００５０】
[0071]いくつかの実施形態は、電力スペクトル密度（ＰＳＤ）に基づく重複の様々な定義を利用し得る。たとえば、ＰＳＤに基づく重複の１つの定義が、第１のキャリアについての次の重複の式において示される。
【００５１】
【数１】
2016521050.tif 000003
【００５２】
この式において、ＰＳＤ1（ｆ）は、第１の波形またはキャリア帯域幅についてのＰＳＤであり、ＰＳＤ2（ｆ）は、第２の波形またはキャリア帯域幅についてのＰＳＤである。この２つの波形またはキャリア帯域幅が一致するとき、重複の式は１００％に等しくなり得る。第１の波形またはキャリア帯域幅と第２の波形またはキャリア帯域幅が少なくとも部分的に重複するとき、重複の式は１００％に等しくならないことがある。たとえば、いくつかの実施形態では、重複の式は、１％、２％、５％、および／または１０％以上の部分的な重複となり得る。いくつかの実施形態では、重複の式は、９９％、９８％、９５％、および／または９０％以下の部分的な重複となり得る。第１の波形またはキャリア帯域幅が通常波形またはキャリア帯域幅であり、第２の波形またはキャリア波形が、通常帯域幅またはキャリア帯域幅内に含まれるフレキシブル帯域幅波形またはキャリア帯域幅である場合、重複の式は、百分率として書かれる、通常帯域幅と比較されたフレキシブル帯域幅の比率を表し得ることに、留意することができる。さらに、重複の式は、重複の式がどのキャリア帯域幅の観点に関して定式化されるかに依存し得る。いくつかの実施形態は、重複の他の定義を利用し得る。場合によっては、別の重複が、次のような平方根演算を利用して定義され得る。
【００５３】
【数２】
2016521050.tif 000004
【００５４】
他の実施形態は、複数の重複するキャリアを考慮し得る、他の重複の式を利用することができる。
【００５５】
[0072]図３は、様々な実施形態による、基地局１０５−ｃとユーザ機器１１５−ｃとを有するワイヤレス通信システム３００を示す。ユーザ機器１１５−ｃおよび／または基地局１０５−ｃなど、システム３００の様々な態様は、１つまたは複数のフレキシブル帯域幅キャリアを含む複数のキャリアを利用し得るシステム３００におけるＤＲＸのために構成され得る。
【００５６】
[0073]ユーザ機器１１５−ｃと基地局１０５−ａとの間の送信３０５−ａおよび／または３０５−ｂは、通常波形、および／または、通常波形よりも少量の（または多量の）帯域幅を占有するように生成され得るフレキシブル帯域幅波形を利用し得る。たとえば、帯域端において、通常波形を配置するのに十分な利用可能なスペクトルがないことがある。フレキシブル帯域幅波形では、時間が膨張されるにつれて、波形によって占有される周波数が減少するので、通常波形に適合するのに十分広くない可能性があるスペクトルにフレキシブル帯域幅波形を適合させることが可能になる。いくつかの実施形態では、フレキシブル帯域幅波形は、通常波形に対してスケーリング係数Ｎを利用してスケーリングされ得る。スケーリング係数Ｎは、限定はされないが、１、２、３、４、８などの整数値を含む、多数の異なる値をとり得る。ただし、Ｎは、整数である必要はない。場合によっては、送信３０５−ａは、プライマリサービングセルに関するものであってよく、送信３０５−ｂは、セカンダリサービングセルに関するものであってよい。
【００５７】
[0074]ユーザ機器１１５−ｃおよび／または基地局１０５−ｃなど、システム３００の様々な態様は、プライマリサービングセルであり得る、第１のセルのためのＤＲＸサイクルを識別するために構成され得る。ユーザ機器１１５−ｃおよび／または基地局１０５−ｃは、セカンダリサービングセルであり得る、第２のセルのためのＤＲＸサイクルのためのそのような開始境界および／または終了境界の境界が、第１のセルのためのＤＲＸサイクルのための開始境界および／または終了境界などの境界と一致するように、第２のセルのためのＤＲＸサイクルのための境界を調整し得る。少なくとも第１のセルまたは第２のセルは、１つまたは複数のフレキシブル帯域幅キャリアのうちの少なくとも１つを含み得る。いくつかの実施形態では、第２のセルのためのＤＲＸサイクルの期間は、第１のセルのためのＤＲＸサイクルの期間とは異なり得る。
【００５８】
[0075]いくつかの実施形態では、ユーザ機器１１５−ｃおよび／または基地局１０５−ｃは、第１のセルのためのＤＲＸサイクルの周期性を識別するために構成され得る。第２のセルのためのＤＲＸサイクルの周期性は、たとえば、ユーザ機器１１５−ｃおよび／または基地局１０５−ｃによって、少なくとも、第１のセルのためのＤＲＸサイクルの周期性と一致するように、または、第１のセルのためのＤＲＸサイクルの周期性に対して、帯域幅スケーリング係数によってスケーリングされるように調整され得る。
【００５９】
[0076]いくつかの実施形態では、ユーザ機器１１５−ｃおよび／または基地局１０５−ｃは、第１のセルに対して、監視されるサブフレームの数を増加または減少させるために、第２のセルのためのＤＲＸサイクルの長さを調整するために構成され得る。いくつかの実施形態は、第２のセルのためのＤＲＸサイクルのための、開始およびまたは終了境界を含み得る境界を調整することを容易にするために、少なくとも１つまたは複数のオフセットまたはサイクル長を、ユーザ機器１１５−ｃへ送信すること、および／またはユーザ機器１１５−ｃにおいて受信することをさらに含み得る。いくつかの実施形態では、ユーザ機器１１５−ｃおよび／または基地局１０５−ｃは、複数のキャリア間のＤＲＸサイクル整合をさらに可能にするために、第１のセルのための有効化またはアクティベーション遅延に重複する、第２のセルのためのＤＲＸ命令のための最初の割り当てられたサブフレームを無視し得る。
【００６０】
[0077]いくつかの実施形態では、送信３０５−ａは、１つまたは複数のフレキシブル帯域幅キャリアのうちの１つを含んでよく、送信３０５−ｂは、通常帯域幅キャリアを含んでよい。いくつかの実施形態では、送信３０５−ａは、１つまたは複数のフレキシブル帯域幅キャリアのうちの１つを含んでよく、送信３０５−ｂは、第１のセルとは異なる、１つまたは複数のフレキシブル帯域幅キャリアのうちの１つを含んでよい。
【００６１】
[0078]いくつかの実施形態では、送信３０５−ａは、１に等しい帯域幅スケーリング係数を含んでよく、送信３０５−ｂは、２または４に等しい帯域幅スケーリング係数を含んでよい。他の実施形態では、送信３０５−ａは、２または４に等しい帯域幅スケーリング係数を含んでよく、送信３０５−ｂは、１に等しい帯域幅スケーリング係数を含んでよい。いくつかの実施形態では、送信３０５−ａは、２または４に等しい帯域幅スケーリング係数を含んでよく、送信３０５−ｂは、２または４に等しい帯域幅スケーリング係数を含んでよい。
【００６２】
[0079]システム３００は、３．８４Ｍｃｐｓ（たとえば、Ｎ＝１）など、通常のチップレートをもつプライマリサービング高速ダウンリンク共有チャネル（ＨＳ−ＤＳＣＨセル）と、時間膨張されたチップレート＝３．８４／２Ｍｃｐｓ（たとえば、Ｎ＝２）または３．８４／４Ｍｃｐｓ（たとえば、Ｎ＝４）を利用し得る（１つまたは複数の）セカンダリサービングＨＳ−ＤＳＣＨセルとを利用し得、またはその逆も同様である、マルチキャリア高速ダウンリンクパケットアクセス（ＨＳＤＰＡ）ネットワークの一例であり得る。提供されるツールおよび技法は、ダウンリンク間欠受信（ＤＬ  ＤＲＸ）中にユーザ機器（ＵＥ）によって監視される必要があり得るサブフレームが、プライマリサービングＨＳ−ＤＳＣＨセル（Ｎ＝１であり得る）と、（１つまたは複数の）セカンダリサービングＨＳ−ＤＳＣＨセル（Ｎ＝２またはＮ＝４などである、フレキシブル帯域幅キャリアを利用し得る）との間で、またはその逆も同様に整合され得るように、ＤＬ  ＤＲＸをサポートし得る。
【００６３】
[0080]いくつかの実施形態は、追加の用語を利用し得る。新しい単位Ｄが利用され得る。単位Ｄは、膨張されたものである。この単位は、無名数（unitless）であり、Ｎの値を有する。「膨張された時間（dilated time）」に関して、フレキシブルシステムにおける時間について語ることができる。たとえば、通常時間においてたとえば１０ｍｓのスロットは、フレキシブル時間では１０Ｄｍｓと表され得る（注意：通常時間であっても、これは、通常時間でＮ＝１なので真であり、Ｄは１の値を有し、したがって１０Ｄｍｓ＝１０ｍｓである）。時間スケーリングにおいて、ほとんどの「秒」を「膨張秒（dilated-second）」で置き換えることができる。ヘルツ単位の周波数は１／ｓであることに留意されたい。
【００６４】
[0081]上記で説明されたように、フレキシブル帯域幅波形またはスケーラブル帯域幅波形は、通常波形よりも少量の帯域幅を占有する波形であり得る。したがって、フレキシブル帯域幅システムでは、同数のシンボルおよびビットが、通常帯域幅システムと比較してより長い持続時間にわたって送信され得る。このことは、時間伸張を生じ得、それによって、スロット持続時間、フレーム持続時間などが、スケーリング係数Ｎだけ増加し得る。スケーリング係数Ｎは、通常帯域幅とフレキシブル帯域幅（ＢＷ）の比を表し得る。したがって、フレキシブル帯域幅システムにおけるデータレートは（通常レート×１／Ｎ）に等しくなり得るとともに、遅延は（通常遅延×Ｎ）に等しくなり得る。一般に、フレキシブルシステムチャネルＢＷ＝通常システムのチャネルＢＷ／Ｎである。遅延×ＢＷは不変のままであり得る。さらに、いくつかの実施形態では、フレキシブル帯域幅波形は、通常波形よりも多くの帯域幅を占有する波形であり得る。スケーリング係数Ｎはまた、帯域幅スケーリング係数と呼ばれることもある。
【００６５】
[0082]本明細書全体にわたって、通常システム、通常サブシステム、および／または通常波形という用語は、１に等しくなり得るスケーリング係数（たとえば、Ｎ＝１）または通常もしくは標準チップレートを利用し得る実施形態を伴うシステム、サブシステム、および／または波形を指すために利用され得る。これらの通常システム、通常サブシステム、および／または通常波形は、標準および／もしくはレガシーシステム、標準および／もしくはレガシーサブシステム、ならびに／または標準および／もしくはレガシー波形と呼ばれることもある。さらに、フレキシブルシステム、フレキシブルサブシステム、および／またはフレキシブル波形は、１に等しくないことがあるスケーリング係数（たとえば、Ｎ＝２、４、８、１／２、１／４など）を利用し得る実施形態を伴うシステム、サブシステム、および／または波形を指すために利用され得る。Ｎ＞１では、またはチップレートが低下した場合、波形の帯域幅は減少し得る。いくつかの実施形態は、帯域幅を増大させるスケーリング係数またはチップレートを利用し得る。たとえば、Ｎ＜１である場合、またはチップレートが上昇した場合、波形は通常波形よりも広い帯域幅をカバーするように拡大され得る。いくつかの実施形態は、いくつかの実施形態におけるチップレートを変更するために、チップレート除数（Ｄｃｒ）を利用し得る。フレキシブルシステム、フレキシブルサブシステム、および／またはフレキシブル波形は、場合によっては、スケーラブルシステム、スケーラブルサブシステム、および／またはスケーラブル波形と呼ばれることもある。フレキシブルシステム、フレキシブルサブシステム、および／またはフレキシブル波形は、場合によっては、フラクショナルシステム、フラクショナルサブシステム、および／またはフラクショナル波形と呼ばれることもある。フラクショナルシステム、フラクショナルサブシステム、および／またはフラクショナル波形は、たとえば、帯域幅を変更することも変更しないこともある。フラクショナルシステム、フラクショナルサブシステム、またはフラクショナル波形は、それが通常もしくは標準システム、通常もしくは標準サブシステム、または通常もしくは標準波形（たとえば、Ｎ＝１システム）よりも多くの可能性を提供し得るので、フレキシブルであり得る。さらに、フレキシブルという用語の使用はまた、フレキシブル帯域幅に対応することを意味するために利用され得る。
【００６６】
[0083]次に図４Ａ〜図４Ｊを参照すると、ＤＲＸタイミング図は、様々な実施形態による、１つまたは複数のフレキシブル帯域幅キャリアを利用するマルチキャリアシステムにおいて、ＤＲＸ機能を各々が含む構成４００−ａと、４００−ｂと、４００−ｃと、４００−ｄと、４００−ｅと、４００−ｆと、４００−ｇと、４００−ｈと、４００−ｉと、４００−ｊとを含む、複数の構成４００を示す。ＤＲＸタイミング図は、図１、図２Ａ、図２Ｂ、および図３の基地局１０５、図１、図２Ａ、図２Ｂ、図３のユーザ機器１１５、ならびに／または、図１のコントローラ１２０／コアネットワーク１３０のうちの、全部または一部を含む様々なワイヤレスエンティティによって実装された、ＤＲＸシグナリング整合など、ＤＲＸ方法の例であり得る。図４Ａ〜図４Ｊの間の共通の態様について全般的に説明し、各図の詳細について、次いで別個に説明する。
【００６７】
[0084]いくつかの実施形態では、構成４００は、高速ダウンリンクパケットアクセス（ＨＳＤＰＡ）を利用するワイヤレス通信システムにおいて実装され得る。高速ダウンリンク共有チャネル（ＨＳ−ＤＳＣＨ）など、プライマリサービングセル４０５は、Ｎ＝１のスケーリング係数を有し得る。同じくＨＳ−ＤＳＣＨセルであり得る、セカンダリサービングセル４１０は、Ｎ＝２またはＮ＝４のスケーリング係数を有し得る。反対に、いくつかの実施形態では、プライマリサービングセル４０５が、Ｎ＝２またはＮ＝４のスケーリング係数を有してよく、セカンダリサービングセル４１０が、Ｎ＝１のスケーリング係数を有してよい。
【００６８】
[0085]いくつかの実施形態では、プライマリサービングセル４０５は、高速共有制御チャネル（ＨＳ−ＳＣＣＨ）４０６および／または高速物理ダウンリンク共有チャネル（ＨＳ−ＰＤＳＣＨ）４０７など、複数のチャネルを含み得る。１フレームの長さであり得、ＲＲＣシグナリングを介して有効にされ得る、アクティベーションまたは有効化遅延４１５の後、ＵＥ１１５は、たとえば次のフレームにおいて、ＵＥ  ＤＲＸサイクル４２０など、１つまたは複数のＤＲＸサイクル中に、１つまたは複数のリソース許可を含むページング情報などのために、ＨＳ−ＳＣＣＨ４０６および／またはＨＳ−ＰＤＳＣＨ４０７にわたる通信を連続的にリッスンし得る。各ＵＥ  ＤＲＸサイクル４２０は、４サブフレームの長さ、または任意の他の好適な長さであり得る。場合によっては、各ＵＥ  ＤＲＸサイクル４２０は、８サブフレームの長さであり得る。ＵＥ１１５は、ＨＳ−ＳＣＣＨ  ＤＲＸバースト４２５を受信することができ、ＨＳ−ＳＣＣＨ  ＤＲＸバースト４２５の受信の完了時に、ＵＥ  ＤＲＸサイクル４２０のための非アクティビティしきい値４３０が開始し得る。いくつかの実施形態では、非アクティビティしきい値４３０は、８サブフレームの長さであり得る。他の実施形態では、ＵＥ  ＤＲＸサイクル４２０のための非アクティビティしきい値は、４サブフレームの長さであり得る。ＨＳ−ＳＣＣＨ  ＤＲＸバースト４２５の完了後、および非アクティビティしきい値４３０中に、ＵＥ１１５はまた、１つまたは複数のＨＳ−ＳＣＣＨバースト４３５、４３７を受信し得る。場合によっては、１つまたは複数のＨＳ−ＳＣＣＨバースト４３５、４３７の各々の送信／受信の完了時に、各々が同様の長さの非アクティビティしきい値４３１、４３２、４３３が再開され得る。結果として、ＵＥ１１５は、どのようなバーストがＨＳ−ＳＣＣＨ４０６上で受信されるかに応じて、様々な時間の長さ４４０、４４１にわたって、ＨＳ−ＳＣＣＨ４０６を連続的に監視し得る。ＨＳ−ＳＣＣＨ４０６にわたるシグナリングのいかなる受信もなしに、非アクティビティしきい値４３２全体を通過すると、連続的なＨＳ−ＳＣＣＨ監視の長さ４４０が終了してよく、ＵＥ１１５は、ＨＳ−ＳＣＣＨ４０６を連続的に監視することを停止し得る。
【００６９】
[0086]いくつかの実施形態では、ＵＥ１１５は、非アクティビティしきい値４３２の満了後、ＤＲＸサイクル４２０中など、ＵＥ１１５がＨＳ−ＳＣＣＨ４０６を連続的に監視中でないとき、たとえば、各々１サブフレーム続く、１つまたは複数の必要とされた非アクティブＨＳ−ＳＣＣＨ  ＤＲＸバースト４４５を監視し得る。いくつかの実施形態では、ＵＥ１１５は、あらゆるＵＥ  ＤＲＸサイクル４２０ごとに１回、必要とされた非アクティブＨＳ−ＳＣＣＨ  ＤＲＸバースト４４５を監視し得る。ＵＥ１１５は、別のＨＳ−ＳＣＣＨ  ＤＲＸバースト４２７または別のＨＳ−ＳＣＣＨバーストを受信するまで、あらゆるＵＥ  ＤＲＸサイクル４２０ごとに１回、必要とされた非アクティブＨＳ−ＳＣＣＨ  ＤＲＸバースト４４５を監視し続け得る。別のバーストを完全に受信すると、ＵＥは、非アクティビティしきい値タイマー４３３を再びアクティベートし得る。いくつかの実施形態では、非アクティビティしきい値タイマー４３３の満了時に、ＨＳ−ＳＣＣＨ４０６を連続的に監視する期間４４１が終了してよく、ＵＥは、ＨＳ−ＳＣＣＨ４０６にわたる送信のためのサブフレームを不連続的に監視することに再び戻り得る。
【００７０】
[0087]いくつかの実施形態では、ＨＳ−ＰＤＳＣＨ４０７は、ＨＳ−ＳＣＣＨ４０６上で、バースト４２５、４２７、４３５、および／または４３６など、対応するバーストの後ろで、たとえば、１．３３ｍｓに相当し得る２スロットだけ、わずかに遅延され得る、１つまたは複数のＨＳ−ＰＤＳＣＨバースト４５０を搬送し得る。
【００７１】
[0088]いくつかの実施形態では、セカンダリサービングセル４１０は、高速共有制御チャネル（ＨＳ−ＳＣＣＨ）４１１および／または高速物理ダウンリンク共有チャネル（ＨＳ−ＰＤＳＣＨ）４１２など、複数のチャネルを含み得る。ＵＥ１１５は、たとえば、第２のフレームＣＦＮ６１において、１つまたは複数のＤＲＸサイクル４２１中に、１つまたは複数のリソース許可を含むページング情報などのために、ＨＳ−ＳＣＣＨ４１１および／またはＨＳ−ＰＤＳＣＨ４１２にわたる通信を連続的にリッスンし得る。各ＤＲＸサイクル４２１は、たとえば、４もしくは８サブフレームの長さ、または任意の他の好適な長さであり得る。ＵＥ１１５は、ＤＲＸサイクル４２１中に、ＨＳ−ＳＣＣＨ  ＤＲＸバースト４２６、４２８、４３６、４３、４４６を受信し得る。いくつかの実施形態では、ＤＲＸサイクル４２１は、セカンダリサービングセル４１０の周期性をプライマリサービングセル４０５の周期性と整合させるために、帯域幅スケーリング係数によってなど、整数係数によって、スケールダウンまたはスケールアップされ得る。
【００７２】
[0089]いくつかの実施形態では、ＨＳ−ＳＣＣＨ  ＤＲＸバースト４２６の完了後、ＵＥ１１５はまた、１つまたは複数のＨＳ−ＳＣＣＨバースト４３６、４３８を受信し得る。場合によっては、ＵＥ１１５は、どのようなバーストがＨＳ−ＳＣＣＨ４１１上で受信されるかに応じて、様々な時間の長さ４４０、４４１にわたって、ＨＳ−ＳＣＣＨ４１１を連続的に監視し得る。バーストの受信のない、プライマリサービングセル４０５のＨＳ−ＳＣＣＨ４０６上の非アクティビティしきい値４３０、４３１、４３２、４３３の通過は、さらなるバーストについて、ＨＳ−ＳＣＣＨ４１１の不連続的な監視をトリガし得る。
【００７３】
[0090]いくつかの実施形態では、ＵＥ１１５は、ＨＳ−ＳＣＣＨ４０６上の非アクティビティしきい値４３０、４３１、４３２、４３３の満了後、ＤＲＸサイクル４２１中など、ＵＥ１１５がＨＳ−ＳＣＣＨ４１１を連続的に監視中でないとき、たとえば、各々１サブフレーム続く、１つまたは複数の必要とされた非アクティブＨＳ−ＳＣＣＨ  ＤＲＸバースト４４６を監視し得る。いくつかの実施形態では、ＵＥ１１５は、あらゆるＤＲＸサイクル４２１ごとに１サブフレームにわたって、必要とされた非アクティブＨＳ−ＳＣＣＨ  ＤＲＸバースト４４６を監視し得る。ＵＥ１１５は、別のＨＳ−ＳＣＣＨ  ＤＲＸバースト４２８または別のＨＳ−ＳＣＣＨバーストを受信するまで、あらゆるＤＲＸサイクル４２１ごとに１サブフレームにわたって、必要とされた非アクティブＨＳ−ＳＣＣＨ  ＤＲＸバースト４４６を監視し続け得る。
【００７４】
[0091]いくつかの実施形態では、ＨＳ−ＰＤＳＣＨ４１２は、ＨＳ−ＳＣＣＨ４１１上で、バースト４２６、４２８、４３６、および／または４３８など、対応するバーストの後ろで、たとえば、２．６７ｍｓに相当し得る２つの膨張されたスロットだけ、わずかに遅延され得る、１つまたは複数のＨＳ−ＰＤＳＣＨバースト４５１を搬送し得る。
【００７５】
[0092]以下の実施形態では、ＵＥ  ＤＲＸサイクル４２０は、ＵＥ中止送信（ＤＴＸ）サイクルの整数の倍数または除数であり得ると仮定され得るが、請求される主題はそのように限定されない。以下の方法、システム、およびデバイスは、ＵＥ  ＤＴＸサイクルの他の構成のために実装され得る。さらに、場合によっては、ＵＥ  ＤＴＸ  ＤＲＸオフセットは、たとえば、現在の規格および慣例を用いた実装の容易のために、以下の関係を満たすものであると仮定され得る。
【００７６】
【数３】
2016521050.tif 000005
【００７７】
ただし、請求される主題は、そのように限定されるべきではない。
【００７８】
[0093]以下でさらに詳述される実施形態では、複数のキャリアが、異なる帯域幅スケーリング係数を有して実装されるとき、ＤＲＸ不整合が起こり得る。プライマリサービングセル４０５など、第１のキャリア上の１つまたは複数の必要とされた非アクティブＨＳ−ＳＣＣＨ  ＤＲＸバースト４４５を、セカンダリサービングセル４１０など、第２のキャリア上のそれらの必要とされた非アクティブＨＳ−ＳＣＣＨ  ＤＲＸバースト４４６に整合させるために、このＤＲＸ不整合問題を緩和するための方法を含む、ＤＲＸのための方法が、本明細書で提供される。
【００７９】
[0094]詳細には、図４Ａは、プライマリサービングセル４０５について、Ｎ＝１、および、セカンダリサービングセル４１０について、Ｎ＝２である、構成４００−ａを示す。標準ＤＲＸパターン、すなわち、Ｎ＝１は、以下によって記載され得る。
【００８０】
【数４】
2016521050.tif 000006
【００８１】
ただし、
【００８２】
【数５】
2016521050.tif 000007
【００８３】
プライマリサービングセル４０５がＮ＝１の帯域幅スケーリング係数を有し、セカンダリサービングセル４１０がＮ＝２（または、図４Ｂを参照して以下で説明されるように、４）の帯域幅スケーリング係数を有するときなど、場合によっては、フレキシブルＤＲＸパターン、たとえば、Ｎ＝１、２、または４は、以下によって記載され得る。
【００８４】
【数６】
2016521050.tif 000008
【００８５】
ただし、Ｎ＝１、２、または４であり、および
【００８６】
【数７】
2016521050.tif 000009
【００８７】
【数８】
2016521050.tif 000010
【００８８】
【数９】
2016521050.tif 000011
【００８９】
ただし、Ｆｌｏｏｒ（ｘ）は、ｘよりも大きくない最大の整数である（たとえば、Ｆｌｏｏｒ（３．５）＝３）。
【００９０】
[0095]いくつかの実施形態では、式（６）および（６ａ）によれば、セカンダリサービングセル４１０について、ＨＳ−ＳＣＣＨ４１１上の、示されるように２で除算される、ＤＲＸサイクル４２１は、プライマリサービングセル４０５のためのＵＥ  ＤＲＸサイクル４２０に等しい。セカンダリサービングセル４１０のＨＳ−ＳＣＣＨ４１１にわたるＤＲＸサイクル４２１を２で除算し、次いで、式（６）および（６ａ）によって表された床関数を呼び出すことによって、ＤＲＸサイクル整合が実現され得る。たとえば、ＤＲＸサイクル４２１を２で除算し、次いで、床関数を呼び出すと、プライマリサービングセル４０５のＨＳ−ＳＣＣＨ４０６にわたる、必要とされた非アクティブＨＳ−ＳＣＣＨ  ＤＲＸバースト４４５の各々が、セカンダリサービングセル４１０のＨＳ−ＳＣＣＨ４１１にわたる、必要とされた非アクティブＨＳ−ＳＣＣＨ  ＤＲＸバースト４４６と同時に開始／それと整合し得るように、セカンダリサービングセル４１０の周期性が、プライマリサービングセル４０５の周期性と整合され得る。いくつかの実施形態では、必要とされた非アクティブＨＳ−ＳＣＣＨ  ＤＲＸバースト４４５および必要とされた非アクティブＨＳ−ＳＣＣＨ  ＤＲＸバースト４４６の終了時間は、同様の方法（図示せず）で整合され得る。これは、以下によってさらに表され得る。
【００９１】
【数１０】
2016521050.tif 000012
【００９２】
【数１１】
2016521050.tif 000013
【００９３】
ただし、式（７）によって表された床関数は、ＵＥ  ＤＲＸサイクルN=1＝５の場合のみ、ＵＥ  ＤＲＸサイクルについて必要とされ得る。
【００９４】
[0096]そのような方法で第２のサービングセル４０５を構成することによって、ＤＲＸ受信のための「オフ時間」、たとえば、様々な時間の長さ４４０および４４１にわたるＨＳ−ＳＣＣＨ４１１の連続監視の間の時間は、プライマリサービングセル４０５  ＨＳ−ＳＣＣＨ４０６と整合され得る。いくつかの実施形態では、ＵＥ  ＤＲＸサイクル４２０は、５に等しくないことがあり、これは、プライマリサービングＨＳ−ＤＳＣＨセル４０５およびセカンダリサービングＨＳ−ＤＳＣＨセル４１０における、必要とされた非アクティブＨＳ−ＳＣＣＨ  ＤＲＸバースト４４５と必要とされた非アクティブＨＳ−ＳＣＣＨ  ＤＲＸバースト４４６との間の周期的な不整合を生じ得るからである。
【００９５】
[0097]いくつかの実施形態では、ＵＥ  ＤＲＸサイクル４２０に対応し得る、ＵＥ  ＤＴＸ  ＤＲＸ  ＯＦＦＳＥＴN=2およびＵＥ  ＤＲＸサイクルN=2のための値は、ＲＲＣシグナリングを介して、ＵＥ１１５へ送信／ＵＥ１１５によって受信されてよく、有効化遅延期間４１５の終了までアクティベートされなくてよい。これらの値は、ＤＲＸ整合のためのオフセット値とサイクル長とを表し得る。場合によっては、これらの値は、帯域幅スケーリング係数Ｎ＝２を有する、セカンダリサービングセル４１０など、異なる帯域幅スケーリング係数を有する他のセルについて、適切にスケーリングされ得る。これらの値はまた、Ｎ＝４をもつ、以下で説明されるような、図４Ｂのセカンダリサービングセル４１０−ａなど、異なる帯域幅スケーリング係数を有する他のセルについても、適切にスケーリングされ得る。
【００９６】
[0098]いくつかの実施形態では、セカンダリサービングセル４１０のためのＤＲＸサイクル４２１の長さを調整することは、プライマリサービングセル４０５に対して、監視されるサブフレームの数の増加または減少のいずれかを生じ得る。
【００９７】
[0099]いくつかの実施形態では、セカンダリサービングセル４１０上のＨＳ−ＳＣＣＨ４１１−ａの床ＤＲＸサイクル４２１を、プライマリサービングセル４０５に対するセカンダリサービングセルの帯域幅スケーリング係数で除算し、次いで、関連する床関数を呼び出すことは、ＨＳ−ＳＣＣＨ  ＤＲＸバースト４２５およびＨＳ−ＳＣＣＨ  ＤＲＸバースト４２６、ＨＳ−ＳＣＣＨ  ＤＲＸバースト４２７およびＨＳ−ＳＣＣＨ  ＤＲＸバースト４２８、ならびに／または、ＨＳ−ＳＣＣＨバーツ４３６および４３８とともにＨＳ−ＳＣＣＨバースト４３５および４３７など、ＨＳ−ＳＣＣＨ４０６およびＨＳ−ＳＣＣＨ４１１にわたる他のバーストをさらに整合させ得る。
【００９８】
[0100]場合によっては、ＨＳ−ＳＣＣＨ４０６が、プライマリサービングセル４０５を介してＵＥ１１５へ送信される場合、または、ＨＳ−ＳＣＣＨ４０６とＨＳ−ＳＣＣＨ４１１の両方がＵＥ１１５へ送信される場合、ＨＳ−ＳＣＣＨ  ＤＲＸバースト４２５、４２７および／またはＨＳ−ＳＣＣＨバースト４３５、４３７が、ＨＳ−ＳＣＣＨ４０６を介してＵＥ１１５によって受信された後、ＨＳ−ＳＣＣＨ４０６サブフレームにおいて、非アクティビティタイマー４３０、４３１、４３２、および／または４３３を開始することが有益であり得る。他の場合には、ＨＳ−ＳＣＣＨ４１１のみがＵＥ１１５へ送信される場合、ＨＳ−ＳＣＣＨ  ＤＲＸバースト４２６、４２８および／またはＨＳ−ＳＣＣＨバースト４３６、４３８が、ＨＳ−ＳＣＣＨ４１１を介してＵＥ１１５によって受信された後、ＨＳ−ＳＣＣＨ４０６サブフレームにおいて、４３０、４３１、４３２、および／または４３３などの非アクティビティタイマーを開始することが有益であり得る。
【００９９】
[0101]代替実施形態では、ＵＥ  ＤＲＸサイクル４２０およびＤＲＸサイクル４２１のための２つの別個の非アクティビティタイマーが実装されてよく、たとえば、プライマリサービングセル４０５のためのＨＳ−ＳＣＣＨ４０６上のもの、および、セカンダリサービングセル４１０上のＨＳ−ＳＣＣＨ４１１上のものである。
【０１００】
[0102]次に図４Ｂを参照すると、タイミング図は、プライマリサービングセル４０５−ａについて、Ｎ＝１、および、セカンダリサービングセル４１０−ａについて、Ｎ＝４である、構成４００−ｂを示す。場合によっては、ＵＥ  ＤＲＸサイクル４２０−ａは、８サブフレームの長さであり得る。セカンダリサービングセル４１０−ａについて、ＨＳ−ＳＣＣＨ４１１−ａ上のＤＲＸサイクル４２１−ａは、ＵＥ  ＤＲＸサイクル４２０−ｃと同じサブフレーム長（８サブフレーム）であるが、セカンダリサービングセル４１０−ａは、４の帯域幅スケーリング係数によってセル４０５−ａに対して膨張されるので、ＤＲＸサイクル４２１−ａは、プライマリサービングセル４０５−ａのＵＥ  ＤＲＸサイクル４２０−ａに対して時間的に４倍の長さである。セカンダリサービングセル４１０−ａのＨＳ−ＳＣＣＨ４１１にわたるＤＲＸサイクル４２１−ａを４で除算し、次いで関連する床関数を呼び出すことによって、ＤＲＸサイクル整合が実現され得る。たとえば、ＤＲＸサイクル４２１−ａを４で除算し、次いで、関連する床関数を呼び出すと、プライマリサービングセル４０５−ａのＨＳ−ＳＣＣＨ４０６−ａにわたる、必要とされた非アクティブＨＳ−ＳＣＣＨ  ＤＲＸバースト４４５−ａの各々が、セカンダリサービングセル４１０−ａのＨＳ−ＳＣＣＨ４１１−ａにわたる、必要とされた非アクティブＨＳ−ＳＣＣＨ  ＤＲＸバースト４４６−ａと同時に開始および／または終了し得る／それと整合し得るように、セカンダリサービングセル４１０−ａの周期性が、プライマリサービングセル４０５−ａの周期性と整合され得る。これは、以下によって表され得る。
【０１０１】
【数１２】
2016521050.tif 000014
【０１０２】
【数１３】
2016521050.tif 000015
【０１０３】
ただし、ＵＥ  ＤＲＸサイクルN=1はまた、÷４ではなく÷２されてもよく、
および、ただし、式（９）によって表された床関数は、ＵＥ  ＤＲＸサイクルN=1＝５または１０の場合のみ、ＵＥ  ＤＲＸサイクルについて必要とされ得る。
【０１０４】
[0103]そのような方法で第２のサービングセル４０５−ａを構成することによって、ＤＲＸ受信のための「オフ時間」、たとえば、様々な時間の長さ４４０−ａおよび４４１−ａにわたるＨＳ−ＳＣＣＨ４１１−ａの連続監視の間の時間は、プライマリサービングセル４０５−ａ  ＨＳ−ＳＣＣＨ４０６−ａと整合され得る。いくつかの実施形態では、ＵＥ  ＤＲＸサイクル４２０−ａは、５よりも大きく（に等しくなく）、および１０に等しくないことがあり、その理由は、これらの場合のいずれも、式（１）および／または（４）において表された仮定に基づいて、プライマリサービングＨＳ−ＤＳＣＨセル４０５−ａおよびセカンダリサービングＨＳ−ＤＳＣＨセル４１０−ａにおける、必要とされた非アクティブＨＳ−ＳＣＣＨ  ＤＲＸバースト４４５−ａと必要とされた非アクティブＨＳ−ＳＣＣＨ  ＤＲＸバースト４４６−ａとの間の周期的な不整合を生じ得るからである。場合によっては、ＵＥ  ＤＲＸサイクル４２０−ａはまた、４に等しくないこともあり、その理由は、このことが、そのセルが４の帯域幅スケーリング係数を有するとき、セカンダリサービングセル４１０−ａのためのＤＲＸがないことになり得るからである。
【０１０５】
[0104]いくつかの実施形態では、ＵＥ  ＤＲＸサイクル４２０−ａに対応し得る、ＵＥ  ＤＴＸ  ＤＲＸ  ＯＦＦＳＥＴN=4およびＵＥ  ＤＲＸサイクルN=4のための値は、ＲＲＣシグナリングを介して、ＵＥ１１５へ送信／ＵＥ１１５によって受信されてよく、場合によっては有効化遅延期間４１５−ａの終了までアクティベートされない。これらの値は、ＤＲＸ整合のためのオフセット値とサイクル長とを表し得る。場合によっては、これらの値は、帯域幅スケーリング係数Ｎ＝４を有する、セカンダリサービングセル４１０−ａなど、異なる帯域幅スケーリング係数を有する他のセルについて、適切にスケーリングされ得る。
【０１０６】
[0105]いくつかの実施形態では、セカンダリサービングセル４１０−ａのためのＤＲＸサイクル４２１−ａの長さを調整することは、プライマリサービングセル４０５−ａに対して、監視されるサブフレームの数の増加または減少のいずれかを生じ得る。
【０１０７】
[0106]いくつかの実施形態では、セカンダリサービングセル４１０−ａ上のＨＳ−ＳＣＣＨ４１１−ａのＤＲＸサイクル４２１−ａを、プライマリサービングセル４０５−ａに対するセカンダリサービングセル４１０−ａの帯域幅スケーリング係数で除算し、次いで、関連する床関数を呼び出すことは、ＨＳ−ＳＣＣＨ  ＤＲＸバースト４２５−ａおよびＨＳ−ＳＣＣＨ  ＤＲＸバースト４２６−ａ、ＨＳ−ＳＣＣＨ  ＤＲＸバースト４２７−ａおよびＨＳ−ＳＣＣＨ  ＤＲＸバースト４２８−ａ、ならびに／または、ＨＳ−ＳＣＣＨバースト４３６および４３８とともにＨＳ−ＳＣＣＨバースト４３５および４３７（図示せず）など、ＨＳ−ＳＣＣＨ４０６−ａおよびＨＳ−ＳＣＣＨ４１１−ａにわたる他のバーストをさらに整合させ得る。
【０１０８】
[0107]いくつかの実施形態では、プライマリサービングセル４０５−ａのＨＳ−ＳＣＣＨ４０６−ａにわたる、２倍多い必要とされた非アクティブＨＳ−ＳＣＣＨ  ＤＲＸバースト４４５−ａを、（４の係数によって）通常に膨張されたセカンダリサービングセル４０５−ａよりも、セカンダリサービングセル４１０−ａのＨＳ−ＳＣＣＨ４１１−ａにわたる、必要とされた非アクティブＨＳ−ＳＣＣＨ  ＤＲＸバースト４４６−ａと整合させるために、関連する床関数を呼び出した後など、ＤＲＸサイクル４２１−ａはまた、２でも除算され得る。これは、ＵＥ  ＤＲＸサイクル４２０−ａが４に等しくないとき、ＤＲＸ整合をさらに可能にし得る（図４Ａに関して上記で説明されたＮ＝２の場合と同じ）。
【０１０９】
[0108]場合によっては、ＨＳ−ＳＣＣＨ４０６−ａが、プライマリサービングセル４０５−ａを介してＵＥ１１５へ送信される場合、または、ＨＳ−ＳＣＣＨ４０６−ａとＨＳ−ＳＣＣＨ４１１−ａの両方がＵＥ１１５へ送信される場合、ＨＳ−ＳＣＣＨ  ＤＲＸバースト４２５−ａ、４２７−ａが、ＨＳ−ＳＣＣＨ４０６−ａを介してＵＥによって受信された後、ＨＳ−ＳＣＣＨ４０６−ａサブフレームにおいて、非アクティビティタイマー４３０−ａおよび／または４３３−ａを開始することが有益であり得る。他の場合には、ＨＳ−ＳＣＣＨ４１１−ａのみがＵＥ１１５へ送信される場合、ＨＳ−ＳＣＣＨ  ＤＲＸバースト４２６−ａ、４２８−ａが、ＨＳ−ＳＣＣＨ４１１を介してＵＥ１１５によって受信された後、ＨＳ−ＳＣＣＨ４０６−ａサブフレームにおいて、４３０−ａおよび／または４３３−ａなどの非アクティビティタイマーを開始することが有益であり得る。
【０１１０】
[0109]代替実施形態では、ＵＥ  ＤＲＸサイクル４２０−ａおよびＤＲＸサイクル４２１−ａのための２つの別個の非アクティビティタイマーが実装されてよく、たとえば、プライマリサービングセル４０５−ａのためのＨＳ−ＳＣＣＨ４０６−ａ上のもの、および、セカンダリサービングセル４１０−ａ上のＨＳ−ＳＣＣＨ４１１−ａ上のものである。
【０１１１】
[0110]次に図４Ｃを参照すると、タイミング図は、プライマリサービングセル４０５−ｂについて、Ｎ＝１、および、セカンダリサービングセル４１０−ｂについて、Ｎ＝２である、構成４００−ｃを示す。セカンダリサービングセル４１０−ｂについて、ＨＳ−ＳＣＣＨ４１１−ｂ上のＤＲＸサイクル４２１−ｂは、ＵＥ  ＤＲＸサイクル４２０−ｂと同じサブフレームの長さ（４）であるが、セカンダリサービングセル４１０−ｂは、２の帯域幅スケーリング係数によってセル４０５−ｂに対して膨張されるので、ＤＲＸサイクル４２１−ｂは、ＵＥ  ＤＲＸサイクル４２０−ｂと同じサブフレーム長（４サブフレーム）であるが、プライマリサービングセル４０５−ｂのＵＥ  ＤＲＸサイクル４２０−ｂに対して時間的に２倍の長さである。
【０１１２】
[0111]いくつかの実施形態では、プライマリサービングセル４０５−ｂおよびセカンダリサービングセル４１０−ｂのそれぞれのＤＲＸサイクルを整合させるために、より詳細には、ＨＳ−ＳＣＣＨ４０６−ｂにわたる、必要とされた非アクティブＨＳ−ＳＣＣＨ  ＤＲＸバースト４４５−ｂを、ＨＳ−ＳＣＣＨ４１１−ｂにわたる、必要とされた非アクティブＨＳ−ＳＣＣＨ  ＤＲＸバースト４４６−ｂと整合させるために、これらのバースト４４５−ｂおよび４４６−ｂの境界を整合させることが有用であり得る。いくつかの実施形態では、これは、必要とされた非アクティブＨＳ−ＳＣＣＨ  ＤＲＸバースト４４５−ｂの開始境界および／または終了境界（図示せず）を、必要とされた非アクティブＨＳ−ＳＣＣＨ  ＤＲＸバースト４４６−ｂの境界と整合させることを含み得る。場合によっては、この結果は、ＲＲＣシグナリングを介して、オフセット値および／またはサイクル長をＵＥ１１５へ送信すること／ＵＥ１１５によって受信することによって得られてよく、たとえば、整合は、有効化遅延４１５−ｂの後、アクティベートされる。場合によっては、セカンダリサービングセル４１０−ｂのＨＳ−ＳＣＣＨ４１１−ｂが、プライマリサービングセル４０５−ｂのＨＳ−ＳＣＣＨ４０６−ｂに対して、２の係数によってスケーリングされるので、各必要とされた非アクティブＨＳ−ＳＣＣＨ  ＤＲＸバースト４４６−ｂは、１つおきの必要とされた非アクティブＨＳ−ＳＣＣＨ  ＤＲＸバースト４４５−ｂと整合し得る。言い換えれば、これは、それぞれのセルのための整合されたＤＲＸパターンを生じ得るが、セカンダリサービングセル４１０−ｂにとってより長い「オフ時間」を伴う。また、セカンダリサービングセル４１０−ｂが、プライマリサービングセル４０５−ｂに対して、２の係数によってスケーリングされるので、各必要とされた非アクティブＨＳ−ＳＣＣＨ  ＤＲＸバースト４４６−ｂは、各必要とされた非アクティブＨＳ−ＳＣＣＨ  ＤＲＸバースト４４５−ｂの２倍の長さであり得る。この構成は、以下によってさらに表され得る。
【０１１３】
【数１４】
2016521050.tif 000016
【０１１４】
【数１５】
2016521050.tif 000017
【０１１５】
[0112]いくつかの実施形態では、ＤＲＸパターンは以下によって決定され得る。
【０１１６】
【数１６】
2016521050.tif 000018
【０１１７】
式（１３）は、プライマリサービングセル４０５−ｂサブフレームおよびセカンダリサービングセル４１０−ｂサブフレームがすでに整合されているとき、すなわち、ＤＲＸサイクル４２０−ｂ、４２１−ｂが同時に／同じサブフレームにおいて開始するとき、ＤＲＸが、有効化遅延４１５−ｂの後など、ＲＲＣシグナリングによって、または、ＨＳ−ＳＣＣＨ命令サブフレームの終了から開始する１２スロットの遅延後など、ＨＳ−ＳＣＣＨ命令によってのいずれかで、アクティベートされた後、適用されるとき、特に有用であり得る。ただし、他の実施形態では、プライマリサービングセル４０５−ｂおよびセカンダリサービングセル４１０−ｂにわたるサブフレームが整合されないとき、すなわち、ＤＲＸサイクル４２０−ｂ、４２１−ｂが同時に／同じサブフレームにおいて開始しないとき、または、これらのセルにわたる最初のサブフレームを整合させることが望まれるとき、ＤＲＸパターンは、以下によって決定され得る。
【０１１８】
【数１７】
2016521050.tif 000019
【０１１９】
式（１４）におけるＦｌｏｏｒ（ＵＥ＿ＤＲＸ＿ｃｙｃｌｅN／Ｎ）項は、２など、セカンダリサービングセル４１０−ｂの帯域幅スケーリング係数で除算された、ＤＲＸサイクル４２１−ｂに対応し、その後、関連する床関数が、示されたように呼び出され得る。
【０１２０】
[0113]いくつかの実施形態では、ＵＥ  ＤＲＸサイクル４２０−ｂに対応し得る、ＵＥ  ＤＴＸ  ＤＲＸ  ＯＦＦＳＥＴN=2およびＵＥ  ＤＲＸサイクルN=2のための値は、ＲＲＣシグナリングを介して、ＵＥ１１５へ送信／ＵＥ１１５によって受信されてよく、場合によっては、有効化遅延期間４１５−ｂの終了までアクティベートされなくてよい。これらの値は、オフセット値とサイクル長とを表し得る。場合によっては、これらの値は、帯域幅スケーリング係数Ｎ＝２を有する、セカンダリサービングセル４１０−ｂなど、異なる帯域幅スケーリング係数を有する他のセルについて、適切にスケーリングされ得る。
【０１２１】
[0114]いくつかの実施形態では、セカンダリサービングセル４１０−ｂのためのＤＲＸサイクル４２１−ｂの長さを調整することは、プライマリサービングセル４０５−ｂに対して、監視されるサブフレームの数の増加または減少のいずれかを生じ得る。
【０１２２】
[0115]場合によっては、ＨＳ−ＳＣＣＨ４０６−ｂが、プライマリサービングセル４０５−ｂを介してＵＥ１１５へ送信される場合、または、ＨＳ−ＳＣＣＨ４０６−ｂとＨＳ−ＳＣＣＨ４１１−ｂの両方がＵＥ１１５へ送信される場合、ＨＳ−ＳＣＣＨ  ＤＲＸバースト４２５−ｂ、４２７−ｂおよび／またはＨＳ−ＳＣＣＨバースト４３５−ａ、４３７−ａが、ＨＳ−ＳＣＣＨ４０６−ｂを介してＵＥ１１５によって受信された後、ＨＳ−ＳＣＣＨ４０６−ｂサブフレームにおいて、非アクティビティタイマー４３０−ｂ、４３１−ａ、４３２−ａ、および／または４３３−ｂを開始することが有益であり得る。他の場合には、ＨＳ−ＳＣＣＨ４１１−ｂのみがＵＥ１１５へ送信される場合、ＨＳ−ＳＣＣＨ  ＤＲＸバースト４２６−ｂ、４２８−ｂおよび／またはＨＳ−ＳＣＣＨバースト４３６−ａ、４３８−ａが、ＨＳ−ＳＣＣＨ４１１−ｂを介してＵＥ１１５によって受信された後、ＨＳ−ＳＣＣＨ４０６−ｂサブフレームにおいて、４３０−ｂ、４３１−ａ、４３２−ａ、および／または４３３−ｂなどの非アクティビティタイマーを開始することが有益であり得る。
【０１２３】
[0116]代替実施形態では、ＵＥ  ＤＲＸサイクル４２０−ｂおよびＤＲＸサイクル４２１−ｂのための２つの別個の非アクティビティタイマーが実装されてよく、たとえば、プライマリサービングセル４０５−ｂのためのＨＳ−ＳＣＣＨ４０６−ｂ上のもの、および、セカンダリサービングセル４１０−ｂ上のＨＳ−ＳＣＣＨ４１１−ｂ上のものである。
【０１２４】
[0117]次に図４Ｄを参照すると、タイミング図は、プライマリサービングセル４０５−ｃについて、Ｎ＝１、および、セカンダリサービングセル４１０−ｃについて、Ｎ＝４である、構成４００−ｄを示す。セカンダリサービングセル４１０−ｃについて、ＨＳ−ＳＣＣＨ４１１−ｃ上のＤＲＸサイクル４２１−ｃは、ＵＥ  ＤＲＸサイクル４２０−ｃと同じサブフレーム長（４サブフレーム）であるが、セカンダリサービングセル４１０−ｃは、４の帯域幅スケーリング係数によってセル４０５−ｃに対して膨張されるので、ＤＲＸサイクル４２１−ｃは、プライマリサービングセル４０５−ｂのＵＥ  ＤＲＸサイクル４２０−ｃに対して時間的に４倍の長さである。
【０１２５】
[0118]いくつかの実施形態では、プライマリサービングセル４０５−ｃおよびセカンダリサービングセル４１０−ｃのそれぞれのＤＲＸサイクルを整合させるために、より詳細には、ＨＳ−ＳＣＣＨ４０６−ｃにわたる、必要とされた非アクティブＨＳ−ＳＣＣＨ  ＤＲＸバースト４４５−ｃを、ＨＳ−ＳＣＣＨ４１１−ｃにわたる、必要とされた非アクティブＨＳ−ＳＣＣＨ  ＤＲＸバースト４４６−ｃと整合させるために、これらのバースト４４５−ｃおよび４４６−ｃの境界を整合させることが有用であり得る。いくつかの実施形態では、これは、必要とされた非アクティブＨＳ−ＳＣＣＨ  ＤＲＸバースト４４５−ｃの開始境界または終了境界（図示せず）を、必要とされた非アクティブＨＳ−ＳＣＣＨ  ＤＲＸバースト４４６−ｃの開始境界と整合させることを含み得る。場合によっては、セカンダリサービングセル４１０−ｃのＨＳ−ＳＣＣＨ４１１−ｃが、プライマリサービングセル４０５−ｃのＨＳ−ＳＣＣＨ４０６−ｃに対して、４の係数によってスケーリングされるので、各ＨＳ−ＳＣＣＨ  ＤＲＸバースト４４６−ｃは、６つごとのＨＳ−ＳＣＣＨ  ＤＲＸバースト４４５−ｃと整合し得る。言い換えれば、これは、それぞれのセルのための整合されたＤＲＸパターンを生じ得るが、セカンダリサービングセル４１０−ｃにとってより長い「オフ時間」を伴う。また、セカンダリサービングセル４１０−ｃが、プライマリサービングセル４０５−ｃに対して、４の係数によってスケーリングされるので、各ＨＳ−ＳＣＣＨ  ＤＲＸバースト４４６−ｃは、各ＨＳ−ＳＣＣＨ  ＤＲＸバースト４４５−ｃの４倍の長さであり得る。この構成は、以下によってさらに表され得る。
【０１２６】
【数１８】
2016521050.tif 000020
【０１２７】
【数１９】
2016521050.tif 000021
【０１２８】
[0119]いくつかの実施形態では、プライマリサービングセル４０５−ｃサブフレームおよびセカンダリサービングセル４１０−ｃサブフレームがすでに整合されているとき、すなわち、ＤＲＸサイクル４２０−ｃ、４２１−ｃが同時に／同じサブフレームにおいて開始するとき、ＤＲＸが、有効化遅延４１５−ｃの後など、ＲＲＣシグナリングによって、または、ＨＳ−ＳＣＣＨ命令サブフレームの終了から開始する１２スロットの遅延後など、ＨＳ−ＳＣＣＨ命令によってのいずれかで、アクティベートされた後、適用されるとき、ＤＲＸパターンは、上記の式（１３）によって決定され得る。ただし、他の実施形態では、プライマリサービングセル４０５−ｃおよびセカンダリサービングセル４１０−ｃにわたるサブフレームが整合されないとき、すなわち、ＤＲＸサイクル４２０−ｃ、４２１−ｃが同時に／同じサブフレームにおいて開始しないとき、または、これらのセルにわたる最初のサブフレームを整合させることが望まれるとき、ＤＲＸパターンは、上記の式（１４）によって決定され得る。式（１４）におけるＦｌｏｏｒ（ＵＥ＿ＤＲＸ＿ｃｙｃｌｅN／Ｎ）項は、４など、セカンダリサービングセル４１０−ｃの帯域幅スケーリング係数で除算された、ＤＲＸサイクル４２１−ｃに対応し、その後、関連する床関数が、示されたように呼び出され得る。場合によっては、この結果は、ＲＲＣシグナリングを介して、上記で示されたようなオフセット値および／またはサイクル長をＵＥ１１５へシグナリングすること／ＵＥ１１５によって受信することによって得られてよく、有効化遅延４１５−ｃの終了までアクティベートされなくてよい。
【０１２９】
[0120]いくつかの実施形態では、セカンダリサービングセル４１０−ｃのためのＤＲＸサイクル４２１−ｃの長さを調整することは、プライマリサービングセル４０５−ｃに対して、監視されるサブフレームの数の増加または減少のいずれかを生じ得る。
【０１３０】
[0121]場合によっては、ＨＳ−ＳＣＣＨ４０６−ｃが、プライマリサービングセル４０５−ｃを介してＵＥ１１５へ送信される場合、または、ＨＳ−ＳＣＣＨ４０６−ｃとＨＳ−ＳＣＣＨ４１１−ｃの両方がＵＥ１１５へ送信される場合、ＨＳ−ＳＣＣＨ  ＤＲＸバースト４２５−ｃ、４２７−ｃおよび／またはＨＳ−ＳＣＣＨバースト４３５−ｂ、４３７−ｂが、ＨＳ−ＳＣＣＨ４０６−ｃを介してＵＥ１１５によって受信された後、ＨＳ−ＳＣＣＨ４０６−ｃサブフレームにおいて、非アクティビティタイマー４３０−ｃ、４３１−ｂ、４３２−ｂ、および／または４３３−ｃを開始することが有益であり得る。他の場合には、ＨＳ−ＳＣＣＨ４１１−ｃのみがＵＥ１１５へ送信される場合、ＨＳ−ＳＣＣＨ  ＤＲＸバースト４２６−ｃおよび／またはＨＳ−ＳＣＣＨバースト４３６−ｂが、ＨＳ−ＳＣＣＨ４１１−ｃを介してＵＥ１１５によって受信された後、ＨＳ−ＳＣＣＨ４０６−ｃサブフレームにおいて、４３０−ｃ、４３１−ｂ、４３２−ｂ、および／または４３３−ｃなどの非アクティビティタイマーを開始することが有益であり得る。
【０１３１】
[0122]代替実施形態では、ＵＥ  ＤＲＸサイクル４２０−ｃおよびＤＲＸサイクル４２１−ｃのための２つの別個の非アクティビティタイマーが実装されてよく、たとえば、プライマリサービングセル４０５−ｃのためのＨＳ−ＳＣＣＨ４０６−ｃ上のもの、および、セカンダリサービングセル４１０−ｃ上のＨＳ−ＳＣＣＨ４１１−ｃ上のものである。
【０１３２】
[0123]次に図４Ｅを参照すると、タイミング図は、プライマリサービングセル４０５−ｄについて、Ｎ＝１、および、セカンダリサービングセル４１０−ｄについて、Ｎ＝２である、構成４００−ｅを示す。プライマリサービングセル４０５−ｄに対して、ＤＲＸが、５サブフレームの長さに等しい有効化遅延４１５−ｄの後、適用され得る。ＨＳ−ＳＣＣＨバースト４３５−ｂは、有効化遅延４１５−ｂの直後に生じてよく、１サブフレームにわたって続き得る。対応するＨＳ−ＳＣＣＨバースト４３６−ｃは、プライマリサービングセル４０５−ｄ上のＨＳ−ＳＣＣＨバースト４３５−ｃの発生に重複して、セカンダリサービングセル４１０−ｄのＨＳ−ＳＣＣＨ４１１−ｄ上で生じ得る。セカンダリサービングセル４１０−ｄが、プライマリサービングセル４０５−ｄに対して、２の係数によって膨張されるので、ＨＳ−ＳＣＣＨバースト４３６−ｃは、ＨＳ−ＳＣＣＨバースト４３５−ｃの２倍の長さである。いくつかの実施形態では、ＨＳ−ＳＣＣＨバースト４３６−ｃおよびＨＳ−ＳＣＣＨバースト４３５−ｃは、同時に終了し得るが、ＨＳ−ＳＣＣＨバースト４３６−ｃは、ＨＳ−ＳＣＣＨバースト４３５−ｃの前に開始し得る。ただし、ＨＳ−ＳＣＣＨバースト４３５−ｃは、有効化遅延４１５−ｄの直後にくるので、ＨＳ−ＳＣＣＨバースト４３６−ｃは、有効化遅延４１５−ｄと重複し得る。いくつかの実施形態では、これは、ＨＳ−ＳＣＣＨバースト４３５−ｃおよび４３６−ｃの受信の不整合を引き起こし得る。したがって、それぞれのセルのＤＲＸサイクルを整合させるために、両方のセルにわたる再送信を必要とすることを避けるために、バースト４３６−ｃなど、セカンダリサービングセル４１０−ｄ  ＨＳ−ＳＣＣＨ４１１−ｄの最初の割り当てられたサブフレームを無視することが有利であり得る。場合によっては、そのような命令は、ＲＲＣシグナリングを介して、ＵＥ１１５へ送信／ＵＥ１１５によって受信され、有効化遅延４１５−ｄの後、アクティベートされ得る。
【０１３３】
[0124]次に図４Ｆを参照すると、タイミング図は、プライマリサービングセル４０５−ｅについて、Ｎ＝１、および、セカンダリサービングセル４１０−ｅについて、Ｎ＝４である、構成４００−ｆを示す。プライマリサービングセル４０５−ｅに対して、ＤＲＸが、５サブフレームの長さに等しい有効化遅延４１５−ｅの後、適用され得る。ＨＳ−ＳＣＣＨバースト４３５−ｄは、有効化遅延４１５−ｅの直後に生じてよく、１サブフレームにわたって続き得る。対応するＨＳ−ＳＣＣＨバースト４３６−ｄは、プライマリサービングセル４０５−ｄ上のＨＳ−ＳＣＣＨバースト４３５−ｃの発生に重複して、セカンダリサービングセル４１０−ｅのＨＳ−ＳＣＣＨ４１１−ｅ上で生じ得る。セカンダリサービングセル４１０−ｅが、プライマリサービングセル４０５−ｅに対して、４の係数によって膨張されるので、ＨＳ−ＳＣＣＨバースト４３６−ｄは、ＨＳ−ＳＣＣＨバースト４３５−ｄの４倍の長さである。いくつかの実施形態では、ＨＳ−ＳＣＣＨバースト４３６−ｄは、ＨＳ−ＳＣＣＨバースト４３５−ｄの前で開始し、ＨＳ−ＳＣＣＨバースト４３５−ｄの後、終了し得る。ただし、ＨＳ−ＳＣＣＨバースト４３５−ｄは、有効化遅延４１５−ｅの直後にくるので、ＨＳ−ＳＣＣＨバースト４３６−ｄは、有効化遅延４１５−ｅと重複し得る。いくつかの実施形態では、これは、ＨＳ−ＳＣＣＨバースト４３５−ｄおよび４３６−ｄの受信の不整合を引き起こし得る。したがって、それぞれのセルのＤＲＸサイクルを整合させるために、両方のセルにわたる再送信を必要とすることを避けるために、バースト４３６−ｄなど、セカンダリサービングセル４１０−ｅ  ＨＳ−ＳＣＣＨ４１１−ｅの最初の割り当てられたサブフレームを無視することが有利であり得る。場合によっては、そのような命令は、ＲＲＣシグナリングを介して、ＵＥ１１５へ送信／ＵＥ１１５によって受信され、有効化遅延４１５−ｅの後、アクティベートされ得る。
【０１３４】
[0125]次に図４Ｇを参照すると、タイミング図は、プライマリサービングセル４０５−ｆについて、Ｎ＝２、および、セカンダリサービングセル４１０−ｆについて、Ｎ＝１である、構成４００−ｆを示す。図４Ｇにおける構成は、ＭＣ−ＨＳＤＰＡシステムにおいて実装され得る。場合によっては、Ｎ＝２またはＮ＝４の帯域幅スケーリング係数をもつプライマリセルと、帯域幅スケーリング係数Ｎ＝１をもつセカンダリサービングセルとを含む、ＭＣ−ＨＳＤＰＡシステムにおける少なくとも２つのセル上のダウンリンクＤＲＸパターンは、以下によって表され得る。
【０１３５】
【数２０】
2016521050.tif 000022
【０１３６】
Ｎ＝２について、以下の通りである。
【０１３７】
【数２１】
2016521050.tif 000023
【０１３８】
異なる帯域幅スケーリング係数をもつ複数のセル間のこの関係もまた、以下によって表され得る。
【０１３９】
【数２２】
2016521050.tif 000024
【０１４０】
【数２３】
2016521050.tif 000025
【０１４１】
[0126]いくつかの実施形態では、式（１８）、（１９）、および（１９ａ）に従って、ＨＳ−ＳＣＣＨ４０６−ｆにわたる、各必要とされた非アクティブＨＳ−ＳＣＣＨ  ＤＲＸバースト４４５−ｄの、開始境界または終了境界（図示せず）などの境界を、ＨＳ−ＳＣＣＨ４１１−ｆにわたる、各必要とされた非アクティブＨＳ−ＳＣＣＨ  ＤＲＸバースト４４６−ｄと整合させるために、セカンダリサービングセル４１０−ｆのＤＲＸサイクル４２１−ｄが２で乗算され得る。場合によっては、ＵＥ  ＤＲＸサイクル４２０−ｄおよびＤＲＸサイクル４２１−ｄは、４サブフレームに等しくなり得る。ただし、プライマリサービングセル４０５−ｆが、帯域幅スケーリング係数Ｎ＝１をもつセカンダリサービングセル４１０−ｆに対して、帯域幅スケーリング係数Ｎ＝２によってスケーリングされるので、各必要とされた非アクティブＨＳ−ＳＣＣＨ  ＤＲＸバースト４４５−ｄは、各必要とされた非アクティブＨＳ−ＳＣＣＨ  ＤＲＸバースト４４６−ｄの２倍の長さであり得る。セカンダリサービングセル４１０−ｆのＤＲＸサイクル４２１−ｄを２で乗算することによって、ＤＲＸ整合が実現され得る。たとえば、ＤＲＸサイクル４２１−ｄを２で乗算すると、プライマリサービングセル４０５−ｆのＨＳ−ＳＣＣＨ４０６−ｆにわたる、必要とされた非アクティブＨＳ−ＳＣＣＨ  ＤＲＸバースト４４５−ｄの各々が、セカンダリサービングセル４１０−ｆのＨＳ−ＳＣＣＨ４１１−ｆにわたる、必要とされた非アクティブＨＳ−ＳＣＣＨ  ＤＲＸバースト４４６−ｄと同時に開始／それと整合し得るように、セカンダリサービングセル４１０−ｆの周期性が、プライマリサービングセル４０５−ｆの周期性と整合され得る。これは、以下によってさらに表され得る。
【０１４２】
【数２４】
2016521050.tif 000026
【０１４３】
【数２５】
2016521050.tif 000027
【０１４４】
[0127]そのような方法で第２のサービングセル４１０−ｆを構成することによって、ＤＲＸ受信のための「オフ時間」、たとえば、様々な時間の長さ４４０−ｄおよび４４１−ｄにわたるセカンダリサービングセル４１０−ｆ  ＨＳ−ＳＣＣＨ４１１−ｆの連続監視の間の時間は、プライマリサービングセル４０５−ｆ  ＨＳ−ＳＣＣＨ４０６−ｆと整合され得る。
【０１４５】
[0128]いくつかの実施形態では、ＵＥ  ＤＲＸサイクル４２０−ｄに対応し得る、ＵＥ  ＤＴＸ  ＤＲＸ  ＯＦＦＳＥＴN=2およびＵＥ  ＤＲＸサイクルN=2のための値は、ＲＲＣシグナリングを介してＵＥ１１５へ送信され、たとえば、有効化遅延期間４１５−ｆの後、アクティベートされ得る。これらの値は、オフセット値とサイクル長とを表し得る。場合によっては、これらの値は、帯域幅スケーリング係数Ｎ＝１を有する、セカンダリサービングセル４１０−ｆなど、異なる帯域幅スケーリング係数を有する他のセルについて、適切にスケーリングされ得る。
【０１４６】
[0129]いくつかの実施形態では、セカンダリサービングセル４１０−ｆのためのＤＲＸサイクル４２１−ｄの長さを調整することは、プライマリサービングセル４０５−ｆに対して、監視されるサブフレームの数の増加または減少のいずれかを生じ得る。
【０１４７】
[0130]いくつかの実施形態では、セカンダリサービングセル４１０−ｆ上のＨＳ−ＳＣＣＨ４１１−ｆのＤＲＸサイクル４２１−ｄを、プライマリサービングセル４０５−ｆに対するセカンダリサービングセルの帯域幅スケーリング係数で乗算することは、ＨＳ−ＳＣＣＨ  ＤＲＸバースト４２５−ｄおよびＨＳ−ＳＣＣＨ  ＤＲＸバースト４２６−ｄ、ＨＳ−ＳＣＣＨ  ＤＲＸバースト４２７−ｄおよびＨＳ−ＳＣＣＨ  ＤＲＸバースト４２８−ｄなど、ＨＳ−ＳＣＣＨ４０６−ｆおよびＨＳ−ＳＣＣＨ４１１−ｆにわたる他のバーストをさらに整合させ得る。ただし、場合によっては、ＨＳ−ＰＤＳＣＨ４０７−ｆにわたるバースト４５０−ｄおよび４５１−ｄは、整合しないことがある。
【０１４８】
[0131]場合によっては、ＨＳ−ＳＣＣＨ４０６−ｆが、プライマリサービングセル４０５−ｆを介してＵＥ１１５へ送信される場合、または、ＨＳ−ＳＣＣＨ４０６−ｆとＨＳ−ＳＣＣＨ４１１−ｆの両方がＵＥ１１５へ送信される場合、ＨＳ−ＳＣＣＨ  ＤＲＸバースト４２５−ｄ、４２７−ｄおよび／またはＨＳ−ＳＣＣＨバースト４３５−ｅ、４３７−ｃが、ＨＳ−ＳＣＣＨ４０６−ｆを介してＵＥ１１５によって受信された後、ＨＳ−ＳＣＣＨ４０６−ｆサブフレームにおいて、非アクティビティタイマー４３０−ｄ、４３１−ｃ、４３２−ｃ、および／または４３３−ｄを開始することが有益であり得る。他の場合には、ＨＳ−ＳＣＣＨ４１１−ｆのみがＵＥ１１５へ送信される場合、ＨＳ−ＳＣＣＨ  ＤＲＸバースト４２６−ｄ、４２８−ｃおよび／またはＨＳ−ＳＣＣＨバースト４３６−ｅ、４３８−ｃが、ＨＳ−ＳＣＣＨ４１１−ｆを介してＵＥ１１５によって受信された後、ＨＳ−ＳＣＣＨ４０６−ｆサブフレームにおいて、４３０−ｄ、４３１−ｃ、４３２−ｃ、および／または４３３−ｄなどの非アクティビティタイマーを開始することが有益であり得る。
【０１４９】
[0132]代替実施形態では、ＵＥ  ＤＲＸサイクル４２０およびＤＲＸサイクル４２１のための２つの別個の非アクティビティタイマーが実装されてよく、たとえば、プライマリサービングセル４０５−ｆのためのＨＳ−ＳＣＣＨ４０６−ｆ上のもの、および、セカンダリサービングセル４１０−ｆ上のＨＳ−ＳＣＣＨ４１１−ｆ上のものである。
【０１５０】
[0133]次に図４Ｈを参照すると、タイミング図は、プライマリサービングセル４０５−ｇについて、Ｎ＝４、および、セカンダリサービングセル４１０−ｇについて、Ｎ＝１である、構成４００−ｈを示す。図４Ｇにおける構成は、ＭＣ−ＨＳＤＰＡシステムにおいて実装され得る。場合によっては、Ｎ＝２またはＮ＝４の帯域幅スケーリング係数をもつプライマリセルと、帯域幅スケーリング係数Ｎ＝１をもつセカンダリサービングセルとを含む、ＭＣ−ＨＳＤＰＡシステムにおける少なくとも２つのセル上のダウンリンクＤＲＸパターンは、以下によって表され得る。
【０１５１】
【数２６】
2016521050.tif 000028
【０１５２】
プライマリサービングセル４０５−ｇについて、Ｎ＝４である場合、この関係は、以下によってさらに表され得る。
【０１５３】
【数２７】
2016521050.tif 000029
【０１５４】
[0134]異なる帯域幅スケーリング係数をもつ複数のセル間のこの関係もまた、概して式（１９）および（１９ａ）によって表され得る。
【０１５５】
[0135]いくつかの実施形態では、ＨＳ−ＳＣＣＨ４０６−ｇにわたる、各必要とされた非アクティブＨＳ−ＳＣＣＨ  ＤＲＸバースト４４５−ｅの、開始境界または終了境界（図示せず）などの境界を、ＨＳ−ＳＣＣＨ４１１−ｇにわたる、各必要とされた非アクティブＨＳ−ＳＣＣＨ  ＤＲＸバースト４４６−ｅと整合させるために、セカンダリサービングセル４１０−ｇのＤＲＸサイクル４２１−ｅが４で乗算され得る。場合によっては、ＵＥ  ＤＲＸサイクル４２０−ｅおよびＤＲＸサイクル４２１−ｅは、４サブフレームに等しくなり得る。ただし、プライマリサービングセル４０５−ｇが、帯域幅スケーリング係数Ｎ＝１をもつセカンダリサービングセル４１０−ｇに対して、帯域幅スケーリング係数Ｎ＝４によってスケーリングされるので、各必要とされた非アクティブＨＳ−ＳＣＣＨ  ＤＲＸバースト４４５−ｅは、各必要とされた非アクティブＨＳ−ＳＣＣＨ  ＤＲＸバースト４４６−ｅの２倍の長さであり得る。ＤＲＸサイクル４２１−ｅを４で乗算することによって、ＤＲＸ整合が実現され得る。たとえば、セカンダリサービングセル４１０−ｇのＤＲＸサイクル４２１−ｅを４で乗算すると、プライマリサービングセル４０５−ｇのＨＳ−ＳＣＣＨ４０６−ｇにわたる、必要とされた非アクティブＨＳ−ＳＣＣＨ  ＤＲＸバースト４４５−ｅの各々が、セカンダリサービングセル４１０−ｇのＨＳ−ＳＣＣＨ４１１−ｇにわたる、必要とされた非アクティブＨＳ−ＳＣＣＨ  ＤＲＸバースト４４６−ｅと同時に開始または終了／それと整合し得るように、セカンダリサービングセル４１０−ｇの周期性が、プライマリサービングセル４０５−ｇの周期性と整合され得る。これは、以下によってさらに表され得る。
【０１５６】
【数２８】
2016521050.tif 000030
【０１５７】
【数２９】
2016521050.tif 000031
【０１５８】
[0136]そのような方法で第２のサービングセル４１０−ｇを構成することによって、ＤＲＸ受信のための「オフ時間」、たとえば、様々な時間の長さ４４０−ｅおよび４４１−ｅにわたるセカンダリサービングセル４１０−ｇ  ＨＳ−ＳＣＣＨ４１１−ｇの連続監視の間の時間は、プライマリサービングセル４０５−ｇ  ＨＳ−ＳＣＣＨ４０６−ｇと整合され得る。
【０１５９】
[0137]いくつかの実施形態では、ＵＥ  ＤＲＸサイクル４２０−ｅに対応し得る、ＵＥ  ＤＴＸ  ＤＲＸ  ＯＦＦＳＥＴN=4およびＵＥ  ＤＲＸサイクルN=4のための値は、ＲＲＣシグナリングを介してＵＥ１１５へ送信され、たとえば、有効化遅延期間４１５−ｇの後、アクティベートされ得る。これらの値は、オフセット値とサイクル長とを表し得る。場合によっては、これらの値は、帯域幅スケーリング係数Ｎ＝１を有する、セカンダリサービングセル４１０−ｇなど、異なる帯域幅スケーリング係数を有する他のセルについて、適切にスケーリングされ得る。
【０１６０】
[0138]いくつかの実施形態では、セカンダリサービングセル４１０−ｇのためのＤＲＸサイクル４２１−ｅの長さを調整することは、プライマリサービングセル４０５−ｇに対して、監視されるサブフレームの数の増加または減少のいずれかを生じ得る。
【０１６１】
[0139]いくつかの実施形態では、セカンダリサービングセル４１０−ｇ上のＨＳ−ＳＣＣＨ４１１−ｇのＤＲＸサイクル４２１−ｅを、プライマリサービングセル４０５−ｇに対するセカンダリサービングセルの帯域幅スケーリング係数で乗算することは、ＨＳ−ＳＣＣＨ  ＤＲＸバースト４２５−ｅおよびＨＳ−ＳＣＣＨ  ＤＲＸバースト４２６−ｅ、ＨＳ−ＳＣＣＨ  ＤＲＸバースト４２７−ｅおよびＨＳ−ＳＣＣＨ  ＤＲＸバースト４２８−ｅなど、ＨＳ−ＳＣＣＨ４０６−ｇおよびＨＳ−ＳＣＣＨ４１１−ｇにわたる他のバーストをさらに整合させ得る。ただし、場合によっては、ＨＳ−ＰＤＳＣＨ４１２−ｇにわたるバースト４５０−ｅおよび４５１−ｅは、整合しないことがある。
【０１６２】
[0140]場合によっては、ＨＳ−ＳＣＣＨ４０６−ｇが、プライマリサービングセル４０５−ｇを介してＵＥ１１５へ送信される場合、または、ＨＳ−ＳＣＣＨ４０６−ｇとＨＳ−ＳＣＣＨ４１１−ｇの両方がＵＥ１１５へ送信される場合、ＨＳ−ＳＣＣＨ  ＤＲＸバースト４２５−ｅ、４２７−ｅが、ＨＳ−ＳＣＣＨ４０６−ｇを介してＵＥ１１５によって受信された後、ＨＳ−ＳＣＣＨ４０６−ｇサブフレームにおいて、非アクティビティタイマー４３０−ｅおよび／または４３３−ｅを開始することが有益であり得る。他の場合には、ＨＳ−ＳＣＣＨ４１１−ｇのみがＵＥ１１５へ送信される場合、たとえば、ＨＳ−ＳＣＣＨ  ＤＲＸバースト４２６−ｅ、４２８−ｄが、ＨＳ−ＳＣＣＨ４１１−ｇを介してＵＥ１１５によって受信された後、ＨＳ−ＳＣＣＨ４０６−ｇサブフレームにおいて、４３０−ｅおよび／または４３３−ｅなどの非アクティビティタイマーを開始することが有益であり得る。
【０１６３】
[0141]代替実施形態では、ＵＥ  ＤＲＸサイクル４２０−ｅおよびＤＲＸサイクル４２１−ｅのための２つの別個の非アクティビティタイマーが実装されてよく、たとえば、プライマリサービングセル４０５−ｇのためのＨＳ−ＳＣＣＨ４０６−ｇ上のもの、および、セカンダリサービングセル４１０−ｇ上のＨＳ−ＳＣＣＨ４１１−ｇ上のものである。
【０１６４】
[0142]次に図４Ｉを参照すると、タイミング図は、プライマリサービングセル４０５−ｈについて、Ｎ＝２、および、セカンダリサービングセル４１０−ｈについて、Ｎ＝１である、構成４００−ｈを示す。セカンダリサービングセル４１０−ｈについて、ＨＳ−ＳＣＣＨ４１１−ｈ上のＤＲＸサイクル４２１−ｆは、ＵＥ  ＤＲＸサイクル４２０−ｆと同じサブフレーム長であるが、プライマリサービングセル４０５−ｈは、２の帯域幅スケーリング係数によってセカンダリサービングセル４１０−ｆに対して膨張されるので、ＤＲＸサイクル４２１−ｆは、ＵＥ  ＤＲＸサイクル４２０−ｆと同じサブフレーム長（４サブフレーム）であるが、プライマリサービングセル４０５−ｈのＵＥ  ＤＲＸサイクル４２０−ｆに対して時間的に半分の長さである。
【０１６５】
[0143]いくつかの実施形態では、プライマリサービングセル４０５−ｈおよびセカンダリサービングセル４１０−ｈのそれぞれのＤＲＸサイクルを整合させるために、より詳細には、ＨＳ−ＳＣＣＨ４０６−ｈにわたる、必要とされた非アクティブＨＳ−ＳＣＣＨ  ＤＲＸバースト４４５−ｆを、ＨＳ−ＳＣＣＨ４１１−ｈにわたる、必要とされた非アクティブＨＳ−ＳＣＣＨ  ＤＲＸバースト４４６−ｆと整合させるために、これらのバースト４４５−ｆおよび４４６−ｆの境界を整合させることが有用であり得る。いくつかの実施形態では、これは、必要とされた非アクティブＨＳ−ＳＣＣＨ  ＤＲＸバースト４４５−ｆの開始境界または終了境界（図示せず）を、必要とされた非アクティブＨＳ−ＳＣＣＨ  ＤＲＸバースト４４６−ｆの対応する境界と整合させることを含み得る。場合によっては、プライマリサービングセル４０５−ｈのＨＳ−ＳＣＣＨ４０６−ｈが、セカンダリサービングセル４０５−ｈのＨＳ−ＳＣＣＨ４１１−ｈに対して、２の係数によってスケーリングされるので、各ＨＳ−ＳＣＣＨ  ＤＲＸバースト４４５−ｆは、１つおきのＨＳ−ＳＣＣＨ  ＤＲＸバースト４４６−ｆと整合し得る。言い換えれば、これは、それぞれのセルのための整合されたＤＲＸパターンを生じ得るが、プライマリサービングセル４０５−ｈにとってより長い「オフ時間」を伴う。また、プライマリサービングセル４０５−ｈが、セカンダリサービングセル４１０−ｆに対して、２の係数によってスケーリングされるので、各ＨＳ−ＳＣＣＨ  ＤＲＸバースト４４５−ｆは、各ＨＳ−ＳＣＣＨ  ＤＲＸバースト４４６−ｆの２倍の長さであり得る。この構成は、以下によってさらに表され得る。
【０１６６】
【数３０】
2016521050.tif 000032
【０１６７】
【数３１】
2016521050.tif 000033
【０１６８】
[0144]より広い観点では、この関係は、以下によって、異なる帯域幅スケーリング係数をもつ任意の２つのセルについて表され得る。
【０１６９】
【数３２】
2016521050.tif 000034
【０１７０】
[0145]いくつかの実施形態では、ＵＥ  ＤＲＸサイクル４２０−ｆに対応し得る、ＵＥ  ＤＴＸ  ＤＲＸ  ＯＦＦＳＥＴN=1およびＵＥ  ＤＲＸサイクルN=1のための値は、ＲＲＣシグナリングを介してＵＥ１１５へ送信／ＵＥ１１５によって受信され、たとえば、有効化遅延期間４１５−ｈの後、アクティベートされ得る。これらの値は、オフセット値とサイクル長とを表し得る。場合によっては、これらの値は、帯域幅スケーリング係数Ｎ＝１を有する、セカンダリサービングセル４１０−ｈなど、異なる帯域幅スケーリング係数を有する他のセルについて、適切にスケーリングされ得る。
【０１７１】
[0146]いくつかの実施形態では、セカンダリサービングセル４１０−ｈのためのＤＲＸサイクル４２１−ｆの長さを調整することは、プライマリサービングセル４０５−ｈに対して、監視されるサブフレームの数の増加または減少のいずれかを生じ得る。
【０１７２】
[0147]場合によっては、ＨＳ−ＳＣＣＨ４０６−ｈが、プライマリサービングセル４０５−ｈを介してＵＥ１１５へ送信される場合、または、ＨＳ−ＳＣＣＨ４０６−ｈとＨＳ−ＳＣＣＨ４１１−ｈの両方がＵＥ１１５へ送信される場合、ＨＳ−ＳＣＣＨ  ＤＲＸバースト４２５−ｆ、４２７−ｆおよびまたはＨＳ−ＳＣＣＨバースト４３５−ｆ、４３７−ｄが、ＨＳ−ＳＣＣＨ４０６−ｈを介してＵＥ１１５によって受信された後、ＨＳ−ＳＣＣＨ４０６−ｈサブフレームにおいて、非アクティビティタイマー４３０−ｆ、４３１−ｄ、４３２−ｄ、および／または４３３−ｆを開始することが有益であり得る。他の場合には、ＨＳ−ＳＣＣＨ４１１−ｈのみがＵＥ１１５へ送信される場合、たとえば、ＨＳ−ＳＣＣＨ  ＤＲＸバースト４２６−ｆ、４２８−ｅおよび／またはＨＳ−ＳＣＣＨバースト４３６−ｆ、４３８−ｄが、ＨＳ−ＳＣＣＨ４１１−ｈを介してＵＥ１１５によって受信された後、ＨＳ−ＳＣＣＨ４０６−ｈサブフレームにおいて、４３０−ｆ、４３１−ｄ、４３２−ｄ、および／または４３３などの非アクティビティタイマーを開始することが有益であり得る。
【０１７３】
[0148]代替実施形態では、ＵＥ  ＤＲＸサイクル４２０−ｆおよびＤＲＸサイクル４２１−ｆのための２つの別個の非アクティビティタイマーが実装されてよく、たとえば、プライマリサービングセル４０５−ｈのためのＨＳ−ＳＣＣＨ４０６−ｈ上のもの、および、セカンダリサービングセル４１０−ｈ上のＨＳ−ＳＣＣＨ４１１−ｈ上のものである。
【０１７４】
[0149]次に図４Ｊを参照すると、タイミング図は、プライマリサービングセル４０５−ｉについて、Ｎ＝４、および、セカンダリサービングセル４１０−ｉについて、Ｎ＝１である、構成４００−ｉを示す。セカンダリサービングセル４１０−ｉについて、ＨＳ−ＳＣＣＨ４１１−ｉ上のＤＲＸサイクル４２１−ｇは、ＵＥ  ＤＲＸサイクル４２０−ｇと同じサブフレーム長であるが、プライマリサービングセル４０５−ｉは、４の帯域幅スケーリング係数によって、セカンダリサービングセル４１０−ｇに対して膨張されるので、ＤＲＸサイクル４２１−ｇは、ＵＥ  ＤＲＸサイクル４２０−ｇと同じサブフレーム長（４サブフレーム）であるが、プライマリサービングセル４０５−ｉのＵＥ  ＤＲＸサイクル４２０−ｇに対して時間的に１／４の長さである。
【０１７５】
[0150]いくつかの実施形態では、プライマリサービングセル４０５−ｉおよびセカンダリサービングセル４１０−ｉのそれぞれのＤＲＸサイクルを整合させるために、より詳細には、ＨＳ−ＳＣＣＨ４０６−ｇにわたる、必要とされた非アクティブＨＳ−ＳＣＣＨ  ＤＲＸバースト４４５−ｇを、ＨＳ−ＳＣＣＨ４１１−ｉにわたる、必要とされた非アクティブＨＳ−ＳＣＣＨ  ＤＲＸバースト４４６−ｇと整合させるために、これらのバースト４４５−ｇおよび４４６−ｇの境界を整合させることが有用であり得る。いくつかの実施形態では、これは、必要とされた非アクティブＨＳ−ＳＣＣＨ  ＤＲＸバースト４４５−ｇの開始境界を、必要とされた非アクティブＨＳ−ＳＣＣＨ  ＤＲＸバースト４４６−ｇの開始境界と整合させることを含み得る。場合によっては、プライマリサービングセル４０５−ｉのＨＳ−ＳＣＣＨ４０６−ｉが、セカンダリサービングセル４０５−ｉのＨＳ−ＳＣＣＨ４１１−ｉに対して、４の係数によってスケーリングされるので、各ＨＳ−ＳＣＣＨ  ＤＲＸバースト４４５−ｇは、５つごとのＨＳ−ＳＣＣＨ  ＤＲＸバースト４４６−ｇと整合し得る。言い換えれば、これは、それぞれのセルのための整合されたＤＲＸパターンを生じ得るが、プライマリサービングセル４０５−ｉにとってより長い「オフ時間」を伴う。また、プライマリサービングセル４０５−ｉが、セカンダリサービングセル４１０−ｇに対して、４の係数によってスケーリングされるので、各ＨＳ−ＳＣＣＨ  ＤＲＸバースト４４５−ｇは、各ＨＳ−ＳＣＣＨ  ＤＲＸバースト４４６−ｇの４倍の長さであり得る。この構成は、以下によってさらに表され得る。
【０１７６】
【数３３】
2016521050.tif 000035
【０１７７】
【数３４】
2016521050.tif 000036
【０１７８】
[0151]いくつかの実施形態では、ＵＥ  ＤＲＸサイクル４２０−ｇに対応し得る、ＵＥ  ＤＴＸ  ＤＲＸ  ＯＦＦＳＥＴN=1およびＵＥ  ＤＲＸサイクルN=1のための値は、ＲＲＣシグナリングを介して、ＵＥ１１５へ送信／ＵＥ１１５によって受信され、たとえば、有効化遅延期間４１５−ｉの後、アクティベートされ得る。これらの値は、オフセット値とサイクル長とを表し得る。場合によっては、これらの値は、帯域幅スケーリング係数Ｎ＝１を有する、セカンダリサービングセル４１０−ｉなど、異なる帯域幅スケーリング係数を有する他のセルについて、適切にスケーリングされ得る。
【０１７９】
[0152]いくつかの実施形態では、セカンダリサービングセル４１０−ｉのためのＤＲＸサイクル４２１−ｇの長さを調整することは、プライマリサービングセル４０５−ｉに対して、監視されるサブフレームの数の増加または減少のいずれかを生じ得る。
【０１８０】
[0153]場合によっては、ＨＳ−ＳＣＣＨ４０６−ｉが、プライマリサービングセル４０５−ｉを介してＵＥ１１５へ送信される場合、または、ＨＳ−ＳＣＣＨ４０６−ｉとＨＳ−ＳＣＣＨ４１１−ｉの両方がＵＥ１１５へ送信される場合、ＨＳ−ＳＣＣＨ  ＤＲＸバースト４２５−ｇ、４２７−ｇが、ＨＳ−ＳＣＣＨ４０６−ｉを介してＵＥ１１５によって受信された後、ＨＳ−ＳＣＣＨ４０６−ｉサブフレームにおいて、非アクティビティタイマー４３０−ｇおよび／または４３３−ｇを開始することが有益であり得る。他の場合には、ＨＳ−ＳＣＣＨ４１１−ｉのみがＵＥ１１５へ送信される場合、たとえば、ＨＳ−ＳＣＣＨ  ＤＲＸバースト４２６−ｇ、４２８−ｆが、ＨＳ−ＳＣＣＨ４１１−ｉを介してＵＥ１１５によって受信された後、ＨＳ−ＳＣＣＨ４０６−ｉサブフレームにおいて、４３０−ｇおよび／または４３３−ｇなどの非アクティビティタイマーを開始することが有益であり得る。
【０１８１】
[0154]代替実施形態では、ＵＥ  ＤＲＸサイクル４２０−ｇおよびＤＲＸサイクル４２１−ｇのための２つの別個の非アクティビティタイマーが実装されてよく、たとえば、プライマリサービングセル４０５−ｉのためのＨＳ−ＳＣＣＨ４０６−ｉ上のもの、および、セカンダリサービングセル４１０−ｉ上のＨＳ−ＳＣＣＨ４１１−ｉ上のものである。
【０１８２】
[0155]次に図５Ａを参照すると、ブロック図は、様々な実施形態による、１つまたは複数のフレキシブル帯域幅キャリアを利用するマルチキャリアシステムにおける、ＤＲＸ機能を含むデバイス５００を示す。デバイス５００は、図１、図２Ａ、図２Ｂ、および／もしくは図３の基地局１０５、ならびに／または、図１、図２Ａ、図２Ｂ、および／もしくは図３のユーザ機器１１５、ならびに／または、図１のコントローラ１２０／コアネットワーク１３０の態様、ならびにまたは、図４Ａ、図４Ｂ、図４Ｃ、図４Ｄ、図４Ｅ、図４Ｆ、図４Ｇ、図４Ｈ、図４Ｉ、および／もしくは図４Ｊのシステム４００−ａ、４００−ｂ、４００−ｃ、４００−ｄ、４００−ｅ、４００−ｆ、４００−ｇ、４００−ｈ、４００−ｉ、および／もしくは４００−ｊの態様の一例であり得る。デバイス５００は、受信機モジュール５０５と、ＤＲＸ整合モジュール５１０と、送信機モジュール５１５とを含み得る。これらの構成要素の各々は、互いに通信中であり得る。場合によっては、デバイス５００は、図１、図２Ａ、図２Ｂ、および／もしくは図３のＵＥ１１５など、ＵＥであり得る。
【０１８３】
[0156]デバイス５００のこれらの構成要素は、個別にまたは集合的に、ハードウェア中の適用可能な機能の一部または全部を実行するように適合された１つまたは複数の特定用途向け集積回路（ＡＳＩＣ）を用いて実装され得る。代替的に、機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【０１８４】
[0157]受信機モジュール５０５は、パケット、データ、および／またはデバイス５００が受信したものに関するシグナリング情報などの情報を受信し得る。受信された情報は、様々な目的のためにデバイス５００によって利用され得る。送信機モジュール５１５は、パケット、データ、またはデバイス５００が処理したものに関するシグナリング情報などの情報を送信し得る。送信された情報は、以下で説明されるように、様々な目的のために、様々なネットワークエンティティによって利用され得る。
【０１８５】
[0158]ＤＲＸ整合モジュール５１０は、１つまたは複数のフレキシブル帯域幅キャリアを利用するマルチキャリアシステムにおける間欠受信（ＤＲＸ）の方法を実行するように構成され得る。たとえば、ＤＲＸ整合モジュール５１０は、第１のセルのためのＤＲＸサイクルを識別するように構成され得る。ＤＲＸ整合モジュール５１０は、第２のセルのためのＤＲＸサイクルのための境界が、第１のセルのためのＤＲＸサイクルのための境界と一致するように、第２のセルのためのＤＲＸサイクルのための境界を調整するようにさらに構成されてよく、ここにおいて、少なくとも第１のセルまたは第２のセルは、１つまたは複数のフレキシブル帯域幅キャリアを含む。いくつかの実施形態では、第１のセルのためのＤＲＸサイクルのための境界と第２のセルのためのＤＲＸサイクルのための境界の両方は、少なくとも開始境界または終了境界を備え得る。場合によっては、第２のセルのためのＤＲＸサイクルの期間は、第１のセルのためのＤＲＸサイクルの期間とは異なり得る。
【０１８６】
[0159]場合によっては、ＤＲＸ整合モジュール５１０は、第１のセルに対して、監視されるサブフレームの数を増加または減少させるために、第２のセルのためのＤＲＸサイクルの長さを調整するようにさらに構成され得る。場合によっては、ＤＲＸ整合モジュール５１０はまた、第１のセルのためのＤＲＸサイクルの周期性を識別し、少なくとも、第１のセルのためのＤＲＸサイクルの周期性と一致するように、または、第１のセルのためのＤＲＸサイクルの周期性に対して、帯域幅スケーリング係数によってスケーリングされるように、第２のセルのためのＤＲＸサイクルの周期性を調整し得る。ＤＲＸ整合モジュール５１０はまた、第１および第２のセルのＤＲＸサイクルを整合させることをさらに支援するために、第１のセルのための有効化またはアクティベーション遅延に重複する、第２のセルのためのＤＲＸ命令のための最初の割り当てられたサブフレームを無視し得る。ＤＲＸ整合モジュール５１０はまた、少なくとも１つまたは複数のオフセットまたはサイクル長を送信および／または受信することによって、第２のセルのためのＤＲＸサイクルのための境界を調整することを容易にし得る。いくつかの実施形態では、ＤＲＸ整合モジュール５１０は、ＵＥ１１５に配置され得る。受信機モジュール５０５および／または送信機モジュール５１５もまた、ＵＥ１１５に配置され得る。他の実施形態では、受信機モジュール５０５、ＤＲＸ整合モジュール５１０、および／または送信機モジュール１５は、異なるネットワークエンティティに配置されてよく、バックホール、エアインターフェースなどを介して協調し得る。
【０１８７】
[0160]いくつかの実施形態では、第１のセルは、通常帯域幅キャリアを含んでよく、第２のセルは、１つまたは複数のフレキシブル帯域幅キャリアを含んでよい。いくつかの実施形態では、第１のセルは、フレキシブル帯域幅キャリアを含んでよく、第２のセルは、第１のセルとは異なる１つまたは複数のフレキシブル帯域幅キャリアを含んでよい。場合によっては、第１のセルのフレキシブル帯域幅は、第２のセルのフレキシブル帯域幅よりも大きくなり得る。
【０１８８】
[0161]いくつかの実施形態では、第１のセルは、１つまたは複数のフレキシブル帯域幅キャリアを含んでよく、第２のセルは、通常帯域幅キャリアを含んでよい。いくつかの実施形態では、第１のセルは、１つまたは複数のフレキシブル帯域幅キャリアを含んでよく、第２のセルは、第１のセルとは異なる１つまたは複数のフレキシブル帯域幅キャリアを含んでよい。場合によっては、第１のセルのフレキシブル帯域幅は、第２のセルのフレキシブル帯域幅未満であり得る。
【０１８９】
[0162]いくつかの実施形態では、第１のセルは、１に等しい帯域幅スケーリング係数を含んでよく、第２のセルは、２または４に等しい帯域幅スケーリング係数を含む。他の実施形態では、第１のセルは、２または４に等しい帯域幅スケーリング係数を含み、第２のセルは、１に等しい帯域幅スケーリング係数を含む。
【０１９０】
[0163]次に図５Ｂを参照すると、ブロック図は、様々な実施形態による、１つまたは複数のフレキシブル帯域幅キャリアを利用するマルチキャリアシステムにおける、シグナリング整合機能を含むデバイス５００−ａを示す。デバイス５００−ａは、図１、図２Ａ、図２Ｂ、および／もしくは図３の基地局１０５、図１、図２Ａ、図２Ｂ、および／もしくは図３のユーザ機器１１５、ならびに／または、図１のコントローラ１２０／コアネットワーク１３０の態様、ならびにまたは、図４Ａ、図４Ｂ、図４Ｃ、図４Ｄ、図４Ｅ、図４Ｆ、図４Ｇ、図４Ｈ、図４Ｉ、および／もしくは図４Ｊの４００−ａ、４００−ｂ、４００−ｃ、４００−ｄ、４００−ｅ、４００−ｆ、４００−ｇ、４００−ｈ、４００−ｉ、および／もしくは４００−ｊの態様の一例であり得る。
【０１９１】
[0164]デバイス５００−ａは、受信機モジュール５０５と、第１のセルＤＲＸ識別モジュール５１１と、第２のセルＤＲＸ調整モジュール５１２と、送信機モジュール５１５とを含み得る。これらの構成要素の各々は、互いに通信中であり得る。いくつかの実施形態では、図５ＡのＤＲＸ整合モジュール５１０の一部または全部の態様を組み込み得る、ＤＲＸ整合モジュール５１０−ａは、第１のセルＤＲＸ識別モジュール５１１と、第２のセルＤＲＸ調整モジュール５１２とを含み得る。ＵＥ１１５であり得る、デバイス５００−ａは、図５Ａを参照して上記で説明されたようなデバイス５００の一部もしくは全部の態様を含んでよく、または、その機能の一部もしくは全部を実装し得る。
【０１９２】
[0165]デバイス５００−ａの構成要素は、個別にまたは集合的に、ハードウェア中の適用可能な機能の一部または全部を実行するように適合された１つまたは複数の特定用途向け集積回路（ＡＳＩＣ）を用いて実装され得る。代替的に、機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【０１９３】
[0166]受信機モジュール５０５は、パケット、データ、および／またはデバイス５００−ａが受信したものに関するシグナリング情報などの情報を受信し得る。受信された情報は、様々な目的のためにデバイス５００−ａによって利用され得る。送信機モジュール５１５は、パケット、データ、またはデバイス５００−ａが処理したものに関するシグナリング情報などの情報を送信し得る。送信された情報は、本明細書で説明されるように、様々な目的のために、様々なネットワークエンティティによって利用され得る。
【０１９４】
[0167]第１のセルＤＲＸ識別モジュール５１１は、１つまたは複数のフレキシブル帯域幅キャリアを利用するマルチキャリアシステムにおいて、第１のセルのためのＤＲＸサイクルを識別するように構成され得る。第２のセルＤＲＸ調整モジュール５１２は、第２のセルのためのＤＲＸサイクルのための境界が、第１のセルのためのＤＲＸサイクルのための境界と一致するように、第２のセルのためのＤＲＸサイクルのための境界を調整するように構成され得る。いくつかの実施形態では、第１のセルのためのＤＲＸサイクルのための境界と第２のセルのためのＤＲＸサイクルのための境界の両方は、少なくとも開始境界または終了境界を備え得る。
【０１９５】
[0168]図４Ａ〜図４Ｉを参照して上記で説明されたように、セルにわたるＤＲＸサイクル不整合は、特にＵＥ１１５による、電力リソースの増加／無効な利用を引き起こすことがあり、その理由は、受信機モジュール５０５が、ＨＳ−ＳＣＣＨチャネル上でメッセージを正確に受信するために、ＤＲＸサイクルごとにより長い時間期間の間、リッスンすることが必要とされるからである。これは、特に、第２のセルのためのＤＲＸサイクルの期間が第１のセルのためのＤＲＸサイクルの期間とは異なる場合である。この周期性の違いを考慮するために、第１のセルＤＲＸ識別モジュール５１１はまた、第１のセルのためのＤＲＸサイクルの周期性を識別し得る。第２のセルＤＲＸ調整モジュール５１２は、上記の図４Ｂ、図４Ｅ、図４Ｈ、および図４Ｊを参照してより詳細に説明されるように、少なくとも、第１のセルのためのＤＲＸサイクルの周期性と一致するように、または、第１のセルのためのＤＲＸサイクルの周期性に対して、帯域幅スケーリング係数によってスケーリングされるように、第２のセルのためのＤＲＸサイクルの周期性を、対応して調整し得る。
【０１９６】
[0169]場合によっては、第２のセルＤＲＸ調整モジュール５１２は、第１のセルに対して、監視されるサブフレームの数を増加または減少させるために、第２のセルのためのＤＲＸサイクルの長さを調整するようにさらに構成され得る。これは、ＤＲＸサイクル整合のために、複数のキャリアにわたる異なる周期性に対処するための別の方法であり得る。さらに、第２のセルＤＲＸ調整モジュール５１２は、図４Ｃおよび図４Ｆに関して上記でより詳細に説明されたように、第１および第２のセルのＤＲＸサイクルを整合させることをさらに支援するために、第１のセルのための有効化またはアクティベーション遅延に重複する、第２のセルのためのＤＲＸ命令のための最初の割り当てられたサブフレームを無視し得る。
【０１９７】
[0170]いくつかの実施形態では、これらのモジュールがそれぞれ基地局１０５に配置されるか、ＵＥ１１５に配置されるかに応じて、送信機モジュール５１５が、少なくとも１つもしくは複数のオフセットもしくはサイクル長を送信してよく、または代替的に、受信機モジュール５０５が、１つもしくは複数のオフセットもしくはサイクル長を受信してよい。オフセットまたはサイクル長は、第２のセルＤＲＸ調整モジュール５１２によって決定され、送信機モジュール５１５へ通信され得る。
【０１９８】
[0171]いくつかの実施形態では、、第１のセルＤＲＸ識別モジュール５１１および／または第２のセルＤＲＸ調整モジュール５１２は、ＵＥ１１５に配置され得る。受信機モジュール５０５および／または送信機モジュール５１５もまた、ＵＥ１１５に配置され得る。他の実施形態では、受信機モジュール５０５、第１のセルＤＲＸ識別モジュール５１１、第２のセルＤＲＸ調整モジュール５１２、および／または送信機モジュール１５は、異なるネットワークエンティティに配置されてよく、バックホール、エアインターフェースなどを介して協調し得る。
【０１９９】
[0172]いくつかの実施形態では、第１のセルは、通常帯域幅キャリアを含み、第２のセルは、１つまたは複数のフレキシブルまたはスケーラブル帯域幅キャリアを含み得る。いくつかの実施形態では、第１のセルは、フレキシブル帯域幅キャリアを含んでよく、第２のセルは、第１のセルとは異なる１つまたは複数のフレキシブル帯域幅キャリアを含んでよい。場合によっては、第１のセルのフレキシブル帯域幅は、第２のセルのフレキシブル帯域幅よりも大きい。
【０２００】
[0173]いくつかの実施形態では、第１のセルは、１つまたは複数のフレキシブル帯域幅キャリアを含み、第２のセルは、通常帯域幅キャリアを含む。いくつかの実施形態では、第１のセルは、１つまたは複数のフレキシブル帯域幅キャリアを含み、第２のセルは、第１のセルとは異なる１つまたは複数のフレキシブル帯域幅キャリアを含む。場合によっては、第１のセルのフレキシブル帯域幅は、第２のセルのフレキシブル帯域幅未満である。
【０２０１】
[0174]いくつかの実施形態では、第１のセルは、１に等しい帯域幅スケーリング係数を含み、第２のセルは、２または４に等しい帯域幅スケーリング係数を含む。他の実施形態では、第１のセルは、２または４に等しい帯域幅スケーリング係数を含み、第２のセルは、１に等しい帯域幅スケーリング係数を含む。
【０２０２】
[0175]図６は、様々な実施形態による、１つまたは複数のフレキシブル帯域幅キャリアを利用するマルチキャリアシステムにおける、ＤＲＸのために構成され得る通信システム６００のブロック図を示す。このシステム６００は、図１に示されたシステム１００、図２Ａおよび図２Ｂのシステム２００−ａおよび２００−ｂ、図３のシステム３００、ならびに／または、図４Ａ、図４Ｂ、図４Ｃ、図４Ｄ、図４Ｅ、図４Ｆ、図４Ｇ、図４Ｈ、図４Ｉ、および／もしくは図４Ｊのシステム４００−ａ、４００−ｂ、４００−ｃ、４００−ｄ、４００−ｅ、４００−ｆ、４００−ｇ、４００−ｈ、４００−ｉ、および／もしくは４００−ｊ、ならびに／または、図５Ａおよび／もしくは図５Ｂのデバイス５００および５００−ａの態様を含み得る。基地局１０５−ｄは、場合によっては、コントローラ１２０−ａおよび／またはコアネットワーク１３０−ａの態様を含み得る。基地局１０５−ｄは、アンテナ６４５と、トランシーバモジュール６５０と、メモリ６７０と、プロセッサモジュール６６５とを含んでよく、その各々は、（たとえば、１つまたは複数のバスを介して）互いに直接または間接的に通信中であり得る。トランシーバモジュール６５０は、アンテナ６４５を介して、マルチモードユーザ機器であり得るユーザ機器１１５−ｄと双方向に通信するように構成され得る。トランシーバモジュール６５０（および／または、基地局１０５−ｄの他の構成要素）はまた、１つまたは複数のネットワークと双方向に通信するようにも構成され得る。場合によっては、基地局１０５−ｄは、ネットワーク通信モジュール６７５を通してネットワーク１３０−ａと通信し得る。基地局１０５−ｄは、ｅノードＢ基地局、ホームｅノードＢ基地局、ノードＢ基地局、無線ネットワークコントローラ（ＲＮＣ）、および／またはホームノードＢ基地局の一例であり得る。
【０２０３】
[0176]基地局１０５−ｄはまた、基地局１０５−ｅおよび基地局１０５−ｆなどの他の基地局１０５と通信し得る。基地局１０５の各々は、様々な無線アクセス技術などの様々なワイヤレス通信技術を使用してユーザ機器１１５−ｄと通信し得る。場合によっては、基地局１０５−ｄは、基地局通信モジュール６３１を利用して１０５−ｅおよび／または１０５−ｆなどの他の基地局と通信し得る。いくつかの実施形態では、基地局通信モジュール６３１は、基地局１０５のいくつかの間の通信を行うために、ＬＴＥワイヤレス通信技術内のＸ２インターフェースを提供し得る。いくつかの実施形態では、基地局１０５−ｄは、コントローラ１２０−ａおよび／またはネットワーク１３０−ａを通して他の基地局と通信し得る。
【０２０４】
[0177]メモリ６７０は、ランダムアクセスメモリ（ＲＡＭ）と読取り専用メモリ（ＲＯＭ）とを含み得る。メモリ６７０はまた、実行されるとプロセッサモジュール６６５に本明細書で説明される様々な機能（たとえば、呼処理、データベース管理、メッセージルーティングなど）を実行させるように構成された命令を含んでいるコンピュータ可読、コンピュータ実行可能ソフトウェアコード６７１を記憶し得る。代替的に、ソフトウェア６７１は、プロセッサモジュール６６５によって直接的に実行可能ではないことがあるが、たとえば、コンパイルされ実行されたとき、コンピュータに本明細書で説明される機能を実行させるように構成され得る。
【０２０５】
[0178]プロセッサモジュール６６５は、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）など、インテリジェントハードウェアデバイスを含み得る。プロセッサモジュール６６５は、マイクロフォンを介してオーディオを受信し、そのオーディオを、受信されたオーディオを表す（たとえば、長さ２０ｍｓの）パケットに変換し、そのオーディオパケットを与え、および／またはユーザが話しているかどうかの指示を与えるように構成された音声エンコーダ（図示せず）を含み得る。
【０２０６】
[0179]トランシーバモジュール６５０は、パケットを変調し、変調されたパケットを送信のためにアンテナ６４５に供給し、アンテナ６４５から受信されたパケットを復調するように構成されたモデムを含み得る。基地局１０５−ｄのいくつかの例は単一のアンテナ６４５を含み得るが、基地局１０５−ｄは、好ましくは、キャリアアグリゲーションをサポートし得る複数のリンクのための複数のアンテナ６４５を含む。たとえば、ユーザ機器１１５ｄとのマクロ通信をサポートするために１つまたは複数のリンクが使用され得る。
【０２０７】
[0180]図６のアーキテクチャによれば、基地局１０５−ｄは、通信管理モジュール６３０をさらに含み得る。例として、通信管理モジュール６３０は、バスを介して基地局１０５−ｄの他の構成要素の一部または全部と通信している基地局１０５−ｄの構成要素であり得る。代替的に、通信管理モジュール６３０の機能は、トランシーバモジュール６５０の構成要素として、コンピュータプログラム製品として、および／またはプロセッサモジュール６６５の１つもしくは複数のコントローラ要素として実装され得る。
【０２０８】
[0181]基地局１０５−ｄのための構成要素は、図５Ａのデバイス５００および／もしくは図５Ｂのデバイス５００−ａ、ならびに／または、図４Ａ、図４Ｂ、図４Ｃ、図４Ｄ、図４Ｅ、図４Ｆ、図４Ｇ、図４Ｈ、図４Ｉ、および／もしくは図４Ｊのシステム４００−ａ、４００−ｂ、４００−ｃ、４００−ｄ、４００−ｅ、４００−ｆ、４００−ｇ、４００−ｈ、４００−ｉ、および／もしくは４００−ｊの構成に関して上記で説明された態様を実装するように構成されてよく、簡潔のために本明細書で繰り返されないことがある。セルＤＲＸ識別モジュール５１１−ａは、図５Ｂの第１のセルＤＲＸ識別モジュール５１１の一例であり得る。セルＤＲＸ調整モジュール５１２−ａは、図５Ｂの第２のセルＤＲＸ調整モジュール５１２の一例であり得る。さらに、セルＤＲＸ識別モジュール５１１−ａとセルＤＲＸ調整モジュール５１２−ａとを含み得る、ＤＲＸ整合モジュール５１０−ｂは、図５ＡのＤＲＸ整合モジュール５１０および／または図５ＢのＤＲＸ整合モジュール５１０−ａの一例であり得る。
【０２０９】
[0182]基地局１０５−ｄはまた、スペクトル識別モジュール（図示せず）を含み得る。スペクトル識別モジュールは、フレキシブル帯域幅波形のために利用可能なスペクトルを識別するために利用され得る。いくつかの実施形態では、ハンドオーバモジュール６２５が、ある基地局１０５から別の基地局へのユーザ機器１１５−ｄのハンドオーバ手順を実行するために利用され得る。たとえば、ハンドオーバモジュール６２５は、基地局１０５−ｄから別の基地局へのユーザ機器１１５−ｄのハンドオーバ手順を実行してよく、ここで、通常波形がユーザ機器１１５−ｄと基地局のうちの１つとの間で利用され、フレキシブル帯域幅波形がユーザ機器と別の基地局との間で利用される。帯域幅スケーリングモジュール６２７は、フレキシブル帯域幅波形を生成するために、チップレートおよび／または時間をスケーリングおよび／または変更するために利用され得る。
【０２１０】
[0183]いくつかの実施形態では、トランシーバモジュール６５０は、基地局１０５−ｄの他の可能な構成要素とともに、アンテナ６４５と連携して、基地局１０５−ｄからユーザ機器１１５−ｄへ、他の基地局１０５−ｅ／１０５−ｆへ、またはコアネットワーク１３０−ａへ、フレキシブル帯域幅波形および／またはスケーリング係数に関する情報を送信および／または受信し得る。いくつかの実施形態では、トランシーバモジュール６５０は、基地局１０５−ｄの他の可能な構成要素とともに、アンテナ６４５と連携して、ユーザ機器１１５−ｄとの間で、他の基地局１０５−ｅ／１０５−ｆ、またはコアネットワーク１３０−ａとの間で、フレキシブル帯域幅波形および／またはスケーリング係数などの情報を送信および／または受信し得るので、これらのデバイスまたはシステムは、フレキシブル帯域幅波形を利用することができる。
【０２１１】
[0184]図７は、様々な実施形態によって構成されたユーザ機器１１５−ｅのブロック図７００である。ユーザ機器１１５−ｅは、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネットアプライアンス、ゲームコンソール、電子リーダーなど、様々な構成のいずれかを有し得る。ユーザ機器１１５−ｅは、モバイル動作を容易にするために、小型バッテリーなどの内蔵電源（図示せず）を有し得る。いくつかの実施形態では、ユーザ機器１１５−ｅは、図１に示されたシステム１００、図２Ａおよび図２Ｂのシステム２００−ａおよび２００−ｂ、図３のシステム３００、図４Ａ、図４Ｂ、図４Ｃ、図４Ｄ、図４Ｅ、図４Ｆ、図４Ｇ、図４Ｈ、図４Ｉ、および／もしくは図４Ｊのシステム４００−ａ、４００−ｂ、４００−ｃ、４００−ｄ、４００−ｅ、４００−ｆ、４００−ｇ、４００−ｈ、４００−ｉ、および／もしくは４００−ｊ、ならびに／または、図６のシステム６００、ならびに／または、図５Ａおよび／もしくは図５Ｂのデバイス５００および５００−ａの態様を実装し得る。ユーザ機器１１５−ｅは、マルチモードユーザ機器であり得る。ユーザ機器１１５−ｅは、場合によっては、ワイヤレス通信デバイスとさらに呼ばれることがある。
【０２１２】
[0185]ユーザ機器１１５−ｅは、アンテナ７４０と、トランシーバモジュール７５０と、メモリ７８０と、プロセッサモジュール７７０とを含んでよく、その各々は、（たとえば、１つまたは複数のバスを介して）互いに直接または間接的に通信中であり得る。トランシーバモジュール７５０は、上記で説明されたように、アンテナ７４０および／または１つもしくは複数のワイヤードリンクもしくはワイヤレスリンクを介して、１つまたは複数のネットワークと双方向に通信するように構成される。たとえば、トランシーバモジュール７５０は、図１、図２Ａおよび図２Ｂ、図３、ならびに／または図６の基地局１０５、ならびに／または、図５Ａおよび図５Ｂのデバイス５００およい５００−ａと双方向に通信するように構成され得る。トランシーバモジュール７５０は、パケットを変調し、変調されたパケットを送信のためにアンテナ７４０に供給し、アンテナ７４０から受信されたパケットを復調するように構成されたモデムを含み得る。ユーザ機器１１５−ｅは、単一のアンテナを含み得るが、ユーザ機器１１５−ｅは、典型的には、複数のリンクのための複数のアンテナ７４０を含むことになる。
【０２１３】
[0186]メモリ７８０は、ランダムアクセスメモリ（ＲＡＭ）と読取り専用メモリ（ＲＯＭ）とを含み得る。メモリ７８０は、実行されるとプロセッサモジュール７７０に本明細書で説明される様々な機能（たとえば、呼処理、データベース管理、メッセージルーティングなど）を実行させるように構成された命令を含んでいるコンピュータ可読、コンピュータ実行可能ソフトウェアコード７８５を記憶し得る。代替的に、ソフトウェア７８５は、プロセッサモジュール７７０によって直接的に実行可能ではないことがあるが、（たとえば、コンパイルされ実行されたとき）コンピュータに本明細書で説明される機能を実行させるように構成され得る。
【０２１４】
[0187]プロセッサモジュール７７０は、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）など、インテリジェントハードウェアデバイスを含み得る。プロセッサモジュール７７０は、マイクロフォンを介してオーディオを受信し、そのオーディオを、受信されたオーディオを表す（たとえば、長さ２０ｍｓの）パケットに変換し、そのオーディオパケットをトランシーバモジュール７５０に与え、ユーザが話しているかどうかの指示を与えるように構成された音声エンコーダ（図示せず）を含み得る。代替的に、エンコーダはパケットのみをトランシーバモジュール７５０に与えてよく、パケット自体の供給または抑制／抑圧が、ユーザが話しているかどうかの指示を与える。プロセッサモジュール７７０はまた、音声エンコーダとは逆の機能を実行し得る、音声デコーダを含み得る。
【０２１５】
[0188]図７のアーキテクチャによれば、ユーザ機器１１５−ｅは、通信管理モジュール７６０をさらに含み得る。通信管理モジュール７６０は、他のユーザ機器１１５との通信を管理し得る。例として、通信管理モジュール７６０は、バスを介してユーザ機器１１５−ｅの他の構成要素の一部または全部と通信しているユーザ機器１１５−ｅの構成要素であり得る。代替的に、通信管理モジュール７６０の機能は、トランシーバモジュール７５０の構成要素として、コンピュータプログラム製品として、および／またはプロセッサモジュール７７０の１つもしくは複数のコントローラ要素として実装され得る。
【０２１６】
[0189]ユーザ機器１１５−ｅのための構成要素は、図５Ａのデバイス５００および／もしくは図５Ｂのデバイス５００−ａ、図６のシステム６００、ならびに／または、図４Ａ、図４Ｂ、図４Ｃ、図４Ｄ、図４Ｅ、図４Ｆ、図４Ｇ、図４Ｈ、図４Ｉ、および／もしくは図４Ｊのシステム４００−ａ、４００−ｂ、４００−ｃ、４００−ｄ、４００−ｅ、４００−ｆ、４００−ｇ、４００−ｈ、４００−ｉ、および／もしくは４００−ｊの構成に関して上記で説明された態様を実装するように構成されてよく、簡潔のために本明細書で繰り返されないことがある。セルＤＲＸ識別モジュール５１１−ｂは、図５Ｂの第１のセルＤＲＸ識別モジュール５１１の一例であり得る。セルＤＲＸ調整モジュール５１２−ｂは、図５Ｂの第２のセルＤＲＸ調整モジュール５１２の一例であり得る。さらに、セルＤＲＸ識別モジュール５１１−ｂとセルＤＲＸ調整モジュール５１２−ｂとを含み得る、ＤＲＸ整合モジュール５１０−ｃは、図５ＡのＤＲＸ整合モジュール５１０および／または図５ＢのＤＲＸ整合モジュール５１０−ａの一例であり得る。
【０２１７】
[0190]ユーザ機器１１５−ｅはまた、スペクトル識別モジュール（図示せず）を含み得る。スペクトル識別モジュールは、フレキシブル帯域幅波形のために利用可能なスペクトルを識別するために利用され得る。いくつかの実施形態では、ハンドオーバモジュール７２５は、ある基地局から別の基地局へのユーザ機器１１５−ｅのハンドオーバ手順を実行するために利用され得る。たとえば、ハンドオーバモジュール７２５は、ある基地局から別の基地局へのユーザ機器１１５−ｅのハンドオーバ手順を実行してよく、ここで、通常波形がユーザ機器１１５−ｅと基地局のうちの１つとの間で利用され、フレキシブル帯域幅波形がユーザ機器と別の基地局との間で利用される。帯域幅スケーリングモジュール７７は、フレキシブル帯域幅波形を生成／復号するために、チップレートおよび／または時間をスケーリングおよび／または変更するために利用され得る。
【０２１８】
[0191]いくつかの実施形態では、トランシーバモジュール７５０は、ユーザ機器１１５−ｅの他の可能な構成要素とともに、アンテナ７４０と連携して、ユーザ機器１１５−ｅから基地局またはコアネットワークへ、フレキシブル帯域幅波形および／またはスケーリング係数に関する情報を送信し得る。いくつかの実施形態では、トランシーバモジュール７５０は、ユーザ機器１１５−ｅの他の可能な構成要素とともに、アンテナ７４０と連携して、基地局またはコアネットワークとの間で、情報、そのようなフレキシブル帯域幅波形および／またはスケーリング係数を送信／受信し得るので、これらのデバイスまたはシステムは、フレキシブル帯域幅波形を利用することができる。
【０２１９】
[0192]図８は、様々な実施形態による、基地局１０５−ｇとユーザ機器１１５−ｆとを含むシステム８００のブロック図である。システム８００は、図１のシステム１００、図２Ａおよび図２Ｂのシステム２００−ａおよび２００−ｂ、図３のシステム３００、図６のシステム６００、図７のシステム７００、ならびに／または、図５Ａおよび図５Ｂのデバイス５００および５００−ａの一例であり得る。基地局１０５−ｇは、アンテナ８３４−ａ〜８３４−ｘを搭載してよく、ユーザ機器１１５−ｆは、アンテナ８５２−ａ〜８５２−ｎを搭載してよい。基地局１０５−ｇにおいて、送信プロセッサ８２０がデータソースからデータを受信し得る。システム８００は、図４Ａ、図４Ｂ、図４Ｃ、図４Ｄ、図４Ｅ、図４Ｆ、図４Ｇ、図４Ｈ、図４Ｉ、および／もしくは図４Ｊ、ならびに／または関連する説明において示されるような、呼のフローおよび／またはシステムの様々な態様を実装するように構成され得る。
【０２２０】
[0193]送信プロセッサ８２０は、データを処理し得る。送信プロセッサ８２０はまた、基準シンボルと、セル固有基準信号とを生成し得る。送信（ＴＸ）ＭＩＭＯプロセッサ８３０は、適用可能な場合、データシンボル、制御シンボル、および／または基準シンボルに対して空間処理（たとえば、プリコーディング）を実行し得、出力シンボルストリームを送信変調器８３２−ａ〜８３２−ｘに与え得る。各変調器８３２は、出力サンプルストリームを取得するために、（たとえば、ＯＦＤＭなどのために）それぞれの出力シンボルストリームを処理し得る。各変調器８３２は、ダウンリンク（ＤＬ）信号を取得するために、その出力サンプルストリームをさらに処理（たとえば、アナログ変換、増幅、フィルタ処理、およびアップコンバート）し得る。一例では、変調器８３２−ａ〜８３２−ｘからのＤＬ信号は、それぞれ、アンテナ８３４−ａ〜８３４−ｘを介して送信され得る。送信プロセッサ８２０は、プロセッサ８４０から情報を受信し得る。プロセッサ８４０はメモリ８４２と結合され得る。プロセッサ８４０は、チップレートを変更することおよび／またはスケーリング係数を利用することを通して、フレキシブル帯域幅波形を生成するように構成され得る。いくつかの実施形態では、プロセッサモジュール８４０は、様々な実施形態によるフレキシブル帯域幅を動的に適合させるために構成され得る。プロセッサ８４０は、基地局１０５−ｇとユーザ機器１１５−ｆとの間の送信に関連付けられたフレキシブル帯域幅信号の１つまたは複数のスケール係数を動的に調整し得る。これらの調整は、トラフィックパターン、干渉測定値などのような情報に基づいて行われ得る。
【０２２１】
[0194]たとえば、システム８００内で、プロセッサ８４０は、第１のセルのためのＤＲＸサイクルを識別するように構成されたＤＲＸ整合モジュール５１０−ｄをさらに含み得る。ＤＲＸ整合モジュール５１０−ｄは、第２のセルのためのＤＲＸサイクルのための境界が、第１のセルのためのＤＲＸサイクルのための境界と一致するように、第２のセルのためのＤＲＸサイクルのための境界を調整するようにさらに構成されてよく、ここにおいて、少なくとも第１のセルまたは第２のセルは、１つまたは複数のフレキシブル帯域幅キャリアを含む。ＤＲＸ整合モジュール５１０−ｄは、図５Ａ、図５Ｂ、図６、および／または図７のＤＲＸ整合モジュール５１０、５１０−ａ、５１０−ｂ、および５１０−ｃの態様の一例であってよく、またはそれを組み込み得る。
【０２２２】
[0195]ユーザ機器１１５−ｆにおいて、ユーザ機器アンテナ８５２−ａ〜８５２−ｎは、基地局１０５−ｇからＤＬ信号を受信してよく、受信された信号を復調器８５４−ａ〜８５４−ｎにそれぞれ与え得る。各復調器８５４は、入力サンプルを取得するために、それぞれの受信された信号を調整（たとえば、フィルタ処理、増幅、ダウンコンバート、およびデジタル化）し得る。各復調器８５４は、受信されたシンボルを取得するために、（たとえば、ＯＦＤＭなどのために）入力サンプルをさらに処理し得る。ＭＩＭＯ検出器８５６は、受信されたシンボルをすべての復調器８５４−ａ〜８５４−ｎから取得し、適用可能な場合、受信されたシンボルに対してＭＩＭＯ検出を実行し、検出されたシンボルを与え得る。受信プロセッサ８５８は、検出されたシンボルを処理（たとえば、復調、デインターリーブ、および復号）し、ユーザ機器１１５−ｆのための復号されたデータをデータ出力に与え、復号された制御情報をプロセッサ８８０、またはメモリ８８２に与え得る。
【０２２３】
[0196]アップリンク（ＵＬ）または逆方向リンク上で、ユーザ機器１１５−ｆにおいて、送信プロセッサ８６４がデータソースからデータを受信し、処理し得る。送信機プロセッサ８６４はまた、基準信号のための基準シンボルを生成し得る。送信プロセッサ８６４からのシンボルは、適用可能な場合、送信ＭＩＭＯプロセッサ８６６によってプリコーディングされ、（たとえば、ＳＣ−ＦＤＭＡなどのために）復調器８５４−ａ〜８５４−ｎによってさらに処理され、基地局１０５−ｇから受信された送信パラメータに従って、基地局１０５−ｇに送信され得る。送信プロセッサ８６４はまた、チップレートを変更することおよび／またはスケーリング係数を利用することを通して、フレキシブル帯域幅波形を生成するように構成されてよく、これは場合によっては動的に行われ得る。送信プロセッサ８６４は、プロセッサ８８０から情報を受信し得る。プロセッサ８８０は、異なる整合および／またはオフセット手順を提供し得る。プロセッサ８８０はまた、他のサブシステム上で測定を実行すること、他のサブシステムへのハンドオフを実行すること、再選択を実行することなどを行うために、スケーリングおよび／またはチップレート情報を利用し得る。プロセッサ８８０は、パラメータスケーリングを通して、フレキシブル帯域幅の使用に関連付けられた時間伸張の影響を反転させ得る。基地局１０５−ｇにおいて、ユーザ機器１１５−ｆからのＵＬ信号は、アンテナ８３４によって受信され、復調器８３２によって処理され、適用可能な場合はＭＩＭＯ検出器８３６によって検出され、受信プロセッサ８３８によってさらに処理され得る。受信プロセッサ８３８は、復号されたデータをデータ出力とプロセッサ８４０とに与え得る。いくつかの実施形態では、プロセッサ８４０は、一般的なプロセッサ、送信プロセッサ８３０、および／または受信機プロセッサ８３８の一部として実装され得る。
【０２２４】
[0197]いくつかの実施形態では、プロセッサモジュール８８０は、様々な実施形態によるフレキシブル帯域幅を動的に適合させるために構成され得る。プロセッサ８８０は、基地局１０５−ｇとユーザ機器１１５−ｆとの間の送信に関連付けられたフレキシブル帯域幅信号の１つまたは複数のスケール係数を動的に調整し得る。これらの調整は、トラフィックパターン、干渉測定値などのような情報に基づいて行われ得る。
【０２２５】
[0198]たとえば、システム８００内で、プロセッサ８８０は、第１のセルのためのＤＲＸサイクルを識別するように構成されたＤＲＸ整合モジュール５１０−ｅをさらに含み得る。ＤＲＸ整合モジュール５１０−ｅは、第２のセルのためのＤＲＸサイクルのための境界が、第１のセルのためのＤＲＸサイクルのための境界と一致するように、第２のセルのためのＤＲＸサイクルのための境界を調整するようにさらに構成されてよく、ここにおいて、少なくとも第１のセルまたは第２のセルは、１つまたは複数のフレキシブル帯域幅キャリアを含む。ＤＲＸ整合モジュール５１０−ｄは、図５Ａ、図５Ｂ、図６、および／または図７のＤＲＸ整合モジュール５１０、５１０−ａ、５１０−ｂ、および５１０−ｃの態様の一例であってよく、またはそれを組み込み得る。さらに、ＤＲＸ整合モジュール５１０−ｅは、ＤＲＸ整合モジュール５１０−ｄと協調し、および／または機能を共有し得る。
【０２２６】
[0199]図９Ａを参照すると、様々な実施形態による、１つまたは複数のフレキシブル帯域幅キャリアを利用するマルチキャリアシステムにおけるＤＲＸのための方法９００の流れ図が提供される。方法９００は、限定はされないが、図１のシステム１００、図２Ａおよび図２Ｂのシステム２００−ａおよび２００−ｂ、図３のシステム３００、図４Ａ、図４Ｂ、図４Ｃ、図４Ｄ、図４Ｅ、図４Ｆ、図４Ｇ、図４Ｈ、図４Ｉ、および／もしくは図４Ｊのシステム４００−ａ、４００−ｂ、４００−ｃ、４００−ｄ、４００−ｅ、４００−ｆ、４００−ｇ、４００−ｈ、４００−ｉ、および／もしくは４００−ｊ、図６のシステム６００、図７のシステム７００、ならびに／または、図８のシステム８００、図１、図２Ａ、図２Ｂ、図３、図６、および／もしくは図８の基地局１０５、図１、図２Ａ、図２Ｂ、図３、図６、図７、および／もしくは図８のユーザ機器１１５、図１および／もしくは図６のコントローラ１２０／コアネットワーク１３０、ならびに／または、図５Ａおよび図５Ｂのデバイス５００および５００−ａを含む、様々なワイヤレス通信デバイスおよび／またはシステムを利用して実施され得る。
【０２２７】
[0200]ブロック９０５で、第１のセルのためのＤＲＸサイクルが識別され得る。ブロック９１０で、第２のセルのためのＤＲＸサイクルのための境界が、第１のセルのためのＤＲＸサイクルのための境界と一致するように、第２のセルのためのＤＲＸサイクルのための境界が調整されてよく、ここにおいて、少なくとも第１のセルまたは第２のセルは、１つまたは複数のフレキシブル帯域幅キャリアのうちの少なくとも１つを備える。
【０２２８】
[0201]いくつかの実施形態では、第１のセルのためのＤＲＸサイクルのための境界と第２のセルのためのＤＲＸサイクルのための境界の両方は、少なくとも開始境界または終了境界を備え得る。場合によっては、第２のセルのためのＤＲＸサイクルの期間は、第１のセルのためのＤＲＸサイクルの期間とは異なり得る。
【０２２９】
[0202]場合によっては、方法は、第１のセルに対して、監視されるサブフレームの数を増加または減少させるために、第２のセルのためのＤＲＸサイクルの長さを調整することをさらに含み得る。場合によっては、方法は、第１のセルのためのＤＲＸサイクルの周期性を識別することを含み、少なくとも、第１のセルのためのＤＲＸサイクルの周期性と一致するように、または、第１のセルのためのＤＲＸサイクルの周期性に対して、帯域幅スケーリング係数によってスケーリングされるように、第２のセルのためのＤＲＸサイクルの周期性を調整し得る。第１のセルのための有効化またはアクティベーション遅延に重複する、第２のセルのためのＤＲＸ命令のための最初の割り当てられたサブフレームが、第１および第２のセルのＤＲＸサイクルを整合させることをさらに支援するために、無視され得る。
【０２３０】
[0203]いくつかの実施形態では、方法は、少なくとも１つまたは複数のオフセットまたはサイクル長を送信および／または受信することによって、第２のセルのためのＤＲＸサイクルのための境界を調整することを含み得る。
【０２３１】
[0204]いくつかの実施形態では、第１のセルは、通常帯域幅キャリアを含んでよく、第２のセルは、１つまたは複数のフレキシブル帯域幅キャリアを含んでよい。他の実施形態では、第１のセルは、フレキシブル帯域幅キャリアを含んでよく、第２のセルは、第１のセルとは異なる１つまたは複数のフレキシブル帯域幅キャリアを含んでよい。場合によっては、第１のセルのフレキシブル帯域幅は、第２のセルのフレキシブル帯域幅よりも大きい。
【０２３２】
[0205]ＤＲＸのための方法はまた、第１のセルが１つまたは複数のフレキシブル帯域幅キャリアを含んでよく、第２のセルが通常帯域幅キャリアを含んでよいときも、有益に実施され得る。場合によっては、第１のセルは、１つまたは複数のフレキシブル帯域幅キャリアを含んでよく、第２のセルは、第１のセルとは異なる１つまたは複数のフレキシブル帯域幅キャリアを含んでよい。第１のセルのフレキシブル帯域幅は、第２のセルのフレキシブル帯域幅未満であり得る。
【０２３３】
[0206]さらに他の場合には、説明される方法は、第１のセルが１に等しい帯域幅スケーリング係数を含み、第２のセルが２または４に等しい帯域幅スケーリング係数を含む場合に実施され得る。場合によっては、第１のセルは、２または４に等しい帯域幅スケーリング係数を含んでよく、第２のセルは、１に等しい帯域幅スケーリング係数を含んでよい。
【０２３４】
[0207]図９Ｂを参照すると、様々な実施形態による、１つまたは複数のフレキシブル帯域幅キャリアを利用するマルチキャリアシステムにおけるＤＲＸのための方法９００−ａの流れ図が提供される。方法９００−ａは、限定はされないが、図１のシステム１００、図２Ａおよび図２Ｂのシステム２００−ａおよび２００−ｂ、図３のシステム３００、図４Ａ、図４Ｂ、図４Ｃ、図４Ｄ、図４Ｅ、図４Ｆ、図４Ｇ、図４Ｈ、図４Ｉ、および／もしくは図４Ｊのシステム４００−ａ、４００−ｂ、４００−ｃ、４００−ｄ、４００−ｅ、４００−ｆ、４００−ｇ、４００−ｈ、４００−ｉ、および／もしくは４００−ｊ、図６のシステム６００、図７のシステム７００、ならびに／または、図８のシステム８００、図１、図２Ａ、図２Ｂ、図３、図６、および／もしくは図８の基地局１０５、図１、図２Ａ、図２Ｂ、図３、図６、図７、および／もしくは図８のユーザ機器１１５、図１および／もしくは図６のコントローラ１２０／コアネットワーク１３０、ならびに／または、図５Ａおよび図５Ｂのデバイス５００および５００−ａを含む、様々なワイヤレス通信デバイスおよび／またはシステムを利用して実施され得る。方法９００−ａは、図９Ａの方法９００の一例であり得る。
【０２３５】
[0208]ブロック９０５−ａで、第１のセルのためのＤＲＸサイクルが識別され得る。ブロック９１１で、第２のセルのためのＤＲＸサイクルの長さが、第１のセルに対して、監視されるサブフレームの数を増加または減少させるために、調整され得る。第１または第２のキャリアのうちの少なくとも１つは、１つまたは複数のフレキシブル帯域幅キャリアを含み得る。ブロック９１２で、第１のセルのための有効化またはアクティベーション遅延に重複する、第２のセルのためのＤＲＸ命令のための最初の割り当てられたサブフレームが、無視され得る。
【０２３６】
[0209]いくつかの実施形態では、第１のセルは、通常帯域幅キャリアを含んでよく、第２のセルは、１つまたは複数のフレキシブル帯域幅キャリアを含んでよい。他の実施形態では、第１のセルは、フレキシブル帯域幅キャリアを含んでよく、第２のセルは、第１のセルとは異なる１つまたは複数のフレキシブル帯域幅キャリアを含んでよい。場合によっては、第１のセルのフレキシブル帯域幅は、第２のセルのフレキシブル帯域幅よりも大きい。
【０２３７】
[0210]ＤＲＸのための方法はまた、第１のセルが１つまたは複数のフレキシブル帯域幅キャリアを含んでよく、第２のセルが通常帯域幅キャリアを含んでよいときも、有益に実施され得る。場合によっては、第１のセルは、１つまたは複数のフレキシブル帯域幅キャリアを含んでよく、第２のセルは、第１のセルとは異なる１つまたは複数のフレキシブル帯域幅キャリアを含んでよい。第１のセルのフレキシブル帯域幅は、第２のセルのフレキシブル帯域幅未満であり得る。
【０２３８】
[0211]さらに他の場合には、説明される方法は、第１のセルが１に等しい帯域幅スケーリング係数を含み、第２のセルが２または４に等しい帯域幅スケーリング係数を含む場合に実施され得る。場合によっては、第１のセルは、２または４に等しい帯域幅スケーリング係数を含んでよく、第２のセルは、１に等しい帯域幅スケーリング係数を含んでよい。
【０２３９】
[0212]図９Ｃを参照すると、様々な実施形態による、１つまたは複数のフレキシブル帯域幅キャリアを利用するマルチキャリアシステムにおけるＤＲＸのための方法９００−ｂの流れ図が提供される。方法９００−ｂは、限定はされないが、図１のシステム１００、図２Ａおよび図２Ｂのシステム２００−ａおよび２００−ｂ、図３のシステム３００、図４Ａ、図４Ｂ、図４Ｃ、図４Ｄ、図４Ｅ、図４Ｆ、図４Ｇ、図４Ｈ、図４Ｉ、および／もしくは図４Ｊのシステム４００−ａ、４００−ｂ、４００−ｃ、４００−ｄ、４００−ｅ、４００−ｆ、４００−ｇ、４００−ｈ、４００−ｉ、および／もしくは４００−ｊ、図６のシステム６００、図７のシステム７００、ならびに／または、図８のシステム８００、図１、図２Ａ、図２Ｂ、図３、図６、および／もしくは図８の基地局１０５、図１、図２Ａ、図２Ｂ、図３、図６、図７、および／もしくは図８のユーザ機器１１５、図１および／もしくは図６のコントローラ１２０／コアネットワーク１３０、ならびに／または、図５Ａおよび図５Ｂのデバイス５００および５００−ａを含む、様々なワイヤレス通信デバイスおよび／またはシステムを利用して実施され得る。方法９００−ｂは、図９Ａの方法９００の一例であり得る。
【０２４０】
[0213]ブロック９０５−ａで、第１のセルのためのＤＲＸサイクルが識別され得る。ブロック９０７で、第１のセルのためのＤＲＸサイクルの周期性が識別され得る。第１または第２のキャリアのうちの少なくとも１つは、１つまたは複数のフレキシブル帯域幅キャリアを含み得る。ブロック９１３で、第２のセルのためのＤＲＸサイクルの周期性が、少なくとも、第１のセルのためのＤＲＸサイクルの周期性と一致するように、または、第１のセルのためのＤＲＸサイクルの周期性に対して、帯域幅スケーリング係数によってスケーリングされるように調整され得る。
【０２４１】
[0214]いくつかの実施形態では、第１のセルは、通常帯域幅キャリアを含んでよく、第２のセルは、１つまたは複数のフレキシブル帯域幅キャリアを含んでよい。他の実施形態では、第１のセルは、フレキシブル帯域幅キャリアを含んでよく、第２のセルは、第１のセルとは異なる１つまたは複数のフレキシブル帯域幅キャリアを含んでよい。場合によっては、第１のセルのフレキシブル帯域幅は、第２のセルのフレキシブル帯域幅よりも大きい。
【０２４２】
[0215]ＤＲＸのための方法はまた、第１のセルが１つまたは複数のフレキシブル帯域幅キャリアを含んでよく、第２のセルが通常帯域幅キャリアを含んでよいときも、有益に実施され得る。場合によっては、第１のセルは、１つまたは複数のフレキシブル帯域幅キャリアを含んでよく、第２のセルは、第１のセルとは異なる１つまたは複数のフレキシブル帯域幅キャリアを含んでよい。第１のセルのフレキシブル帯域幅は、第２のセルのフレキシブル帯域幅未満であり得る。
【０２４３】
[0216]さらに他の場合には、説明される方法は、第１のセルが１に等しい帯域幅スケーリング係数を含み、第２のセルが２または４に等しい帯域幅スケーリング係数を含む場合に実施され得る。場合によっては、第１のセルは、２または４に等しい帯域幅スケーリング係数を含んでよく、第２のセルは、１に等しい帯域幅スケーリング係数を含んでよい。
【０２４４】
[0217]添付の図面に関して上記に記載された発明を実施するための形態は、例示的な実施形態について説明しており、実装され得るまたは特許請求の範囲内に入る実施形態のみを表すものではない。この説明全体にわたって使用される「例示的」という用語は、「例、事例、または例示の働きをすること」を意味し、「好ましい」または「他の実施形態よりも有利な」を意味しない。発明を実施するための形態は、記載された技法の理解を与えるための具体的な詳細を含む。しかしながら、これらの技法は、これらの具体的な詳細なしに実践され得る。場合によっては、記載された実施形態の概念を不明瞭にしないために、よく知られている構造およびデバイスがブロック図の形態で示される。
【０２４５】
[0218]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２４６】
[0219]本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来型プロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０２４７】
[0220]本明細書で説明された機能は、ハードウェア、プロセッサによって実行されるソフトウェア、ファームウェア、またはそれらの任意の組合せで実装され得る。プロセッサによって実行されるソフトウェアに実装される場合、機能は、１つまたは複数の命令またはコードとしてコンピュータ可読媒体上に記憶されるか、またはコンピュータ可読媒体を介して送信される場合がある。他の例および実装形態は、本開示および添付の特許請求の範囲内および趣旨内にある。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が様々な物理的位置に実装されるように分散されることを含めて、様々な位置に物理的に配置される場合がある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙がＡまたはＢまたはＣまたはＡＢまたはＡＣまたはＢＣまたはＡＢＣ（すなわち、ＡおよびＢおよびＣ）を意味するような選言的列挙を示す。
【０２４８】
[0221]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、同軸ケーブル、光ファイバーケーブル、ツイストペア、デジタル加入者線（ＤＳＬ）、または赤外線、無線、およびマイクロ波などのワイヤレス技術を使用して、ソフトウェアがウェブサイト、サーバまたは他の遠隔ソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ただし、ディスク（disk）は、通常、データを磁気的に再生し、一方ディスク（disc）は、データをレーザーで光学的に再生する。上記の組合せもコンピュータ可読媒体の範囲内に含まれる。
【０２４９】
[0222]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
【図１】
2016521050.tif 000037
【図２Ａ】
2016521050.tif 000038
【図２Ｂ】
2016521050.tif 000039
【図３】
2016521050.tif 000040
【図４Ａ】
2016521050.tif 000041
【図４Ｂ】
2016521050.tif 000042
【図４Ｃ】
2016521050.tif 000043
【図４Ｄ】
2016521050.tif 000044
【図４Ｅ】
2016521050.tif 000045
【図４Ｆ】
2016521050.tif 000046
【図４Ｇ】
2016521050.tif 000047
【図４Ｈ】
2016521050.tif 000048
【図４Ｉ】
2016521050.tif 000049
【図４Ｊ】
2016521050.tif 000050
【図５Ａ】
2016521050.tif 000051
【図５Ｂ】
2016521050.tif 000052
【図６】
2016521050.tif 000053
【図７】
2016521050.tif 000054
【図８】
2016521050.tif 000055
【図９Ａ】
2016521050.tif 000056
【図９Ｂ】
2016521050.tif 000057
【図９Ｃ】
2016521050.tif 000058
【手続補正書】
【提出日】平成28年1月4日(2016.1.4)
【手続補正１】
【補正対象書類名】特許請求の範囲
【補正対象項目名】全文
【補正方法】変更
【補正の内容】
【特許請求の範囲】
【請求項１】
１つまたは複数のフレキシブル帯域幅キャリアを利用するマルチキャリアシステムにおける間欠受信（ＤＲＸ）の方法であって、
第１のセルのためのＤＲＸサイクルを識別することと、
第２のセルのためのＤＲＸサイクルのための境界が、前記第１のセルのための前記ＤＲＸサイクルのための境界と一致するように、前記第２のセルのための前記ＤＲＸサイクルのための前記境界を調整することと、ここにおいて、少なくとも前記第１のセルまたは前記第２のセルは、前記１つまたは複数のフレキシブル帯域幅キャリアのうちの少なくとも１つを備え、前記１つまたは複数のフレキシブル帯域幅キャリアは、通常帯域幅システムに対してスケーリング係数によってスケーリングされる、
を備える方法。
【請求項２】
前記第１のセルのための前記ＤＲＸサイクルのための前記境界と前記第２のセルのための前記ＤＲＸサイクルのための前記境界の両方が、少なくとも開始境界または終了境界を備える、請求項１に記載の方法。
【請求項３】
前記第２のセルのための前記ＤＲＸサイクルの期間が、前記第１のセルのための前記ＤＲＸサイクルの期間とは異なる、請求項１に記載の方法。
【請求項４】
前記第１のセルに対して、監視されるサブフレームの数を増加または減少させるために、前記第２のセルのための前記ＤＲＸサイクルの長さを調整することをさらに備える、請求項１に記載の方法。
【請求項５】
前記第１のセルのための前記ＤＲＸサイクルの周期性を識別することと、
少なくとも、前記第１のセルのための前記ＤＲＸサイクルの前記周期性と一致するように、または、前記第１のセルのための前記ＤＲＸサイクルの前記周期性に対して、帯域幅スケーリング係数によってスケーリングされるように、前記第２のセルのための前記ＤＲＸサイクルの周期性を調整することとをさらに備える、請求項１に記載の方法。
【請求項６】
前記第２のセルのための前記ＤＲＸサイクルのための前記境界を調整することを容易にするために、少なくとも１つまたは複数のオフセットまたはサイクル長をユーザ機器（ＵＥ）へ送信すること、またはユーザ機器（ＵＥ）において受信することをさらに備える、請求項１に記載の方法。
【請求項７】
前記第１のセルのための有効化またはアクティベーション遅延に重複する、前記第２のセルのためのＤＲＸ命令のための最初の割り当てられたサブフレームを無視することをさらに備える、請求項１に記載の方法。
【請求項８】
前記第１のセルが、通常帯域幅キャリアを備え、前記第２のセルが、前記１つまたは複数のフレキシブル帯域幅キャリアのうちの１つを備える、請求項１に記載の方法。
【請求項９】
前記第１のセルが、フレキシブル帯域幅キャリアを備え、前記第２のセルが、前記第１のセルとは異なる、前記１つまたは複数のフレキシブル帯域幅キャリアのうちの１つを備える、請求項１に記載の方法。
【請求項１０】
前記第１のセルが、前記１つまたは複数のフレキシブル帯域幅キャリアのうちの１つを備え、前記第２のセルが、通常帯域幅キャリアを備える、請求項１に記載の方法。
【請求項１１】
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、請求項１に記載の方法。
【請求項１２】
前記第１のセルが、１に等しい帯域幅スケーリング係数を備え、前記第２のセルが、２または４に等しい帯域幅スケーリング係数を備える、請求項８に記載の方法。
【請求項１３】
１つまたは複数のフレキシブル帯域幅キャリアを利用するマルチキャリアシステムにおける間欠受信（ＤＲＸ）のためのシステムであって、
第１のセルのためのＤＲＸサイクルを識別するための手段と、
第２のセルのためのＤＲＸサイクルのための境界が、前記第１のセルのための前記ＤＲＸサイクルのための境界と一致するように、前記第２のセルのための前記ＤＲＸサイクルのための前記境界を調整するための手段と、ここにおいて、少なくとも前記第１のセルまたは前記第２のセルは、前記１つまたは複数のフレキシブル帯域幅キャリアのうちの少なくとも１つを備え、前記１つまたは複数のフレキシブル帯域幅キャリアは、通常帯域幅システムに対してスケーリング係数によってスケーリングされる、
を備えるシステム。
【請求項１４】
前記第１のセルのための前記ＤＲＸサイクルのための前記境界と前記第２のセルのための前記ＤＲＸサイクルのための前記境界の両方が、少なくとも開始境界または終了境界を備える、請求項１３に記載のシステム。
【請求項１５】
前記第２のセルのための前記ＤＲＸサイクルの期間が、前記第１のセルのための前記ＤＲＸサイクルの期間とは異なる、請求項１３に記載のシステム。
【請求項１６】
前記第１のセルに対して、監視されるサブフレームの数を増加または減少させるために、前記第２のセルのための前記ＤＲＸサイクルの長さを調整するための手段をさらに備える、請求項１３に記載のシステム。
【請求項１７】
前記第１のセルのための前記ＤＲＸサイクルの周期性を識別するための手段と、
少なくとも、前記第１のセルのための前記ＤＲＸサイクルの前記周期性と一致するように、または、前記第１のセルのための前記ＤＲＸサイクルの前記周期性に対して、帯域幅スケーリング係数によってスケーリングされるように、前記第２のセルのための前記ＤＲＸサイクルの周期性を調整するための手段とをさらに備える、請求項１３に記載のシステム。
【請求項１８】
前記第２のセルのための前記ＤＲＸサイクルのための前記境界を調整することを容易にするために、少なくとも１つまたは複数のオフセットまたはサイクル長をユーザ機器（ＵＥ）へ送信する、またはユーザ機器（ＵＥ）において受信するための手段をさらに備える、請求項１３に記載のシステム。
【請求項１９】
前記第１のセルのための有効化またはアクティベーション遅延に重複する、前記第２のセルのためのＤＲＸ命令のための最初の割り当てられたサブフレームを無視するための手段をさらに備える、請求項１３に記載のシステム。
【請求項２０】
前記第１のセルが、通常帯域幅キャリアを備え、前記第２のセルが、前記１つまたは複数のフレキシブル帯域幅キャリアのうちの１つを備える、請求項１３に記載のシステム。
【請求項２１】
前記第１のセルが、フレキシブル帯域幅キャリアを備え、前記第２のセルが、前記第１のセルとは異なる、前記１つまたは複数のフレキシブル帯域幅キャリアのうちの１つを備える、請求項１３に記載のシステム。
【請求項２２】
前記第１のセルが、前記１つまたは複数のフレキシブル帯域幅キャリアのうちの１つを備え、前記第２のセルが、通常帯域幅キャリアを備える、請求項１３に記載のシステム。
【請求項２３】
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、請求項１３に記載のシステム。
【請求項２４】
前記第１のセルが、１に等しい帯域幅スケーリング係数を備え、前記第２のセルが、２または４に等しい帯域幅スケーリング係数を備える、請求項２０に記載のシステム。
【請求項２５】
１つまたは複数のフレキシブル帯域幅キャリアを利用するマルチキャリアシステムにおける間欠受信（ＤＲＸ）のためのコンピュータプログラム製品であって、
第１のセルのためのＤＲＸサイクルを識別するためのコードと、
第２のセルのためのＤＲＸサイクルのための境界が、前記第１のセルのための前記ＤＲＸサイクルのための境界と一致するように、前記第２のセルのための前記ＤＲＸサイクルのための前記境界を調整するためのコードと、ここにおいて、少なくとも前記第１のセルまたは前記第２のセルは、前記１つまたは複数のフレキシブル帯域幅キャリアのうちの少なくとも１つを備え、前記１つまたは複数のフレキシブル帯域幅キャリアは、通常帯域幅システムに対してスケーリング係数によってスケーリングされる、
を備える非一時的コンピュータ可読媒体を備えるコンピュータプログラム製品。
【請求項２６】
前記第１のセルのための前記ＤＲＸサイクルのための前記境界と前記第２のセルのための前記ＤＲＸサイクルのための前記境界の両方が、少なくとも開始境界または終了境界を備える、請求項２５に記載のコンピュータプログラム製品。
【請求項２７】
前記第２のセルのための前記ＤＲＸサイクルの期間が、前記第１のセルのための前記ＤＲＸサイクルの期間とは異なる、請求項２５に記載のコンピュータプログラム製品。
【請求項２８】
前記第１のセルに対して、監視されるサブフレームの数を増加または減少させるために、前記第２のセルのための前記ＤＲＸサイクルの長さを調整するためのコードをさらに備える、請求項２５に記載のコンピュータプログラム製品。
【請求項２９】
前記第１のセルのための前記ＤＲＸサイクルの周期性を識別するためのコードと、
少なくとも、前記第１のセルのための前記ＤＲＸサイクルの前記周期性と一致するように、または、前記第１のセルのための前記ＤＲＸサイクルの前記周期性に対して、帯域幅スケーリング係数によってスケーリングされるように、前記第２のセルのための前記ＤＲＸサイクルの周期性を調整するためのコードとをさらに備える、請求項２５に記載のコンピュータプログラム製品。
【請求項３０】
前記第２のセルのための前記ＤＲＸサイクルのための前記境界を調整することを容易にするために、少なくとも１つまたは複数のオフセットまたはサイクル長をユーザ機器（ＵＥ）へ送信する、またはユーザ機器（ＵＥ）において受信するためのコードをさらに備える、請求項２５に記載のコンピュータプログラム製品。
【請求項３１】
前記第１のセルのための有効化またはアクティベーション遅延に重複する、前記第２のセルのためのＤＲＸ命令のための最初の割り当てられたサブフレームを無視するためのコードをさらに備える、請求項２５に記載のコンピュータプログラム製品。
【請求項３２】
前記第１のセルが、通常帯域幅キャリアを備え、前記第２のセルが、前記１つまたは複数のフレキシブル帯域幅キャリアのうちの１つを備える、請求項２５に記載のコンピュータプログラム製品。
【請求項３３】
前記第１のセルが、フレキシブル帯域幅キャリアを備え、前記第２のセルが、前記第１のセルとは異なる、前記１つまたは複数のフレキシブル帯域幅キャリアのうちの１つを備える、請求項２５に記載のコンピュータプログラム製品。
【請求項３４】
前記第１のセルが、前記１つまたは複数のフレキシブル帯域幅キャリアのうちの１つを備え、前記第２のセルが、通常帯域幅キャリアを備える、請求項２５に記載のコンピュータプログラム製品。
【請求項３５】
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、請求項２５に記載のコンピュータプログラム製品。
【請求項３６】
前記第１のセルが、１に等しい帯域幅スケーリング係数を備え、前記第２のセルが、２または４に等しい帯域幅スケーリング係数を備える、請求項３２に記載のコンピュータプログラム製品。
【請求項３７】
１つまたは複数のフレキシブル帯域幅キャリアを利用するマルチキャリアシステムにおける間欠受信（ＤＲＸ）のために構成されたワイヤレス通信デバイスであって、
第１のセルのためのＤＲＸサイクルを識別することと、
第２のセルのためのＤＲＸサイクルのための境界が、前記第１のセルのための前記ＤＲＸサイクルのための境界と一致するように、前記第２のセルのための前記ＤＲＸサイクルのための前記境界を調整することと、ここにおいて、少なくとも前記第１のセルまたは前記第２のセルは、前記１つまたは複数のフレキシブル帯域幅キャリアのうちの少なくとも１つを備え、前記１つまたは複数のフレキシブル帯域幅キャリアは、通常帯域幅システムに対してスケーリング係数によってスケーリングされる、
を行うように構成された少なくとも１つのプロセッサを備えるワイヤレス通信デバイス。
【請求項３８】
前記第１のセルのための前記ＤＲＸサイクルのための前記境界と前記第２のセルのための前記ＤＲＸサイクルのための前記境界の両方が、少なくとも開始境界または終了境界を備える、請求項３７に記載のワイヤレス通信デバイス。
【請求項３９】
前記第２のセルのための前記ＤＲＸサイクルの期間が、前記第１のセルのための前記ＤＲＸサイクルの期間とは異なる、請求項３７に記載のワイヤレス通信デバイス。
【請求項４０】
前記少なくとも１つのプロセッサが、
前記第１のセルに対して、監視されるサブフレームの数を増加または減少させるために、前記第２のセルのための前記ＤＲＸサイクルの長さを調整することを行うようにさらに構成される、請求項３７に記載のワイヤレス通信デバイス。
【請求項４１】
前記少なくとも１つのプロセッサが、
前記第１のセルのための前記ＤＲＸサイクルの周期性を識別することと、
少なくとも、前記第１のセルのための前記ＤＲＸサイクルの前記周期性と一致するように、または、前記第１のセルのための前記ＤＲＸサイクルの前記周期性に対して、帯域幅スケーリング係数によってスケーリングされるように、前記第２のセルのための前記ＤＲＸサイクルの周期性を調整することとを行うようにさらに構成される、請求項３７に記載のワイヤレス通信デバイス。
【請求項４２】
前記少なくとも１つのプロセッサが、
前記第２のセルのための前記ＤＲＸサイクルのための前記境界を調整することを容易にするために、少なくとも１つまたは複数のオフセットまたはサイクル長をユーザ機器（ＵＥ）へ送信すること、またはユーザ機器（ＵＥ）において受信することを行うようにさらに構成される、請求項３７に記載のワイヤレス通信デバイス。
【請求項４３】
前記少なくとも１つのプロセッサが、
前記第１のセルのための有効化またはアクティベーション遅延に重複する、前記第２のセルのためのＤＲＸ命令のための最初の割り当てられたサブフレームを無視することを行うようにさらに構成される、請求項３７に記載のワイヤレス通信デバイス。
【請求項４４】
前記第１のセルが、通常帯域幅キャリアを備え、前記第２のセルが、前記１つまたは複数のフレキシブル帯域幅キャリアのうちの１つを備える、請求項３７に記載のワイヤレス通信デバイス。
【請求項４５】
前記第１のセルが、フレキシブル帯域幅キャリアを備え、前記第２のセルが、前記第１のセルとは異なる、前記１つまたは複数のフレキシブル帯域幅キャリアのうちの１つを備える、請求項３７に記載のワイヤレス通信デバイス。
【請求項４６】
前記第１のセルが、前記１つまたは複数のフレキシブル帯域幅キャリアのうちの１つを備え、前記第２のセルが、通常帯域幅キャリアを備える、請求項３７に記載のワイヤレス通信デバイス。
【請求項４７】
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、請求項３７に記載のワイヤレス通信デバイス。
【請求項４８】
前記第１のセルが、１に等しい帯域幅スケーリング係数を備え、前記第２のセルが、２または４に等しい帯域幅スケーリング係数を備える、請求項４４に記載のワイヤレス通信デバイス。
【手続補正２】
【補正対象書類名】明細書
【補正対象項目名】０２４９
【補正方法】変更
【補正の内容】
【０２４９】
[0222]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
１つまたは複数のフレキシブル帯域幅キャリアを利用するマルチキャリアシステムにおける間欠受信（ＤＲＸ）の方法であって、
第１のセルのためのＤＲＸサイクルを識別することと、
第２のセルのためのＤＲＸサイクルのための境界が、前記第１のセルのための前記ＤＲＸサイクルのための境界と一致するように、前記第２のセルのための前記ＤＲＸサイクルのための前記境界を調整することと、ここにおいて、少なくとも前記第１のセルまたは前記第２のセルは、前記１つまたは複数のフレキシブル帯域幅キャリアのうちの少なくとも１つを備える
を備える方法。
［Ｃ２］
前記第１のセルのための前記ＤＲＸサイクルのための前記境界と前記第２のセルのための前記ＤＲＸサイクルのための前記境界の両方が、少なくとも開始境界または終了境界を備える、Ｃ１に記載の方法。
［Ｃ３］
前記第２のセルのための前記ＤＲＸサイクルの期間が、前記第１のセルのための前記ＤＲＸサイクルの期間とは異なる、Ｃ１に記載の方法。
［Ｃ４］
前記第１のセルに対して、監視されるサブフレームの数を増加または減少させるために、前記第２のセルのための前記ＤＲＸサイクルの長さを調整することをさらに備える、Ｃ１に記載の方法。
［Ｃ５］
前記第１のセルのための前記ＤＲＸサイクルの周期性を識別することと、
少なくとも、前記第１のセルのための前記ＤＲＸサイクルの前記周期性と一致するように、または、前記第１のセルのための前記ＤＲＸサイクルの前記周期性に対して、帯域幅スケーリング係数によってスケーリングされるように、前記第２のセルのための前記ＤＲＸサイクルの周期性を調整することとをさらに備える、Ｃ１に記載の方法。
［Ｃ６］
前記第２のセルのための前記ＤＲＸサイクルのための前記境界を調整することを容易にするために、少なくとも１つまたは複数のオフセットまたはサイクル長をユーザ機器（ＵＥ）へ送信すること、またはユーザ機器（ＵＥ）において受信することをさらに備える、Ｃ１に記載の方法。
［Ｃ７］
前記第１のセルのための有効化またはアクティベーション遅延に重複する、前記第２のセルのためのＤＲＸ命令のための最初の割り当てられたサブフレームを無視することをさらに備える、Ｃ１に記載の方法。
［Ｃ８］
前記第１のセルが、通常帯域幅キャリアを備え、前記第２のセルが、前記１つまたは複数のフレキシブル帯域幅キャリアのうちの１つを備える、Ｃ１に記載の方法。
［Ｃ９］
前記第１のセルが、フレキシブル帯域幅キャリアを備え、前記第２のセルが、前記第１のセルとは異なる、前記１つまたは複数のフレキシブル帯域幅キャリアのうちの１つを備える、Ｃ１に記載の方法。
［Ｃ１０］
前記第１のセルが、前記１つまたは複数のフレキシブル帯域幅キャリアのうちの１つを備え、前記第２のセルが、通常帯域幅キャリアを備える、Ｃ１に記載の方法。
［Ｃ１１］
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、Ｃ１に記載の方法。
［Ｃ１２］
前記第１のセルが、１に等しい帯域幅スケーリング係数を備え、前記第２のセルが、２または４に等しい帯域幅スケーリング係数を備える、Ｃ８に記載の方法。
［Ｃ１３］
１つまたは複数のフレキシブル帯域幅キャリアを利用するマルチキャリアシステムにおける間欠受信（ＤＲＸ）のためのシステムであって、
第１のセルのためのＤＲＸサイクルを識別するための手段と、
第２のセルのためのＤＲＸサイクルのための境界が、前記第１のセルのための前記ＤＲＸサイクルのための境界と一致するように、前記第２のセルのための前記ＤＲＸサイクルのための前記境界を調整するための手段と、ここにおいて、少なくとも前記第１のセルまたは前記第２のセルは、前記１つまたは複数のフレキシブル帯域幅キャリアのうちの少なくとも１つを備えるを備えるシステム。
［Ｃ１４］
前記第１のセルのための前記ＤＲＸサイクルのための前記境界と前記第２のセルのための前記ＤＲＸサイクルのための前記境界の両方が、少なくとも開始境界または終了境界を備える、Ｃ１３に記載のシステム。
［Ｃ１５］
前記第２のセルのための前記ＤＲＸサイクルの期間が、前記第１のセルのための前記ＤＲＸサイクルの期間とは異なる、Ｃ１３に記載のシステム。
［Ｃ１６］
前記第１のセルに対して、監視されるサブフレームの数を増加または減少させるために、前記第２のセルのための前記ＤＲＸサイクルの長さを調整するための手段をさらに備える、Ｃ１３に記載のシステム。
［Ｃ１７］
前記第１のセルのための前記ＤＲＸサイクルの周期性を識別するための手段と、
少なくとも、前記第１のセルのための前記ＤＲＸサイクルの前記周期性と一致するように、または、前記第１のセルのための前記ＤＲＸサイクルの前記周期性に対して、帯域幅スケーリング係数によってスケーリングされるように、前記第２のセルのための前記ＤＲＸサイクルの周期性を調整するための手段とをさらに備える、Ｃ１３に記載のシステム。
［Ｃ１８］
前記第２のセルのための前記ＤＲＸサイクルのための前記境界を調整することを容易にするために、少なくとも１つまたは複数のオフセットまたはサイクル長をユーザ機器（ＵＥ）へ送信する、またはユーザ機器（ＵＥ）において受信するための手段をさらに備える、Ｃ１３に記載のシステム。
［Ｃ１９］
前記第１のセルのための有効化またはアクティベーション遅延に重複する、前記第２のセルのためのＤＲＸ命令のための最初の割り当てられたサブフレームを無視するための手段をさらに備える、Ｃ１３に記載のシステム。
［Ｃ２０］
前記第１のセルが、通常帯域幅キャリアを備え、前記第２のセルが、前記１つまたは複数のフレキシブル帯域幅キャリアのうちの１つを備える、Ｃ１３に記載のシステム。
［Ｃ２１］
前記第１のセルが、フレキシブル帯域幅キャリアを備え、前記第２のセルが、前記第１のセルとは異なる、前記１つまたは複数のフレキシブル帯域幅キャリアのうちの１つを備える、Ｃ１３に記載のシステム。
［Ｃ２２］
前記第１のセルが、前記１つまたは複数のフレキシブル帯域幅キャリアのうちの１つを備え、前記第２のセルが、通常帯域幅キャリアを備える、Ｃ１３に記載のシステム。
［Ｃ２３］
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、Ｃ１３に記載のシステム。
［Ｃ２４］
前記第１のセルが、１に等しい帯域幅スケーリング係数を備え、前記第２のセルが、２または４に等しい帯域幅スケーリング係数を備える、Ｃ２０に記載のシステム。
［Ｃ２５］
１つまたは複数のフレキシブル帯域幅キャリアを利用するマルチキャリアシステムにおける間欠受信（ＤＲＸ）のためのコンピュータプログラム製品であって、
第１のセルのためのＤＲＸサイクルを識別するためのコードと、
第２のセルのためのＤＲＸサイクルのための境界が、前記第１のセルのための前記ＤＲＸサイクルのための境界と一致するように、前記第２のセルのための前記ＤＲＸサイクルのための前記境界を調整するためのコードと、ここにおいて、少なくとも前記第１のセルまたは前記第２のセルは、前記１つまたは複数のフレキシブル帯域幅キャリアのうちの少なくとも１つを備える
を備える非一時的コンピュータ可読媒体を備えるコンピュータプログラム製品。
［Ｃ２６］
前記第１のセルのための前記ＤＲＸサイクルのための前記境界と前記第２のセルのための前記ＤＲＸサイクルのための前記境界の両方が、少なくとも開始境界または終了境界を備える、Ｃ２５に記載のコンピュータプログラム製品。
［Ｃ２７］
前記第２のセルのための前記ＤＲＸサイクルの期間が、前記第１のセルのための前記ＤＲＸサイクルの期間とは異なる、Ｃ２５に記載のコンピュータプログラム製品。
［Ｃ２８］
前記第１のセルに対して、監視されるサブフレームの数を増加または減少させるために、前記第２のセルのための前記ＤＲＸサイクルの長さを調整するためのコードをさらに備える、Ｃ２５に記載のコンピュータプログラム製品。
［Ｃ２９］
前記第１のセルのための前記ＤＲＸサイクルの周期性を識別するためのコードと、
少なくとも、前記第１のセルのための前記ＤＲＸサイクルの前記周期性と一致するように、または、前記第１のセルのための前記ＤＲＸサイクルの前記周期性に対して、帯域幅スケーリング係数によってスケーリングされるように、前記第２のセルのための前記ＤＲＸサイクルの周期性を調整するためのコードとをさらに備える、Ｃ２５に記載のコンピュータプログラム製品。
［Ｃ３０］
前記第２のセルのための前記ＤＲＸサイクルのための前記境界を調整することを容易にするために、少なくとも１つまたは複数のオフセットまたはサイクル長をユーザ機器（ＵＥ）へ送信する、またはユーザ機器（ＵＥ）において受信するためのコードをさらに備える、Ｃ２５に記載のコンピュータプログラム製品。
［Ｃ３１］
前記第１のセルのための有効化またはアクティベーション遅延に重複する、前記第２のセルのためのＤＲＸ命令のための最初の割り当てられたサブフレームを無視するためのコードをさらに備える、Ｃ２５に記載のコンピュータプログラム製品。
［Ｃ３２］
前記第１のセルが、通常帯域幅キャリアを備え、前記第２のセルが、前記１つまたは複数のフレキシブル帯域幅キャリアのうちの１つを備える、Ｃ２５に記載のコンピュータプログラム製品。
［Ｃ３３］
前記第１のセルが、フレキシブル帯域幅キャリアを備え、前記第２のセルが、前記第１のセルとは異なる、前記１つまたは複数のフレキシブル帯域幅キャリアのうちの１つを備える、Ｃ２５に記載のコンピュータプログラム製品。
［Ｃ３４］
前記第１のセルが、前記１つまたは複数のフレキシブル帯域幅キャリアのうちの１つを備え、前記第２のセルが、通常帯域幅キャリアを備える、Ｃ２５に記載のコンピュータプログラム製品。
［Ｃ３５］
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、Ｃ２５に記載のコンピュータプログラム製品。
［Ｃ３６］
前記第１のセルが、１に等しい帯域幅スケーリング係数を備え、前記第２のセルが、２または４に等しい帯域幅スケーリング係数を備える、Ｃ３２に記載のコンピュータプログラム製品。
［Ｃ３７］
１つまたは複数のフレキシブル帯域幅キャリアを利用するマルチキャリアシステムにおける間欠受信（ＤＲＸ）のために構成されたワイヤレス通信デバイスであって、
第１のセルのためのＤＲＸサイクルを識別することと、
第２のセルのためのＤＲＸサイクルのための境界が、前記第１のセルのための前記ＤＲＸサイクルのための境界と一致するように、前記第２のセルのための前記ＤＲＸサイクルのための前記境界を調整することと、ここにおいて、少なくとも前記第１のセルまたは前記第２のセルは、前記１つまたは複数のフレキシブル帯域幅キャリアのうちの少なくとも１つを備える
を行うように構成された少なくとも１つのプロセッサを備えるワイヤレス通信デバイス。
［Ｃ３８］
前記第１のセルのための前記ＤＲＸサイクルのための前記境界と前記第２のセルのための前記ＤＲＸサイクルのための前記境界の両方が、少なくとも開始境界または終了境界を備える、Ｃ３７に記載のワイヤレス通信デバイス。
［Ｃ３９］
前記第２のセルのための前記ＤＲＸサイクルの期間が、前記第１のセルのための前記ＤＲＸサイクルの期間とは異なる、Ｃ３７に記載のワイヤレス通信デバイス。
［Ｃ４０］
前記少なくとも１つのプロセッサが、
前記第１のセルに対して、監視されるサブフレームの数を増加または減少させるために、前記第２のセルのための前記ＤＲＸサイクルの長さを調整することを行うようにさらに構成される、Ｃ３７に記載のワイヤレス通信デバイス。
［Ｃ４１］
前記少なくとも１つのプロセッサが、
前記第１のセルのための前記ＤＲＸサイクルの周期性を識別することと、
少なくとも、前記第１のセルのための前記ＤＲＸサイクルの前記周期性と一致するように、または、前記第１のセルのための前記ＤＲＸサイクルの前記周期性に対して、帯域幅スケーリング係数によってスケーリングされるように、前記第２のセルのための前記ＤＲＸサイクルの周期性を調整することとを行うようにさらに構成される、Ｃ３７に記載のワイヤレス通信デバイス。
［Ｃ４２］
前記少なくとも１つのプロセッサが、
前記第２のセルのための前記ＤＲＸサイクルのための前記境界を調整することを容易にするために、少なくとも１つまたは複数のオフセットまたはサイクル長をユーザ機器（ＵＥ）へ送信すること、またはユーザ機器（ＵＥ）において受信することを行うようにさらに構成される、Ｃ３７に記載のワイヤレス通信デバイス。
［Ｃ４３］
前記少なくとも１つのプロセッサが、
前記第１のセルのための有効化またはアクティベーション遅延に重複する、前記第２のセルのためのＤＲＸ命令のための最初の割り当てられたサブフレームを無視することを行うようにさらに構成される、Ｃ３７に記載のワイヤレス通信デバイス。
［Ｃ４４］
前記第１のセルが、通常帯域幅キャリアを備え、前記第２のセルが、前記１つまたは複数のフレキシブル帯域幅キャリアのうちの１つを備える、Ｃ３７に記載のワイヤレス通信デバイス。
［Ｃ４５］
前記第１のセルが、フレキシブル帯域幅キャリアを備え、前記第２のセルが、前記第１のセルとは異なる、前記１つまたは複数のフレキシブル帯域幅キャリアのうちの１つを備える、Ｃ３７に記載のワイヤレス通信デバイス。
［Ｃ４６］
前記第１のセルが、前記１つまたは複数のフレキシブル帯域幅キャリアのうちの１つを備え、前記第２のセルが、通常帯域幅キャリアを備える、Ｃ３７に記載のワイヤレス通信デバイス。
［Ｃ４７］
前記第１のセルが、前記１つまたは複数のフレキシブル帯域幅キャリアのうちの１つを備え、前記第２のセルが、前記第１のセルとは異なる、前記１つまたは複数のフレキシブル帯域幅キャリアのうちの１つを備える、Ｃ３７に記載のワイヤレス通信デバイス。
［Ｃ４８］
前記第１のセルが、１に等しい帯域幅スケーリング係数を備え、前記第２のセルが、２または４に等しい帯域幅スケーリング係数を備える、Ｃ４４に記載のワイヤレス通信デバイス。
【国際調査報告】
2016521050.tif 000059
2016521050.tif 000060
2016521050.tif 000061